(57)【要約】  ワイヤレス通信ネットワークにおけるモバイルデバイスの位置を決定する際に使用する方法が、モバイルデバイスによって、第１の周波数で送信された第１の測位信号と第１の周波数とは異なる第２の周波数で送信された第２の測位信号とを獲得することを含む。モバイルデバイスは、第１の測位信号と第２の測位信号との間の到着時間差の第１の測定を実行する。いくつかの実装形態では、第１の周波数、第２の周波数、または第１の周波数と第２の周波数の両方に対応する周波数間関連遅延に対して第１の測定に周波数間バイアス補償を適用しないとの決定に応答して、モバイルデバイスは、モバイルデバイスの位置を決定するために第１の測定と第１の測定記述とをサーバに送る。第１の測定記述は、周波数間関連遅延に対して第１の測定が補償されていないことを示す。【選択図】  図１
2018510331.tif 000002
【特許請求の範囲】
【請求項１】
モバイルデバイスにおいて使用する方法であって、前記モバイルデバイスにおいて、
第１の周波数で送信された第１の測位信号と前記第１の周波数とは異なる第２の周波数で送信された第２の測位信号とを獲得することと、
前記第１の測位信号と前記第２の測位信号との間の到着時間差の第１の測定を実行することと、
前記第１の周波数、前記第２の周波数、または前記第１の周波数と前記第２の周波数の両方に対応する周波数間関連遅延に対して前記第１の測定に周波数間バイアス補償を適用しないとの前記モバイルデバイスにおける決定に応答して、
前記モバイルデバイスの位置を決定するために前記第１の測定と第１の測定記述とをサーバに送ることと、ここにおいて、前記第１の測定記述が、前記周波数間関連遅延に対して前記モバイルデバイスにおいて前記第１の測定が補償されていないことを示す、
を備える方法。
【請求項２】
前記第１の周波数、前記第２の周波数、または前記第１の周波数と前記第２の周波数の両方に対応する周波数間関連遅延に対して前記第１の測定に前記周波数間バイアス補償を適用するとの前記モバイルデバイスにおける決定に応答して、
補償された測定を生成するために前記第１の測定に前記周波数間バイアス補償を適用することと、
前記モバイルデバイスの前記位置を決定するために前記補償された測定と第２の測定記述とを前記サーバに送ることと、ここにおいて、前記第２の測定記述が、前記周波数間関連遅延に対して前記モバイルデバイスにおいて前記補償された測定が補償されていることを示す、
をさらに備える、請求項１に記載の方法。
【請求項３】
前記周波数間関連遅延に対して測定を前記サーバにおいて補償する能力を前記サーバが含むかどうかを示すメッセージを前記サーバから受信することと、
前記周波数間関連遅延に対して前記サーバにおいて測定を補償する前記能力を前記サーバが含まないことを示す前記メッセージに応答して、前記モバイルデバイスにおいて前記第１の測定に前記周波数間バイアス補償を適用することを決定することと、
前記周波数間関連遅延に対して前記サーバにおいて測定を補償する前記能力を前記サーバが含むことを示す前記メッセージに応答して、前記モバイルデバイスにおいて前記第１の測定に前記周波数間バイアス補償を適用しないことを決定することと
をさらに備える、請求項２に記載の方法。
【請求項４】
前記メッセージを前記サーバから受信することは、ＬＴＥ測位プロトコル（ＬＰＰ）メッセージを前記サーバから受信することを備える、請求項３に記載の方法。
【請求項５】
前記周波数間バイアス補償を適用するとの前記決定に応答して、前記第１の測定に関して前記モバイルデバイスにおいて前記周波数間バイアス補償を決定すること
をさらに備える、請求項２に記載の方法。
【請求項６】
前記周波数間バイアス補償を決定することは、前記周波数間バイアス補償を前記モバイルデバイスにおいて動的に計算することを備える、請求項５に記載の方法。
【請求項７】
前記モバイルデバイスにおいて動的に計算することは、前記モバイルデバイスの前記位置と前記周波数間バイアス補償とを提供する反復手順を実行することを備える、請求項６に記載の方法。
【請求項８】
前記第２の測定記述は、
前記モバイルデバイスによって前記第１の測定に適用される前記周波数間バイアス補償の値、
前記モバイルデバイスによって適用された前記周波数間バイアス補償のタイプ、
前記モバイルデバイスによって適用された前記周波数間バイアス補償の信頼性もしくは正確性を示す、前記モバイルによって決定されたメトリック、
前記モバイルデバイスによって適用された前記周波数間バイアス補償の経過期間、または
前記到着時間差の前記第１の測定を実行するために前記モバイルデバイスによって使用されたデータの少なくとも一部分
のうちの少なくとも１つを示す情報をさらに含む、請求項５に記載の方法。
【請求項９】
前記到着時間差の前記第１の測定を実行するために前記モバイルデバイスによって使用されたデータの前記一部分は、前記第１の測位信号の到着時間および前記第２の測位信号の到着時間のうちの少なくとも１つを含む、請求項８に記載の方法。
【請求項１０】
前記第１の測定を実行することは、前記第１および第２の測位信号の観測到着時間差（ＯＴＤＯＡ）測定を実行することを備える、請求項１に記載の方法。
【請求項１１】
前記サーバは、ワイヤレス通信ネットワーク内にロケーションサーバを備える、請求項１に記載の方法。
【請求項１２】
前記第１の測定記述を前記サーバに送ることは、
ＬＴＥ測位プロトコル（ＬＰＰ）メッセージを前記サーバに送ること
をさらに備える、請求項１に記載の方法。
【請求項１３】
前記ＬＰＰメッセージを前記サーバに送ることは、前記周波数間関連遅延に対して前記第１の測定が補償されていないことを示すように、前記ＬＰＰメッセージにおけるフラグの論理状態を制御することを含む、請求項１２に記載の方法。
【請求項１４】
コンピューティングプラットフォームを備えるサーバにおいて使用する方法であって、前記コンピューティングプラットフォームにおいて、
モバイルデバイスによって決定された第１の測位信号と第２の測位信号との間の到着時間差の第１の測定を取得することと、前記第１の測位信号が第１の周波数で送信されており、前記第２の測位信号が前記第１の周波数とは異なる第２の周波数で送信されている、
前記モバイルデバイスから測定記述を取得することと、
前記第１の周波数、前記第２の周波数、または前記第１の周波数と前記第２の周波数の両方に対応する周波数間関連遅延に対して前記モバイルデバイスによって前記第１の測定が補償されていないことを前記測定記述が示すとの決定に応答して、
前記第１の測定に対応する前記周波数間関連遅延に対する周波数間バイアス補償を決定することと、
補償された測定を生成するために前記第１の測定に前記周波数間バイアス補償を適用することと、
少なくとも部分的に、前記補償された測定に少なくとも部分的に基づいて前記モバイルデバイスの位置を決定することと
を備える方法。
【請求項１５】
前記周波数間関連遅延に対して測定を前記サーバにおいて補償する能力を前記サーバが含むかどうかを示すメッセージを前記モバイルデバイスに送ることをさらに備える、請求項１４に記載の方法。
【請求項１６】
前記メッセージを前記モバイルデバイスに送ることは、ＬＴＥ測位プロトコル（ＬＰＰ）メッセージを前記モバイルデバイスに送ることを備える、請求項１５に記載の方法。
【請求項１７】
前記周波数間バイアス補償を決定することは、前記周波数間バイアス補償を前記コンピューティングプラットフォームにおいて動的に計算することを備える、請求項１４に記載の方法。
【請求項１８】
前記コンピューティングプラットフォームにおいて動的に計算することは、前記モバイルデバイスの前記位置と前記周波数間バイアス補償とを提供する反復手順を実行することを備える、請求項１７に記載の方法。
【請求項１９】
前記第１の周波数、前記第２の周波数、または前記第１の周波数と前記第２の周波数の両方に対応する前記周波数間関連遅延に対して前記モバイルデバイスによって前記第１の測定が補償されていることを前記測定記述が示すとの決定に応答して、
少なくとも部分的に、前記第１の測定に少なくとも部分的に基づいて前記モバイルデバイスの前記位置を決定すること
をさらに備える、請求項１４に記載の方法。
【請求項２０】
少なくとも部分的に、前記第１の測定に少なくとも部分的に基づいて前記モバイルデバイスの前記位置を決定することは、
前記第１の測定に対応する前記周波数間関連遅延に対する新しい周波数間バイアス補償を決定することと、
補償されていない測定を生成するために、前記モバイルデバイスによって前記第１の測定に適用された周波数間バイアス補償を無効にすることと、
前記補償されていない測定に前記新しい周波数間バイアス補償を適用することと
をさらに備える、請求項１９に記載の方法。
【請求項２１】
前記測定記述は、前記モバイルデバイスによって前記第１の測定に適用された前記周波数間バイアス補償の値をさらに示し、前記モバイルデバイスによって適用された前記周波数間バイアス補償を無効にすることが、前記測定記述において示された前記周波数間バイアス補償の前記値に基づく、請求項２０に記載の方法。
【請求項２２】
前記測定記述は、
前記モバイルデバイスによって適用された前記周波数間バイアス補償のタイプ、
前記モバイルデバイスによって適用された前記周波数間バイアス補償の信頼性もしくは正確性を示す、前記モバイルによって決定されたメトリック、または
前記モバイルデバイスによって適用された前記周波数間バイアス補償の経過期間のうちの少なくとも１つを示す情報をさらに含み、前記方法が、前記測定記述に含まれる前記情報に基づいて、前記コンピューティングプラットフォームにおいて前記新しい周波数間バイアス補償を決定するか否かを決定することをさらに備える、請求項２０に記載の方法。
【請求項２３】
前記測定記述は、前記到着時間差の前記第１の測定を実行するために前記モバイルデバイスによって使用されたデータの少なくとも一部分をさらに含み、前記周波数間関連遅延に対する前記周波数間バイアス補償を決定することが、前記測定記述において示される前記モバイルデバイスによって使用された前記データに基づく、請求項１４に記載の方法。
【請求項２４】
前記モバイルデバイスから前記測定記述を取得することは、
前記モバイルデバイスからＬＴＥ測位プロトコル（ＬＰＰ）メッセージを受信すること
をさらに備える、請求項１４に記載の方法。
【請求項２５】
前記モバイルデバイスから受信された前記ＬＰＰメッセージは、前記ＬＰＰメッセージにフラグを含み、前記フラグの論理状態が、前記周波数間関連遅延に対して前記第１の測定が補償されているか否かを示す、請求項２４に記載の方法。
【請求項２６】
前記第１の測位信号と前記第２の測位信号との間の前記到着時間差の前記第１の測定は、前記第１の測位信号と前記第２の測位信号との間の観測到着時間差（ＯＴＤＯＡ）測定を備える、請求項１４に記載の方法。
【請求項２７】
ワイヤレス通信ネットワークにおけるモバイルデバイスの位置の決定を支援するためのモバイルデバイスであって、
プログラムコードを記憶するように適応されたメモリと、
第１の周波数で送信された第１の測位信号と前記第１の周波数とは異なる第２の周波数で送信された第２の測位信号とを獲得することと、
前記第１の測位信号と前記第２の測位信号との間の到着時間差の第１の測定を実行することと、
前記第１の周波数、前記第２の周波数、または前記第１の周波数と前記第２の周波数の両方に対応する周波数間関連遅延に対して前記第１の測定に周波数間バイアス補償を適用しないとの前記モバイルデバイスにおける決定に応答して、
前記モバイルデバイスの前記位置を決定するために前記第１の測定と第１の測定記述とをサーバに送ることと、ここにおいて、前記第１の測定記述が、前記周波数間関連遅延に対して前記モバイルデバイスにおいて前記第１の測定が補償されていないことを示す、
を行うよう前記モバイルデバイスに指示するための前記プログラムコードに含まれる命令にアクセスし、前記命令を実行するために前記メモリに結合された処理ユニットと
を備えるモバイルデバイス。
【請求項２８】
前記プログラムコードは、
前記第１の周波数、前記第２の周波数、または前記第１の周波数と前記第２の周波数の両方に対応する周波数間関連遅延に対して前記第１の測定に前記周波数間バイアス補償を適用するとの前記モバイルデバイスにおける決定に応答して、
補償された測定を生成するために前記第１の測定に前記周波数間バイアス補償を適用することと、
前記モバイルデバイスの前記位置を決定するために前記補償された測定と第２の測定記述とを前記サーバに送ることと、ここにおいて、前記第２の測定記述が、前記周波数間関連遅延に対して前記モバイルデバイスにおいて前記補償された測定が補償されていることを示す、
を行うよう前記モバイルデバイスに指示するための命令をさらに備える、請求項２７に記載のモバイルデバイス。
【請求項２９】
前記プログラムコードは、
前記周波数間関連遅延に対して測定を前記サーバにおいて補償する能力を前記サーバが含むかどうかを示すメッセージを前記サーバから受信することと、
前記周波数間関連遅延に対して前記サーバにおいて測定を補償する前記能力を前記サーバが含まないことを示す前記メッセージに応答して、前記モバイルデバイスにおいて前記第１の測定に前記周波数間バイアス補償を適用することを決定することと、
前記周波数間関連遅延に対して前記サーバにおいて測定を補償する前記能力を前記サーバが含むことを示す前記メッセージに応答して、前記モバイルデバイスにおいて前記第１の測定に前記周波数間バイアス補償を適用しないことを決定することと
を行うための命令をさらに備える、請求項２８に記載のモバイルデバイス。
【請求項３０】
前記メッセージを前記サーバから受信するための前記命令は、ＬＴＥ測位プロトコル（ＬＰＰ）メッセージを前記サーバから受信するための命令を備える、請求項２９に記載のモバイルデバイス。
【請求項３１】
前記プログラムコードは、前記周波数間バイアス補償を適用するとの前記決定に応答して、前記第１の測定に関して前記モバイルデバイスにおいて前記周波数間バイアス補償を決定するための命令をさらに備える、請求項２９に記載のモバイルデバイス。
【請求項３２】
前記周波数間バイアス補償を決定するための前記命令は、前記周波数間バイアス補償を前記モバイルデバイスにおいて動的に計算するための命令を備える、請求項３１に記載のモバイルデバイス。
【請求項３３】
前記モバイルデバイスにおいて動的に計算するための前記命令は、前記モバイルデバイスの前記位置と前記周波数間バイアス補償とを提供する反復手順を実行するための命令を備える、請求項３２に記載のモバイルデバイス。
【請求項３４】
前記第１の測定記述を前記サーバに送るための前記命令は、ＬＴＥ測位プロトコル（ＬＰＰ）メッセージを前記サーバに送るための命令をさらに備える、請求項２７に記載のモバイルデバイス。
【請求項３５】
前記ＬＰＰメッセージを前記サーバに送るための前記命令は、前記周波数間関連遅延に対して前記第１の測定が補償されていないことを示すように、前記ＬＰＰメッセージにおけるフラグの論理状態を制御するための命令を含む、請求項３４に記載のモバイルデバイス。
【請求項３６】
ワイヤレス通信ネットワークにおけるモバイルデバイスの位置の決定を支援するためのサーバであって、
プログラムコードを記憶するように適応されたメモリと、
前記モバイルデバイスによって決定された第１の測位信号と第２の測位信号との間の到着時間差の第１の測定を取得することと、前記第１の測位信号が第１の周波数で送信されており、前記第２の測位信号が前記第１の周波数とは異なる第２の周波数で送信されている、
前記モバイルデバイスから測定記述を取得することと、
前記第１の周波数、前記第２の周波数、または前記第１の周波数と前記第２の周波数の両方に対応する周波数間関連遅延に対して前記モバイルデバイスによって前記第１の測定が補償されていないことを前記測定記述が示すとの決定に応答して、
前記第１の測定に対応する前記周波数間関連遅延に対する周波数間バイアス補償を決定することと、
補償された測定を生成するために前記第１の測定に前記周波数間バイアス補償を適用することと、
少なくとも部分的に、前記補償された測定に少なくとも部分的に基づいて前記モバイルデバイスの前記位置を決定すること
を行うよう前記サーバに指示するための前記プログラムコードに含まれる命令にアクセスし、前記命令を実行するために前記メモリに結合された処理ユニットと
を備えるサーバ。
【請求項３７】
前記プログラムコードは、前記周波数間関連遅延に対して測定を前記サーバにおいて補償する能力を前記サーバが含むかどうかを示すメッセージを前記モバイルデバイスに送るための命令をさらに備える、請求項３６に記載のサーバ。
【請求項３８】
前記メッセージを前記モバイルデバイスに送るための前記命令は、ＬＴＥ測位プロトコル（ＬＰＰ）メッセージを前記モバイルデバイスに送るための命令を備える、請求項３７に記載のサーバ。
【請求項３９】
前記周波数間バイアス補償を決定するための前記命令は、前記周波数間バイアス補償を前記サーバにおいて動的に計算するための命令を備える、請求項３６に記載のサーバ。
【請求項４０】
前記サーバにおいて動的に計算するための前記命令は、前記モバイルデバイスの前記位置と前記周波数間バイアス補償とを提供する反復手順を実行するための命令を備える、請求項３９に記載のサーバ。
【請求項４１】
前記プログラムコードは、
前記第１の周波数、前記第２の周波数、または前記第１の周波数と前記第２の周波数の両方に対応する前記周波数間関連遅延に対して前記モバイルデバイスによって前記第１の測定が補償されていることを前記測定記述が示すとの決定に応答して、
少なくとも部分的に、前記第１の測定に少なくとも部分的に基づいて前記モバイルデバイスの前記位置を決定する
ための命令をさらに備える、請求項３６に記載のサーバ。
【請求項４２】
少なくとも部分的に、前記第１の測定に少なくとも部分的に基づいて前記モバイルデバイスの前記位置を決定するための前記命令は、
前記第１の測定に対応する前記周波数間関連遅延に対する新しい周波数間バイアス補償を決定することと、
補償されていない測定を生成するために、前記モバイルデバイスによって前記第１の測定に適用された周波数間バイアス補償を無効にすることと、
前記補償されていない測定に前記新しい周波数間バイアス補償を適用することと
を行うための命令をさらに備える、請求項４１に記載のサーバ。
【請求項４３】
前記測定記述は、前記モバイルデバイスによって前記第１の測定に適用された前記周波数間バイアス補償の値をさらに示し、前記モバイルデバイスによって適用された前記周波数間バイアス補償を無効にするための前記命令が、前記測定記述において示された前記周波数間バイアス補償の前記値に基づいて前記周波数間バイアス補償を無効にするための命令を備える、請求項４２に記載のサーバ。
【請求項４４】
前記測定記述は、
前記モバイルデバイスによって適用された前記周波数間バイアス補償のタイプ、
前記モバイルデバイスによって適用された前記周波数間バイアス補償の信頼性もしくは正確性を示す、前記モバイルによって決定されたメトリック、または
前記モバイルデバイスによって適用された前記周波数間バイアス補償の経過期間のうちの少なくとも１つを示す情報をさらに含み、前記プログラムコードが、前記測定記述に含まれる前記情報に基づいて、前記コンピューティングプラットフォームにおいて前記新しい周波数間バイアス補償を決定するか否かを決定するための命令をさらに備える、請求項４２に記載のサーバ。
【請求項４５】
前記モバイルデバイスから前記測定記述を取得するための前記命令は、前記モバイルデバイスからＬＴＥ測位プロトコル（ＬＰＰ）メッセージを受信するための命令を備える、請求項３６に記載のサーバ。
【請求項４６】
前記モバイルデバイスから受信された前記ＬＰＰメッセージは、前記ＬＰＰメッセージにフラグを含み、前記フラグの論理状態が、前記周波数間関連遅延に対して前記第１の測定が補償されているか否かを示す、請求項４５に記載のサーバ。
【請求項４７】
ワイヤレス通信ネットワークにおけるモバイルデバイスの位置の決定を支援するためのモバイルデバイスであって、
第１の周波数で送信された第１の測位信号と前記第１の周波数とは異なる第２の周波数で送信された第２の測位信号とを獲得するための手段と、
前記第１の測位信号と前記第２の測位信号との間の到着時間差の第１の測定を実行するための手段と、
前記第１の周波数、前記第２の周波数、または前記第１の周波数と前記第２の周波数の両方に対応する周波数間関連遅延に対して前記第１の測定に周波数間バイアス補償を適用しないとの前記モバイルデバイスにおける決定に応答して、前記モバイルデバイスの前記位置を決定するために前記第１の測定と第１の測定記述とをサーバに送るための手段と、ここにおいて、前記第１の測定記述が、前記周波数間関連遅延に対して前記モバイルデバイスにおいて前記第１の測定が補償されていないことを示す、
を備えるモバイルデバイス。
【請求項４８】
前記第１の周波数、前記第２の周波数、または前記第１の周波数と前記第２の周波数の両方に対応する周波数間関連遅延に対して前記第１の測定に前記周波数間バイアス補償を適用するとの前記モバイルデバイスにおける決定に応答して、補償された測定を生成するために前記第１の測定に前記周波数間バイアス補償を適用するための手段と、
前記第１の測定に前記周波数間バイアス補償を適用するとの前記決定に応答して、前記モバイルデバイスの前記位置を決定するために前記補償された測定と第２の測定記述とを前記サーバに送るための手段と、ここにおいて、前記第２の測定記述が、前記周波数間関連遅延に対して前記モバイルデバイスにおいて前記補償された測定が補償されていることを示す、
をさらに備える、請求項４７に記載のモバイルデバイス。
【請求項４９】
前記周波数間関連遅延に対して測定を前記サーバにおいて補償する能力を前記サーバが含むかどうかを示すメッセージを前記サーバから受信するための手段と、
前記周波数間関連遅延に対して前記サーバにおいて測定を補償する前記能力を前記サーバが含まないことを示す前記メッセージに応答して、前記モバイルデバイスにおいて前記第１の測定に前記周波数間バイアス補償を適用することを決定するための手段と、
前記周波数間関連遅延に対して前記サーバにおいて測定を補償する前記能力を前記サーバが含むことを示す前記メッセージに応答して、前記モバイルデバイスにおいて前記第１の測定に前記周波数間バイアス補償を適用しないことを決定するための手段と
をさらに備える、請求項４８に記載のモバイルデバイス。
【請求項５０】
ワイヤレス通信ネットワークにおけるモバイルデバイスの位置の決定を支援するためのサーバであって、
前記モバイルデバイスによって決定された第１の測位信号と第２の測位信号との間の到着時間差の第１の測定を取得するための手段と、前記第１の測位信号が第１の周波数で送信されており、前記第２の測位信号が前記第１の周波数とは異なる第２の周波数で送信されている、
前記モバイルデバイスから測定記述を取得するための手段と、
前記第１の周波数、前記第２の周波数、または前記第１の周波数と前記第２の周波数の両方に対応する周波数間関連遅延に対する周波数間バイアス補償を、前記周波数間関連遅延に対して前記モバイルデバイスによって前記第１の測定が補償されていないことを前記測定記述が示すとの決定に応答して決定するための手段と、
前記第１の測定が補償されていないことを前記測定記述が示すとの前記決定に応答して、補償された測定を生成するために前記第１の測定に前記周波数間バイアス補償を適用するための手段と、
前記第１の測定が補償されていないことを前記測定記述が示すとの前記決定に応答して、少なくとも部分的に、前記補償された測定に少なくとも部分的に基づいて前記モバイルデバイスの前記位置を決定するための手段と
を備えるサーバ。
【請求項５１】
前記周波数間関連遅延に対して測定を前記サーバにおいて補償する能力を前記サーバが含むかどうかを示すメッセージを前記モバイルデバイスに送るための手段をさらに備える、請求項５０に記載のサーバ。
【請求項５２】
前記第１の周波数、前記第２の周波数、または前記第１の周波数と前記第２の周波数の両方に対応する前記周波数間関連遅延に対して前記モバイルデバイスによって前記第１の測定が補償されていることを前記測定記述が示すとの決定に応答して、少なくとも部分的に、前記第１の測定に少なくとも部分的に基づいて前記モバイルデバイスの前記位置を決定するための手段
をさらに備える、請求項５０に記載のサーバ。
【請求項５３】
少なくとも部分的に、前記第１の測定に少なくとも部分的に基づいて前記モバイルデバイスの前記位置を決定するための前記手段は、
前記第１の測定に対応する前記周波数間関連遅延に対する新しい周波数間バイアス補償を決定するための手段と、
補償されていない測定を生成するために、前記モバイルデバイスによって前記第１の測定に適用された周波数間バイアス補償を無効にするための手段と、
前記補償されていない測定に前記新しい周波数間バイアス補償を適用するための手段と
をさらに備える、請求項５２に記載のサーバ。
【請求項５４】
前記モバイルデバイスから前記測定記述を取得するための前記手段は、
前記モバイルデバイスからＬＴＥ測位プロトコル（ＬＰＰ）メッセージを受信するための手段
をさらに備える、請求項５０に記載のサーバ。
【請求項５５】
ワイヤレス通信ネットワークにおけるモバイルデバイスの位置を決定する際に使用するプログラムコードが記憶されている非一時的コンピュータ可読媒体であって、前記プログラムコードは、
第１の周波数で送信された第１の測位信号と前記第１の周波数とは異なる第２の周波数で送信された第２の測位信号とを獲得することと、
前記第１の測位信号と前記第２の測位信号との間の到着時間差の第１の測定を実行することと、
前記第１の周波数、前記第２の周波数、または前記第１の周波数と前記第２の周波数の両方に対応する周波数間関連遅延に対して前記第１の測定に周波数間バイアス補償を適用しないとの前記モバイルデバイスにおける決定に応答して、
前記モバイルデバイスの前記位置を決定するために前記第１の測定と第１の測定記述とをサーバに送ることと、ここにおいて、前記第１の測定記述が、前記周波数間関連遅延に対して前記モバイルデバイスにおいて前記第１の測定が補償されていないことを示す、
を行うための命令を備える、非一時的コンピュータ可読媒体。
【請求項５６】
前記プログラムコードは、
前記第１の周波数、前記第２の周波数、または前記第１の周波数と前記第２の周波数の両方に対応する前記周波数間関連遅延に対して前記第１の測定に前記周波数間バイアス補償を適用するとの前記モバイルデバイスにおける決定に応答して、
補償された測定を生成するために前記第１の測定に前記周波数間バイアス補償を適用することと、
前記モバイルデバイスの前記位置を決定するために前記補償された測定と第２の測定記述とを前記サーバに送ることと、ここにおいて、前記第２の測定記述が、前記周波数間関連遅延に対して前記モバイルデバイスにおいて前記補償された測定が補償されていることを示す、
を行うための命令をさらに備える、請求項５５に記載の非一時的コンピュータ可読媒体。
【請求項５７】
前記プログラムコードは、
前記周波数間関連遅延に対して測定を前記サーバにおいて補償する能力を前記サーバが含むかどうかを示すメッセージを前記サーバから受信することと、
前記周波数間関連遅延に対して前記サーバにおいて測定を補償する前記能力を前記サーバが含まないことを示す前記メッセージに応答して、前記モバイルデバイスにおいて前記第１の測定に前記周波数間バイアス補償を適用することを決定することと、
前記周波数間関連遅延に対して前記サーバにおいて測定を補償する前記能力を前記サーバが含むことを示す前記メッセージに応答して、前記モバイルデバイスにおいて前記第１の測定に前記周波数間バイアス補償を適用しないことを決定することと
を行うための命令をさらに備える、請求項５６に記載の非一時的コンピュータ可読媒体。
【請求項５８】
ワイヤレス通信ネットワークにおけるモバイルデバイスの位置を決定する際に使用するプログラムコードが記憶されている非一時的コンピュータ可読媒体であって、前記プログラムコードは、
サーバにおいて、前記モバイルデバイスによって決定された第１の測位信号と第２の測位信号との間の到着時間差の第１の測定を取得することと、前記第１の測位信号が第１の周波数で送信されており、前記第２の測位信号が前記第１の周波数とは異なる第２の周波数で送信されている、
前記サーバにおいて、前記モバイルデバイスから測定記述を取得することと、
前記第１の周波数、前記第２の周波数、または前記第１の周波数と前記第２の周波数の両方に対応する周波数間関連遅延に対して前記モバイルデバイスによって前記第１の測定が補償されていないことを前記測定記述が示すとの決定に応答して、
前記第１の測定に対応する前記周波数間関連遅延に対する周波数間バイアス補償を決定することと、
補償された測定を生成するために前記第１の測定に前記周波数間バイアス補償を適用することと、
少なくとも部分的に、前記第１の測定に少なくとも部分的に基づいて前記モバイルデバイスの前記位置を決定することと
を行うための命令を備える、非一時的コンピュータ可読媒体。
【請求項５９】
前記プログラムコードは、前記周波数間関連遅延に対して測定を前記サーバにおいて補償する能力を前記サーバが含むかどうかを示すメッセージを前記モバイルデバイスに送るための命令をさらに備える、請求項５８に記載の非一時的コンピュータ可読媒体。
【請求項６０】
前記プログラムコードは、
前記第１の周波数、前記第２の周波数、または前記第１の周波数と前記第２の周波数の両方に対応する前記周波数間関連遅延に対して前記モバイルデバイスによって前記第１の測定が補償されていることを前記測定記述が示すとの決定に応答して、
少なくとも部分的に、前記第１の測定に少なくとも部分的に基づいて前記モバイルデバイスの前記位置を決定する
ための命令をさらに備える、請求項５８に記載の非一時的コンピュータ可読媒体。
【請求項６１】
少なくとも部分的に、前記第１の測定に少なくとも部分的に基づいて前記モバイルデバイスの前記位置を決定するための前記命令は、
前記第１の測定に対応する前記周波数間関連遅延に対する新しい周波数間バイアス補償を決定することと、
補償されていない測定を生成するために、前記モバイルデバイスによって前記第１の測定に適用された周波数間バイアス補償を無効にすることと、
前記補償されていない測定に前記新しい周波数間バイアス補償を適用することと
を行うための命令をさらに備える、請求項６０に記載の非一時的コンピュータ可読媒体。
【請求項６２】
モバイルデバイスにおいて使用する方法であって、前記モバイルデバイスにおいて、
第１の周波数で送信された第１の測位信号と前記第１の周波数とは異なる第２の周波数で送信された第２の測位信号とを獲得することと、
前記第１の測位信号と前記第２の測位信号との間の到着時間差の測定を実行することと、
前記測定と測定記述とをロケーションサーバに送ることと、ここにおいて、前記測定記述が、前記第１の周波数、前記第２の周波数、または前記第１の周波数と前記第２の周波数の両方に対応する周波数間関連遅延に対して前記モバイルデバイスにおいて前記測定が補償されていないことを示す、
を備える方法。
【請求項６３】
モバイルデバイスにおいて使用する方法であって、前記モバイルデバイスにおいて、
第１の周波数で送信された第１の測位信号と前記第１の周波数とは異なる第２の周波数で送信された第２の測位信号とを獲得することと、
前記第１の測位信号と前記第２の測位信号との間の到着時間差の測定を実行することと、
補償された測定を生成するために前記測定に周波数間バイアス補償を適用することと、前記周波数間バイアス補償が、前記第１の周波数、前記第２の周波数、または前記第１の周波数と前記第２の周波数の両方に対応する周波数間関連遅延を減らす、
前記補償された測定と測定記述とをロケーションサーバに送ることと、ここにおいて、前記測定記述が、前記周波数間関連遅延に対して前記モバイルデバイスにおいて前記補償された測定が補償されていることを示す、
を備える方法。
【請求項６４】
モバイルデバイスにおいて使用する装置であって、
第１の周波数で送信された第１の測位信号と前記第１の周波数とは異なる第２の周波数で送信された第２の測位信号とを獲得するための手段と、
前記第１の測位信号と前記第２の測位信号との間の到着時間差の測定を実行するための手段と、
前記測定と測定記述とをロケーションサーバに送るための手段と、ここにおいて、前記測定記述が、前記第１の周波数、前記第２の周波数、または前記第１の周波数と前記第２の周波数の両方に対応する周波数間関連遅延に対して前記モバイルデバイスにおいて前記測定が補償されていないことを示す、
を備える装置。
【請求項６５】
モバイルデバイスにおいて使用する装置であって、
第１の周波数で送信された第１の測位信号と前記第１の周波数とは異なる第２の周波数で送信された第２の測位信号とを獲得するための手段と、
前記第１の測位信号と前記第２の測位信号との間の到着時間差の測定を実行するための手段と、
補償された測定を生成するために前記測定に周波数間バイアス補償を適用するための手段と、前記周波数間バイアス補償が、前記第１の周波数、前記第２の周波数、または前記第１の周波数と前記第２の周波数の両方に対応する周波数間関連遅延を減らす、
前記補償された測定と測定記述とをロケーションサーバに送るための手段と、ここにおいて、前記測定記述が、前記周波数間関連遅延に対して前記モバイルデバイスにおいて前記補償された測定が補償されていることを示す、
を備える装置。
【請求項６６】
モバイルデバイスであって、
プログラムコードを記憶するように適応されたメモリと、
第１の周波数で送信された第１の測位信号と前記第１の周波数とは異なる第２の周波数で送信された第２の測位信号とを獲得することと、
前記第１の測位信号と前記第２の測位信号との間の到着時間差の測定を実行することと、
前記測定と測定記述とをロケーションサーバに送ることと、ここにおいて、前記測定記述が、前記第１の周波数、前記第２の周波数、または前記第１の周波数と前記第２の周波数の両方に対応する周波数間関連遅延に対して前記モバイルデバイスにおいて前記測定が補償されていないことを示す、
を行うよう前記モバイルデバイスに指示するための前記プログラムコードに含まれる命令にアクセスし、前記命令を実行するために前記メモリに結合された処理ユニットと
を備えるモバイルデバイス。
【請求項６７】
モバイルデバイスにおいて使用する装置であって、
プログラムコードを記憶するように適応されたメモリと、
第１の周波数で送信された第１の測位信号と前記第１の周波数とは異なる第２の周波数で送信された第２の測位信号とを獲得することと、
前記第１の測位信号と前記第２の測位信号との間の到着時間差の測定を実行することと、
補償された測定を生成するために前記測定に周波数間バイアス補償を適用することと、前記周波数間バイアス補償が、前記第１の周波数、前記第２の周波数、または前記第１の周波数と前記第２の周波数の両方に対応する周波数間関連遅延を減らす、
前記補償された測定と測定記述とをロケーションサーバに送ることと、ここにおいて、前記測定記述が、前記周波数間関連遅延に対して前記モバイルデバイスにおいて前記補償された測定が補償されていることを示す、
を行うよう前記モバイルデバイスに指示するための前記プログラムコードに含まれる命令にアクセスし、前記命令を実行するために前記メモリに結合された処理ユニットと
を備える装置。
【請求項６８】
ワイヤレス通信ネットワークにおけるモバイルデバイスの位置を決定する際に使用するプログラムコードが記憶されている非一時的コンピュータ可読媒体であって、前記プログラムコードは、
第１の周波数で送信された第１の測位信号と前記第１の周波数とは異なる第２の周波数で送信された第２の測位信号とを獲得することと、
前記第１の測位信号と前記第２の測位信号との間の到着時間差の測定を実行することと、
前記測定と測定記述とをロケーションサーバに送ることと、ここにおいて、前記測定記述が、前記第１の周波数、前記第２の周波数、または前記第１の周波数と前記第２の周波数の両方に対応する周波数間関連遅延に対して前記モバイルデバイスにおいて前記測定が補償されていないことを示す、
を行うための命令を備える、非一時的コンピュータ可読媒体。
【請求項６９】
ワイヤレス通信ネットワークにおけるモバイルデバイスの位置を決定する際に使用するプログラムコードが記憶されている非一時的コンピュータ可読媒体であって、前記プログラムコードは、
第１の周波数で送信された第１の測位信号と前記第１の周波数とは異なる第２の周波数で送信された第２の測位信号とを獲得することと、
前記第１の測位信号と前記第２の測位信号との間の到着時間差の測定を実行することと、
補償された測定を生成するために前記測定に周波数間バイアス補償を適用することと、前記周波数間バイアス補償が、前記第１の周波数、前記第２の周波数、または前記第１の周波数と前記第２の周波数の両方に対応する周波数間関連遅延を減らす、
前記補償された測定と測定記述とをロケーションサーバに送ることと、ここにおいて、前記測定記述が、前記周波数間関連遅延に対して前記モバイルデバイスにおいて前記補償された測定が補償されていることを示す、
を行うための命令を備える、非一時的コンピュータ可読媒体。
【発明の詳細な説明】
【技術分野】
【０００１】
関連出願の相互参照
[0001]本特許出願は、本出願の譲受人に譲渡され、その全体が参照により本明細書に明確に組み込まれる、２０１５年２月６日に出願された「ＩＮＴＥＲ−ＦＲＥＱＵＥＮＣＹ  ＢＩＡＳ  ＣＯＭＰＥＮＳＡＴＩＯＮ  ＦＯＲ  ＴＩＭＥ  ＤＩＦＦＥＲＥＮＣＥ  ＭＥＡＳＵＲＥＭＥＮＴＳ  ＩＮ  ＰＯＳＩＴＩＯＮ  ＤＥＴＥＲＭＩＮＡＴＩＯＮＳ」と題する米国仮出願第６２／１１３，０５２号の利益を主張する。
【０００２】
[0002]本開示は、一般に、モバイル通信に関し、具体的には、限定はしないが、少なくとも部分的に、ワイヤレスモバイルデバイスの位置を決定することに関する。
【背景技術】
【０００３】
[0003]たとえば、セルラー電話などのモバイルデバイス（デバイス）の位置は、様々なシステムから収集された情報に基づいて推定され得る。１つのそのようなシステムは全地球測位システム（ＧＰＳ）を含むことができ、ＧＰＳは衛星測位システム（ＳＰＳ）の一例である。ＧＰＳなどのＳＰＳシステムは、地球の周りを回っているいくつかの宇宙ビークル（ＳＶ）を含み得る。モバイルデバイスの位置を推定するための土台を提供し得るシステムの別の例は、いくつかのモバイルデバイスのために通信をサポートするいくつかの基地局を含むセルラー通信システムである。
【０００４】
[0004]モバイルデバイスに関する位置「フィックス（fix）」と呼ばれることもある位置推定値が、たとえば、モバイルデバイスから１つまたは複数の送信機までの距離またはレンジに少なくとも部分的に基づいて、また１つまたは複数の送信機のロケーションに少なくとも部分的に基づいて取得され得る。そのような送信機は、たとえば、ＳＰＳの場合のＳＶおよび／またはセルラー通信システムの場合の地上基地局を備え得る。送信機までのレンジは、送信機によって送信されモバイルデバイスによって受信された、および／またはその逆の、１つまたは複数の信号に基づき得る。送信機のロケーションは、少なくともいくつかの例示的な実装形態では、送信機から受信された１つまたは複数の信号から確認され得る送信機の識別情報に基づいて確認され得る。
【０００５】
[0005]いくつかの符号分割多元接続（ＣＤＭＡ）デジタルセルラーネットワークでは、位置ロケーション能力がアドバンストフォワードリンクトリラテラレーション（ＡＦＬＴ）技法を適用することがある。いくつかの例示的な広帯域符号分割多元接続（ＷＣＤＭＡ（登録商標））およびロングタームエボリューション（ＬＴＥ（登録商標））ネットワークでは、位置ロケーション能力が観測到着時間差（ＯＴＤＯＡ）技法を適用することがある。
【０００６】
[0006]例として、ＬＴＥ  ＯＴＤＯＡ測位技術は、ＯＴＤＯＡを決定するために近隣セルから受信された測位信号に関する到着時間差（ＴＯＡ）を決定する（たとえば、測定する、計算する、推定するなど）ために測位基準信号（ＰＲＳ）を使用し得る。サービングセルおよびネイバーセルからのＰＲＳ信号を測定することを可能にするために、モバイルデバイスがＯＴＤＯＡシステムサーバに支援データ要求を送ることがある。そのようなサーバは、次いで、たとえば、一組のセル情報（たとえば、基地局アルマナック（ＢＳＡ）およびタイミング情報）を示す場合がある特定の支援データをモバイルデバイスに送り得る。この例では、そのような例示的な支援データによってモバイルデバイスに提供された情報の少なくとも一部分は、どのＰＲＳ（セル、トランシーバなど）をＴＯＡ測定に使用しようと試みるべきかをモバイルデバイスが識別するのを助けることができる。留意すべきこととして、モバイルデバイス、ユーザ機器（ＵＥ）、および移動局（ＭＳ）という用語は、本明細書では互換的に使用され、別段に規定されていない限り、本明細書で提供される例示的な技法および／またはシステムに参加し得る任意のタイプの電子デバイスをカバーするものである。
【０００７】
[0007]いくつかの事例では、ＯＴＤＯＡ測定が基準信号時間差（ＲＳＴＤ）を備え得る。ＲＳＴＤは、たとえば、２つのセル（たとえば、基準セルおよびネイバーセル）の間の、２つの異なるセルから受信された２つのサブフレーム境界の間の最小時間差として計算された相対タイミング差を示し得る。ＰＲＳ信号は、それらのそれぞれのセルによって（本明細書では周波数内と呼ばれる）同じ搬送波周波数で送信され得る。他の事例では、ＰＲＳ信号は、（本明細書では周波数間（intra-frequency）と呼ばれる）異なる搬送波周波数で送信され得る。したがって、「周波数内」ＰＲＳ信号と「周波数間」ＰＲＳ信号の両方に関してＲＳＴＤ測定が計算され得る。
【０００８】
[0008]そのようなＴＯＡベースの測定は、モバイルデバイスのアンテナと送信側基地局のアンテナとの間の幾何学的距離に関係し得る。だが、いくつかの事例では、測位信号の周波数成分が、たとえば、増幅器などのデバイス中の回路によって処理されている間、電波などの媒体を通じて伝搬している間などに、（本明細書では群遅延（group delay）と呼ばれる）時間遅延に遭遇することがある。周波数内測定を実行しているときには、同じ周波数で送信された各信号の群遅延が同じであることがあり、したがって容易に割り引かれることがある。だが、周波数間測定を実行しているときには、測位信号の異なる周波数が遭遇する異なる遅延に対して何らかの方法で補償することなしには、正確な測位は達成困難なことがある。
【０００９】
[0009]いくつかのシステムは、特定のモバイルデバイスがサポートする搬送波周波数に関する様々な周波数間バイアス補償値を含み得る静的なルックアップテーブルをモバイルデバイスに含めることによって、周波数間補償を実現しようと試みることがある。だが、いくつかの周波数が遭遇する群遅延は、たとえば、温度などの変化する環境要因に部分的に起因して、時間とともに変わることがある。したがって、時には不正確なバイアス補償が適用されることがあり、これは、そのような周波数間測定の正確性と、場合によってはモバイルデバイスに関する対応する位置フィックスの正確性とを低下させ得る。
【発明の概要】
【００１０】
[0010]以下で、本明細書で開示される１つまたは複数の態様および／または実施形態に関する簡略化された概要を提示する。したがって、以下の概要は、すべての企図された態様および／または実施形態に関する広範な概要と見なされるべきではなく、また、以下の概要は、すべての企図された態様および／または実施形態に関する主要または重要な要素を識別するもの、あるいは特定の態様および／または実施形態に関連する範囲を定めるものと見なされるべきではない。したがって、以下の概要の唯一の目的は、以下で提示される発明を実施するための形態に先行して、簡略化された形で本明細書で開示される機構に関する１つまたは複数の態様および／または実施形態に関するいくつかの概念を提示することである。
【００１１】
[0011]本開示の態様は、周波数間測位信号ＴＯＡ測定に基づいてモバイルデバイスの位置を支援またはさもなければ決定するための方法と、装置と、モバイルデバイスと、サーバと、非一時的コンピュータ可読媒体とを含む。
【００１２】
[0012]たとえば、一態様によれば、ワイヤレス通信ネットワークにおけるモバイルデバイスの位置を決定する際に使用する方法が、モバイルデバイスによって、第１の周波数で送信された第１の測位信号と第１の周波数とは異なる第２の周波数で送信された第２の測位信号とを獲得することを含む。モバイルデバイスは、第１の測位信号と第２の測位信号との間の到着時間差の第１の測定を実行する。第１の周波数、第２の周波数、または第１の周波数と第２の周波数の両方に対応する周波数間関連遅延（inter-frequency related delays）に対して第１の測定に周波数間バイアス補償を適用しないとの決定に応答して、モバイルデバイスは、モバイルデバイスの位置を決定するために第１の測定と第１の測定記述とをサーバに送る。第１の測定記述は、周波数間関連遅延に対して第１の測定が補償されていないことを示す。
【００１３】
[0013]別の態様によれば、コンピューティングプラットフォームを有するサーバにおいて使用する方法が、モバイルデバイスによって決定された第１の測位信号と第２の測位信号との間の到着時間差の第１の測定を取得することを含み、第１の測位信号が第１の周波数で送信されており、第２の測位信号が第１の周波数とは異なる第２の周波数で送信されている。本方法はまた、モバイルデバイスから測定記述を取得することを含む。次いで、第１の周波数、第２の周波数、または第１の周波数と第２の周波数の両方に対応する周波数間関連遅延に対してモバイルデバイスによって第１の測定が補償されていないことを測定記述が示すとの決定に応答して、コンピューティングプラットフォームは、第１の測定に対応する周波数間関連遅延に対する周波数間バイアス補償を決定し、補償された測定を生成するために第１の測定に周波数間バイアス補償を適用し、少なくとも部分的に、補償された測定に少なくとも部分的に基づいてモバイルデバイスの位置を決定する。
【００１４】
[0014]また別の態様によれば、ワイヤレス通信ネットワークにおけるモバイルデバイスの位置の決定を支援するためのモバイルデバイスが、プログラムコードを記憶するように適応されたメモリと、プログラムコードに含まれる命令にアクセスし、命令を実行するためにメモリに結合された処理ユニットとを含む。命令は、第１の周波数で送信された第１の測位信号と第１の周波数とは異なる第２の周波数で送信された第２の測位信号とを獲得することと、第１の測位信号と第２の測位信号との間の到着時間差の第１の測定を実行することとを行うように構成される。命令は、第１の周波数、第２の周波数、または第１の周波数と第２の周波数の両方に対応する周波数間関連遅延に対して第１の測定に周波数間バイアス補償を適用しないとのモバイルデバイスにおける決定に応答して、モバイルデバイスの位置を決定するために第１の測定と第１の測定記述とをサーバに送るようにさらに構成される。第１の測定記述は、周波数間関連遅延に対してモバイルデバイスにおいて第１の測定が補償されていないことを示す。
【００１５】
[0015]別の態様では、ワイヤレス通信ネットワークにおけるモバイルデバイスの位置の決定を支援するためのサーバが、プログラムコードを記憶するように適応されたメモリと、プログラムコードに含まれる命令にアクセスし、命令を実行するためにメモリに結合された処理ユニットとを含む。命令は、測定記述と、モバイルデバイスによって決定された第１の測位信号と第２の測位信号との間の到着時間差の第１の測定とを取得するようロケーションサーバに指示するように構成され、第１の測位信号が第１の周波数で送信されており、第２の測位信号が第１の周波数とは異なる第２の周波数で送信されている。命令は、第１の周波数、第２の周波数、または第１の周波数と第２の周波数の両方に対応する周波数間関連遅延に対してモバイルデバイスによって第１の測定が補償されていないことを測定記述が示すとの決定に応答して、（ｉ）第１の測定に対応する周波数間関連遅延に対する周波数間バイアス補償を決定することと、（ｉｉ）補償された測定を生成するために第１の測定に周波数間バイアス補償を適用することと、（ｉｉｉ）少なくとも部分的に、補償された測定に少なくとも部分的に基づいてモバイルデバイスの位置を決定することとを行うようロケーションサーバに指示するようにさらに構成される。
【００１６】
[0016]また別の態様では、ワイヤレス通信ネットワークにおけるモバイルデバイスの位置の決定を支援するためのモバイルデバイスが、第１の周波数で送信された第１の測位信号と第１の周波数とは異なる第２の周波数で送信された第２の測位信号とを獲得するための手段と、第１の測位信号と第２の測位信号との間の到着時間差の第１の測定を実行するための手段と、第１の周波数、第２の周波数、または第１の周波数と第２の周波数の両方に対応する周波数間関連遅延に対して第１の測定に周波数間バイアス補償を適用しないとのモバイルデバイスにおける決定に応答して、モバイルデバイスの位置を決定するために第１の測定と第１の測定記述とをサーバに送るための手段とを含む。第１の測定記述は、周波数間関連遅延に対してモバイルデバイスにおいて第１の測定が補償されていないことを示す。
【００１７】
[0017]別の態様では、ワイヤレス通信ネットワークにおけるモバイルデバイスの位置の決定を支援するためのサーバが、モバイルデバイスによって決定された第１の測位信号と第２の測位信号との間の到着時間差の第１の測定を取得するための手段と、第１の測位信号が第１の周波数で送信されており、第２の測位信号が第１の周波数とは異なる第２の周波数で送信されている、モバイルデバイスから測定記述を取得するための手段と、第１の周波数、第２の周波数、または第１の周波数と第２の周波数の両方に対応する周波数間関連遅延に対する周波数間バイアス補償を、周波数間関連遅延に対してモバイルデバイスによって第１の測定が補償されていないことを測定記述が示すとの決定に応答して決定するための手段と、第１の測定が補償されていないことを測定記述が示すとの決定に応答して、補償された測定を生成するために第１の測定に周波数間バイアス補償を適用するための手段と、第１の測定が補償されていないことを測定記述が示すとの決定に応答して、少なくとも部分的に、補償された測定に少なくとも部分的に基づいてモバイルデバイスの位置を決定するための手段とを含む。
【００１８】
[0018]別の態様は、ワイヤレス通信ネットワークにおけるモバイルデバイスの位置を決定する際に使用するプログラムコードが記憶されている非一時的コンピュータ可読媒体を含む。プログラムコードは、第１の周波数で送信された第１の測位信号と第１の周波数とは異なる第２の周波数で送信された第２の測位信号とを獲得することと、第１の測位信号と第２の測位信号との間の到着時間差の第１の測定を実行することとを行うための命令を含む。プログラムコードは、第１の周波数、第２の周波数、または第１の周波数と第２の周波数の両方に対応する周波数間関連遅延に対して第１の測定に周波数間バイアス補償を適用しないとのモバイルデバイスにおける決定に応答して、モバイルデバイスの位置を決定するために第１の測定と第１の測定記述とをサーバに送るための命令をさらに含み、第１の測定記述が、周波数間関連遅延に対してモバイルデバイスにおいて第１の測定が補償されていないことを示す。
【００１９】
[0019]また別の態様では、非一時的コンピュータ可読媒体が、ワイヤレス通信ネットワークにおけるモバイルデバイスの位置を決定する際に使用するプログラムコードが記憶されている。プログラムコードは、サーバにおいて、モバイルデバイスによって決定された第１の測位信号と第２の測位信号との間の到着時間差の第１の測定を取得するための命令を含み、第１の測位信号が第１の周波数で送信されており、第２の測位信号が第１の周波数とは異なる第２の周波数で送信されている。プログラムコードは、サーバにおいて、モバイルデバイスから測定記述を取得することと、第１の周波数、第２の周波数、または第１の周波数と第２の周波数の両方に対応する周波数間関連遅延に対してモバイルデバイスによって第１の測定が補償されていないことを測定記述が示すとの決定に応答して、（ｉ）第１の測定に対応する周波数間関連遅延に対する周波数間バイアス補償を決定することと、（ｉｉ）補償された測定を生成するために第１の測定に周波数間バイアス補償を適することと、（ｉｉｉ）少なくとも部分的に、補償された測定に少なくとも部分的に基づいてモバイルデバイスの位置を決定することとを行うための命令をさらに含む。
【００２０】
[0020]さらに別の態様では、モバイルデバイスにおいて、第１の周波数で送信された第１の測位信号と第１の周波数とは異なる第２の周波数で送信された第２の測位信号とを獲得することと、第１の測位信号と第２の測位信号との間の到着時間差の測定を実行することと、測定と測定記述とをロケーションサーバに送ることと、ここにおいて、測定記述が、第１の周波数、第２の周波数、または第１の周波数と第２の周波数の両方に対応する周波数間関連遅延に対してモバイルデバイスにおいて測定が補償されていないことを示す、を備える、モバイルデバイスにおいて使用する方法が提供され得る。
【００２１】
[0021]また別の態様では、モバイルデバイスにおいて、第１の周波数で送信された第１の測位信号と第１の周波数とは異なる第２の周波数で送信された第２の測位信号とを獲得することと、第１の測位信号と第２の測位信号との間の到着時間差の測定を実行することと、補償された測定を生成するために測定に周波数間バイアス補償を適用することと、周波数間バイアス補償が、第１の周波数、第２の周波数、または第１の周波数と第２の周波数の両方に対応する周波数間関連遅延を減らす、補償された測定と測定記述とをロケーションサーバに送ることと、ここにおいて、測定記述が、周波数間関連遅延に対してモバイルデバイスにおいて補償された測定が補償されていることを示す、を備える、モバイルデバイスにおいて使用する方法が提供され得る。
【００２２】
[0022]いくつかのさらなる態様では、第１の周波数で送信された第１の測位信号と第１の周波数とは異なる第２の周波数で送信された第２の測位信号とを獲得するための手段と、第１の測位信号と第２の測位信号との間の到着時間差の測定を実行するための手段と、測定と測定記述とをロケーションサーバに送るための手段と、ここにおいて、測定記述が、第１の周波数、第２の周波数、または第１の周波数と第２の周波数の両方に対応する周波数間関連遅延に対してモバイルデバイスにおいて測定が補償されていないことを示す、を備える、モバイルデバイスにおいて使用する装置が提供され得る。
【００２３】
[0023]いくつかのさらなる態様では、第１の周波数で送信された第１の測位信号と第１の周波数とは異なる第２の周波数で送信された第２の測位信号とを獲得するための手段と、第１の測位信号と第２の測位信号との間の到着時間差の測定を実行するための手段と、補償された測定を生成するために測定に周波数間バイアス補償を適用するための手段と、周波数間バイアス補償が、第１の周波数、第２の周波数、または第１の周波数と第２の周波数の両方に対応する周波数間関連遅延を減らす、補償された測定と測定記述とをロケーションサーバに送るための手段と、ここにおいて、測定記述が、周波数間関連遅延に対してモバイルデバイスにおいて補償された測定が補償されていることを示す、を備える、モバイルデバイスにおいて使用する装置が提供され得る。
【００２４】
[0024]いくつかの他の態様では、プログラムコードを記憶するように適応されたメモリと、第１の周波数で送信された第１の測位信号と第１の周波数とは異なる第２の周波数で送信された第２の測位信号とを獲得することと、第１の測位信号と第２の測位信号との間の到着時間差の測定を実行することと、測定と測定記述とをロケーションサーバに送ることと、ここにおいて、測定記述が、第１の周波数、第２の周波数、または第１の周波数と第２の周波数の両方に対応する周波数間関連遅延に対してモバイルデバイスにおいて測定が補償されていないことを示す、を行うようモバイルデバイスに指示するためにプログラムコードに含まれる命令にアクセスし、命令を実行するためにメモリに結合された処理ユニットとを備えるモバイルデバイスが提供され得る。
【００２５】
[0025]いくつかの他の態様では、プログラムコードを記憶するように適応されたメモリと、第１の周波数で送信された第１の測位信号と第１の周波数とは異なる第２の周波数で送信された第２の測位信号とを獲得することと、第１の測位信号と第２の測位信号との間の到着時間差の測定を実行することと、補償された測定を生成するために測定に周波数間バイアス補償を適用することと、周波数間バイアス補償が、第１の周波数、第２の周波数、または第１の周波数と第２の周波数の両方に対応する周波数間関連遅延を減らす、補償された測定と測定記述とをロケーションサーバに送ることと、ここにおいて、測定記述が、周波数間関連遅延に対してモバイルデバイスにおいて補償された測定が補償されていることを示す、を行うようモバイルデバイスに指示するためにプログラムコードに含まれる命令にアクセスし、命令を実行するためにメモリに結合された処理ユニットとを備えるモバイルデバイスが提供され得る。
【００２６】
[0026]さらに他の態様では、ワイヤレス通信ネットワークにおけるモバイルデバイスの位置を決定する際に使用するプログラムコードが記憶されている非一時的コンピュータ可読媒体が提供されてよく、プログラムコードは、第１の周波数で送信された第１の測位信号と第１の周波数とは異なる第２の周波数で送信された第２の測位信号とを獲得することと、第１の測位信号と第２の測位信号との間の到着時間差の測定を実行することと、測定と測定記述とをロケーションサーバに送ることと、ここにおいて、測定記述が、第１の周波数、第２の周波数、または第１の周波数と第２の周波数の両方に対応する周波数間関連遅延に対してモバイルデバイスにおいて測定が補償されていないことを示す、を行うための命令を備える。
【００２７】
[0027]いくつかの他の態様では、ワイヤレス通信ネットワークにおけるモバイルデバイスの位置を決定する際に使用するプログラムコードが記憶されている非一時的コンピュータ可読媒体が提供されてよく、プログラムコードは、第１の周波数で送信された第１の測位信号と第１の周波数とは異なる第２の周波数で送信された第２の測位信号とを獲得することと、第１の測位信号と第２の測位信号との間の到着時間差の測定を実行することと、補償された測定を生成するために測定に周波数間バイアス補償を適用することと、周波数間バイアス補償が、第１の周波数、第２の周波数、または第１の周波数と第２の周波数の両方に対応する周波数間関連遅延を減らす、補償された測定と測定記述とをロケーションサーバに送ることと、ここにおいて、測定記述が、周波数間関連遅延に対してモバイルデバイスにおいて補償された測定が補償されていることを示す、を行うための命令を備える。
【００２８】
[0028]本明細書で開示される態様および実施形態に関連する他の目的および利点は、添付の図面および発明を実施するための形態に基づいて当業者には明らかであろう。
【００２９】
[0029]添付の図面は、様々な例示的な実施形態の説明を助けるために提示され、実施形態の限定ではなく、それの例示のみのために与えられるものである。
【図面の簡単な説明】
【００３０】
【図１】[0030]例示的な実装形態による、例示的なワイヤレス通信ネットワークの機能ブロック図。
【図２】[0031]例示的な実装形態による、周波数間測位信号の到着時間差の測定を実行する例示的なモバイルデバイスの機能ブロック図。
【図３】[0032]例示的な実装形態による、モバイルデバイスの位置を決定する、モバイルデバイスによる例示的なプロセスを示すフローチャート。
【図４】[0033]例示的な実装形態による、モバイルデバイスにおいて周波数間バイアス補償を適用するかどうかを決定する例示的なプロセスを示すフローチャート。
【図５】[0034]例示的な実装形態による、モバイルデバイスの位置を決定する、サーバによる例示的なプロセスを示すフローチャート。
【図６】[0035]例示的な実装形態による、サーバによって新しい周波数間バイアス補償を決定することを含むモバイルデバイスの位置を決定する、サーバによる例示的なプロセスを示すフローチャート。
【図７】[0036]例示的な実装形態による、モバイルデバイスの位置を決定する際に使用する例示的なメッセージフローを示す図。
【図８】[0037]例示的な実装形態による、例示的なモバイルデバイスのいくつかの特徴を示す機能ブロック図。
【図９】[0038]例示的な実装形態による、例示的なサーバまたは他の同様のコンピューティングプラットフォーム／デバイスのいくつかの特徴を示す機能ブロック図。
【図１０】[0039]例示的な実装形態による、モバイルデバイスの位置を決定するモバイルデバイスにおいて使用する例示的なプロセスを示すフローチャート。
【図１１】[0040]例示的な実装形態による、モバイルデバイスの位置を決定するモバイルデバイスにおいて使用する別の例示的なプロセスを示すフローチャート。
【発明を実施するための形態】
【００３１】
[0041]様々な態様は、いくつかの例示的な実施形態を対象とする以下の説明および関連する図面に開示される。本開示の範囲から逸脱することなく、代替実施形態が考案され得る。さらに、周知の要素は、本明細書で提示される例示的な技法の関連する詳細を不明瞭にしないように、詳細には説明されないことがあるか、または省略される。
【００３２】
[0042]「例示的」という単語は、本明細書では「例、事例、または例示の働きをすること」を意味するために使用される。本明細書で「例示的」と記載されたいかなる実施形態も、必ずしも他の実施形態よりも好ましいまたは有利であると解釈されるべきではない。さらに、「実施形態」および「実装形態」という互換性のある用語は、すべての実施形態／実装形態が述べられた特徴、利点、動作モードなどを含むことを必要としない。
【００３３】
[0043]本明細書で使用される用語は、特定の実施形態について説明するためのものにすぎず、実施形態を限定するものではない。本明細書で使用される単数形「ａ」、「ａｎ」および「ｔｈｅ」は、文脈が別段に明確に示さない限り、複数形をも含むものとする。本明細書で使用される場合、「備える（comprises）」、「備えている（comprising）」、「含む（includes）」、および／または「含んでいる（including）」という用語は、述べられた特徴、整数、ステップ、動作、要素、および／または構成要素の存在を明示するが、１つまたは複数の他の特徴、整数、ステップ、動作、要素、構成要素、および／またはそれらのグループの存在または追加を排除しないことがさらに理解されよう。
【００３４】
[0044]さらに、多くの実施形態が、たとえば、コンピューティングデバイスの要素によって実行されるべき一連のアクションに関して説明される。本明細書で説明される様々なアクションは、特定の回路（たとえば、特定用途向け集積回路（ＡＳＩＣ））によって、１つもしくは複数のプロセッサによって実行されるプログラム命令によって、または両方の組合せによって実行され得ることが認識されよう。加えて、本明細書で説明されるこれらの一連のアクションは、実行時に、関連付けられるプロセッサに本明細書で説明される機能を実行させる、コンピュータ命令の対応するセットを記憶した任意の形態のコンピュータ可読記憶媒体内で全体として具現化されると考えられ得る。したがって、本明細書で提示される様々な態様は、すべてが特許請求される主題の範囲内に入ることが企図されているいくつかの異なる形態で具現化され得る。
【００３５】
[0045]本明細書での説明の多くは、ワイヤレス通信システムがセルラー通信システムを備える例に向けられているが、本明細書で提示される技法は、１つまたは複数の他のワイヤレス通信システム内において様々な方法で適用され得ることを理解されたい。したがって、たとえば、本明細書で提示される技法は、既知のロケーションまたは発見可能なロケーションからいくつかの適用可能なタイプの位置信号を送信するデバイス（たとえば、アクセスポイントデバイス、専用ビーコン送信機など）を有するワイヤレスネットワークに適用またはさもなければ適応され得る。「ネットワーク」および「システム」という用語も、たとえば、ワイヤレス通信システムおよびワイヤレス通信ネットワークの場合のように、同じ態様を表すために本明細書では互換的に使用され得る。
【００３６】
[0046]図１は、１つまたは複数の例示的な実施形態による、例示的なワイヤレス通信ネットワーク１３０を示す。図示のように、ワイヤレス通信ネットワーク１３０は、セル（たとえば、セル１４２−１から１４２−１０）のネットワークと、ネットワーク１３４と、（たとえば、１つまたは複数のコンピューティングプラットフォームの全部または一部を表す）サーバ１４６と、１つまたは複数のモバイルデバイス１３６とを含む。セル（たとえば、セル１４２−１から１４２−１０）は、たとえば、この例示のために、ネットワーク１３４の雲のイメージによって全体的または部分的に表され得る、ワイヤレス通信ネットワーク１３０に関連するサービスおよびデバイス、場合によっては１つもしくは複数の外部ネットワーク、たとえば、公衆交換電話網（ＰＳＴＮ）、インターネット、イントラネットなど、特定のコンピューティングプラットフォームもしくは他の同様のデバイス、またはそれらの何らかの組合せにモバイルデバイス１３６がアクセスできるように構成され得る。
【００３７】
[0047]各セル（たとえば、セル１４２−１から１４２−１０）は、少なくとも１つの基地局（たとえば、基地局１４０−１から１４０−１０）または他の同様のトランシーバ構成のアクセスデバイスを含み得る。基地局（たとえば、基地局１４０−１から１４０−１０）は、ワイヤレス通信ネットワーク１３０によってサービスされる広い地理的エリアにわたって地理的に分散されていることがある。基地局（たとえば、基地局１４０−１から１４０−１０）は、セル（たとえば、セル１４２−１から１４２−１０）と呼ばれる、その地理的エリアの１つまたは複数のそれぞれの部分にワイヤレスカバレージを提供し得る。このため、モバイルデバイス１３６は、セル（たとえば、セル１４２−１から１４２−１０）内またはセル間で移動することができ、所与の位置において１つまたは複数の基地局（たとえば、基地局１４０−１から１４０−１０）と通信し得る。
【００３８】
[0048]異なるセル（たとえば、セル１４２−１から１４２−１０）は、たとえば、それらのセルにサービスする基地局（たとえば、基地局１４０−１から１４０−１０）によって利用される最大送信電力に応じて、異なる名目サイズ／形状を有し得る。たとえば、基地局１４０−１は、比較的大きい最大送信電力を有することができ、相応して、比較的大きいセル１４２−１内でモバイルデバイス１３６にサービスする一方、基地局１４０−８は、比較的小さい最大送信電力を有することができ、相応して、比較的小さいセル１４２−８内でモバイルデバイス１３６にサービスする。一般に、異なる既定の最大送信電力を有する（また、それによって異なる名目サイズのセルにサービスする）異なる基地局は、異なる基地局クラス（たとえば、マクロ基地局クラス、マイクロ基地局クラス、ピコ基地局クラス、フェムト基地局クラスなど）に属する。
【００３９】
[0049]異なる基地局は、異なる搬送波周波数で動作し得る。たとえば、比較的大きいセルにサービスする基地局は、一定の搬送波周波数Ｆ１で（たとえば、２ＧＨｚで）動作することができ、比較的小さいセルにサービスする基地局は、搬送波周波数Ｆ１とは異なる搬送波周波数Ｆ２で（たとえば、３．５ＧＨｚで）動作することができる。大きいセル（たとえば、マクロセル）および小さいセル（たとえば、マイクロセル、ピコセルなどのセル）を有するそのような展開は、しばしば異種ネットワーク（ＨｅｔＮｅｔ）と呼ばれる。マクロセル層および小さいセル層に異なる搬送波周波数を使用することは、ネットワーク計画を簡素化し、セル間干渉を減らす。たとえば、それは、小さいセル層がマクロセル層に干渉するのを回避し得る。
【００４０】
[0050]図１に示されているように、モバイルデバイス１３６は、その現在の図示の位置で、モバイルデバイス１３６が（たとえば、電話をする、様々なサービス／ネットワークにアクセスするなどのために）基地局１４０−４とデータを交換するように現在構成され得るという意味で、基地局１４０−４によってサービスされ得る。したがって、基地局１４０−４は、（サービングセル周波数と呼ばれる）特定の周波数で、（サービングセル帯域幅として知られている）特定の帯域幅でモバイルデバイス１３６にデータを送信し得る。したがって、この例では、モバイルデバイス１３６の観点からすると、基地局１４０−４はサービング基地局と呼ばれることがあり、セル１４２−４はサービングセルである。サービングセル１４２−４に地理的に隣接すること、またはサービングセル１４２−４と部分的に一致することがある他のセルは、近隣セルと呼ばれ得る。この例では、図１に示されるすべてのセルは、場合によってはセル１４２−１および１４２−５を除いて、セル１４２−４の近隣セルであり得る。
【００４１】
[0051]セル（たとえば、セル１４２−１から１４２−１０）の各々は（それぞれの基地局を介して）、測位信号（たとえば、測位信号１４４−２、１４４−３、１４４−４、１４４−６、および１４４−７）を周期的に送信し得る。測位信号は、たとえば、その信号を送信しているセルと、場合によってはサーバ１４６によって提供された支援データの助けをかりて、その信号を受信しているモバイルデバイス１３６によっての両方に知られていることのある所定の信号を備え得る。例示的な測位信号１４４−２、１４４−３、１４４−４、１４４−６、および１４４−７は、互いに同じまたは異なる周波数で送信され得る。たとえば、測位信号１４４−２はセル１４２−２によって、セル１４２−３によって送信される測位信号１４４−３と同じ搬送波周波数で送信され得る一方、測位信号１４４−４は、１４４−６を送信するために使用される搬送波周波数とは異なる搬送波周波数で送信され得る。同じ周波数の測位信号に対するＴＯＡ測定は、本明細書では周波数内ＴＯＡ測定と呼ばれる一方、異なる周波数の測位信号に対するＴＯＡ測定は、本明細書では周波数間ＴＯＡ測定と呼ばれる。
【００４２】
[0052]いくつかの実装形態では、「搬送波」は、３ＧＰＰ（登録商標）ＴＳ  ３６．１０４に従って「Ｅ−ＵＴＲＡまたはＵＴＲＡ物理チャネルを伝達する変調された波形」として定義され得る。搬送波周波数は、送信された測位信号の中心周波数であり得る。各動作帯域には、（特定の規格、および世界の地域に応じて）考えられる複数の搬送波周波数があり、変調された測位信号は一定の帯域幅を有する。動作中、モバイルデバイスは、その無線を所望の搬送波周波数にチューニングし、測位信号を復調する。搬送波周波数は通常、帯域が重複しないように構成される。たとえば、搬送波周波数ｆ１がＢ１の片側帯域幅を使用する場合、この信号を送信するために必要とされるスペクトルは、ｆ１を中心とする＋／−Ｂ１である。その場合、別個の搬送波周波数ｆ２は、ｆ１＋／−Ｂ１によってカバーされるスペクトルの外になければならず、そうでない場合、ｆ１およびｆ２での２つの送信された信号は、重複し、互いに干渉することになる。許容される搬送波周波数は、特定の規格において定義される。規格は、許容される搬送波周波数が「理にかなっている」（たとえば、重複するスペクトル、または任意の他の制限をもたらさない）ことを確実にする。
【００４３】
[0053]この例示的な方法でセルによって送信された測位信号（たとえば、測位信号１４４−２、１４４−３、１４４−４、１４４−６、および１４４−７）は、モバイルデバイス１３６によって獲得され、少なくとも部分的に、モバイルデバイス１３６の位置を決定するために使用され得る測位信号測定を決定するために使用され得る。たとえば、いくつかの測位信号測定が使用されること、たとえば、モバイルデバイス１３６の相対または他の同様の座標ベースの位置ロケーション（たとえば、地理的位置など）を決定するために既知のマルチラテレーション（multilateration）技法などにおいて適用されることがある。
【００４４】
[0054]一実施形態では、モバイルデバイス１３６は、少なくとも部分的にそのような目的を達成するために、ネットワーク１３４上でサーバ１４６（たとえば、場合によってはロケーションサーバ）と通信し得る。モバイルデバイス１３６とサーバ１４６との間の通信は、たとえば、モバイルデバイス１３６とサーバ１４６との間の１つまたは複数のトランザクションを含み得る。トランザクションは、ほんの数例を挙げると、能力の交換、サーバ１４６への測定１０４（たとえば、基準信号時間差（ＲＳＴＤ））の転送、場合によってはモバイルデバイス１３６が一定の測位信号測定を実行するのを支援するためのサーバ１４６からモバイルデバイス１３６への支援データ（ＡＤ）１０２の転送、またはそれらの測定に関係する随意の測定記述１０４（たとえば、モバイルデバイス１３６の決定された位置の全部もしくは一部）の転送など、特定の動作に関し得る。
【００４５】
[0055]支援データ１０２は、たとえば、サーバ１４６によって生成され、またはさもなければ取得／記憶され、モバイルデバイス１３６に転送され得る。モバイルデバイス１３６は、いくつかの例示的な実装形態では、異なるセル（たとえば、セル１４２−１から１４２−１０）からの測位信号（たとえば、測位信号１４４−２、１４４−３、１４４−４、１４４−６、および１４４−７）の１つまたは複数のペアに関する１つまたは複数のＯＴＤＯＡ測定を決定しようと試み得る。
【００４６】
[0056]図２は、それぞれの基地局２０６および２０８によって送信された測位信号２０２および２０４の周波数間タイミング測定を実行するように構成された例示的なモバイルデバイス２００の機能ブロック図である。モバイルデバイス２００は、たとえば、図１のモバイルデバイス１３６など、モバイルデバイスの例示的な実装形態において提供され得る特徴のサブセットを表す一方、基地局２０６および２０８は、ワイヤレス通信ネットワーク１３０に含まれ得る基地局および／または他の同様のトランシーバデバイスのいずれかを表す図示の例である。より具体的には、この説明において、モバイルデバイス２００の図示の例は、（たとえば、受信機２１２によって表される）ＲＦフロントエンドとベースバンドプロセッサ２１４とを含む。図２に示されているように、基地局２０６は、搬送波周波数Ｆ１で測位信号２０２を送信するように構成され得る一方、基地局２０８は、周波数Ｆ１とは別個の区別可能な周波数である搬送波周波数Ｆ２で測位信号２０４を送信するように構成され得る。各測位信号の測定されたＴＯＡ（τ）は、それぞれの測位信号が送信側基地局のアンテナと受信側モバイルデバイスのアンテナとの間の距離を伝搬するのにかかったそれぞれの時間を示す。例として、測位信号２０２に関するＴＯＡτ１がτ１＝ｄ１／Ｃとして表されてよく、式中、ｄ１が基地局２０６とアンテナ２１０との間の距離であり、Ｃが（真空内での）光速である。同様に、測位信号２０４に関するＴＯＡτ２がτ２＝ｄ２／Ｃとして表されてよく、式中、ｄ２が基地局２０８とアンテナ２１０との間の距離である。
【００４７】
[0057]上述のように、周波数内測位信号に関する基準信号時間差（ＲＳＴＤ）を計算するときには、測位信号が遭遇する群遅延が同じであり得、したがって、モバイルデバイス２００は、測位信号２０２および２０４に関するＲＳＴＤ測定がＲＳＴＤ2,1＝（ｄ２−ｄ１）／Ｃとして表されるように、測定されたＴＯＡを差し引くことができる。一方、周波数間測位信号に関する基準信号時間差（ＲＳＴＤ）を計算するときには、異なる群遅延に直面する可能性がある信号に起因するＴＯＡ測定の影響を考慮することが有用であり得る。したがって、周波数間の場合、測位信号２０２および２０４に関する例示的なＲＳＴＤ測定がＲＳＴＤ2,1＝（ｄ２−ｄ１）／Ｃ＋Δ（Ｆ1，Ｆ2）として表されてよく、式中、Δ（Ｆ1，Ｆ2）が、測位信号２０４が遭遇する群遅延とは異なり得る測位信号２０２が遭遇する群遅延によって引き起こされる周波数間バイアスを表す。周波数間測定に関する測定されたＲＳＴＤ（たとえば、測定２１６）は、たとえば、伝搬距離差により正確に対応するように補償され得る。すなわち、（異なる搬送波周波数に対する）異なる受信機チェーンは通常、異なる群遅延を有し、これはＲＳＴＤ測定のパフォーマンスに影響を与え得る。このため、いくつかのシステムにおける周波数間ＲＳＴＤ測定に関する所望の（場合によっては最小の）パフォーマンス要件は、周波数内測定と比較して緩和され得る（たとえば、周波数内ＲＳＴＤ測定の場合の＋／−５Ｔｓと比較して、周波数間の場合は＋／−９Ｔｓであり［３ＧＰＰ  ＴＳ  ３６．１３３］、式中、Ｔｓが、ＬＴＥにおける基本時間単位であり、（約９．８メートルに対応する）３２ｎｓを少し上回る１／（１５０００×２０４８）秒に等しい。したがって、いくつかのシステムにおける周波数間ＲＳＴＤ測定誤差は、周波数内ＲＳＴＤ測定誤差の約２倍の大きさであり得る。
【００４８】
[0058]いくつかのシステムは、特定のモバイルデバイスがサポートし得る搬送波周波数に関する様々な周波数間バイアス補償を含む静的なルックアップテーブルをモバイルデバイスに（たとえば、メモリに）含めることによって、周波数間補償を実現しようと試みることがある。実際には、これは、異なる群遅延に対してＲＳＴＤ測定を補償するために、異なる搬送波周波数ペアに関する較正テーブルをモバイルデバイスが維持する必要があり得ることを意味する。複数の周波数帯域をサポートするモバイルデバイスの場合、サポートされる搬送波周波数ごとに群遅延が異なり得るので、そのようなテーブルは非常に大きくなり得る。さらに、群遅延は、たとえば、温度、帯域幅および様々な実装制限（たとえば、大容量フィルタ部分の特性の相違）により変わり得るので、そのような静的較正テーブルは、決して理想的ではないことがある。したがって、いくつかのシステムにおける周波数間ＲＳＴＤ測定によるＯＴＤＯＡ測位は、周波数内ＲＳＴＤ測定のみが使用される場合と比較して、正確性が低いことがある。だが、実際の展開では、ＲＳＴＤ測定は通常、図１に関して上記で説明されたように、異なる搬送波周波数で動作する基地局から必要とされる。
【００４９】
[0059]したがって、本開示のいくつかの態様によれば、モバイルデバイスの位置決定をサポートするために、または他の目的のために使用され得、周波数間ＯＴＤＯＡ測定を利用する、たとえば、最初の（補償されていない可能性が高い）決定されたＯＴＤＯＡ測定に応答して周波数間バイアス補償が（動的に）計算され得る、いくつかの例示的な技法が提供される。一事例では、たとえば、サーバ（たとえば、ロケーションサーバなど）が、（モバイルデバイスにおいて周波数バイアス補償を実行しようと試みる代わりに）最初の決定されたＯＴＤＯＡ測定に応答して周波数バイアス補償を解くように構成され得る。すなわち、モバイルデバイス周波数間群遅延バイアスが、（同じ搬送波周波数ペアに対して実行される周波数間ＲＳＴＤ測定に共通の）共通バイアスであり得る。この未知のバイアスは、コスト関数に追加の未知数として追加され得る。（たとえば、テイラー級数推定を介した）そのようなコスト関数の最小化は、モバイルデバイスの推定位置ならびにモバイルデバイス周波数バイアス（それによりＲＳＴＤ測定が補正／補償される）をもたらし得る。この手法により、周波数間ＯＴＤＯＡパフォーマンスは、周波数内ＲＳＴＤと同じであること、または周波数内ＲＳＴＤのパフォーマンスに近づくことがある。
【００５０】
[0060]一態様では、モバイルデバイス（たとえば、モバイルデバイス１３６）がサーバ１４６（たとえば、ロケーションサーバなど）に、測定記述１０４によって、サーバが周波数間バイアス補償を解くことを期待されているか否か、モバイルデバイスが何らかの形式周波数間バイアス補償を１つもしくは複数の対応する決定された測定にすでに適用していることがあるか否か、または両方についてシグナリングし得る。たとえば、測定記述は、提供された周波数間ＲＳＴＤ測定（たとえば、ＯＴＤＯＡ測定）が、たとえば、決定されたＯＴＤＯＡ測定において使用された測位信号の周波数の間の差に起因して発生していることがある群遅延バイアスに対して補償されている、または補償されていないことをサーバに示すフラグ（たとえば、１つまたは複数のビット）を、ＬＴＥ測位プロトコル（ＬＰＰ）ロケーション情報提供メッセージなどのＬＰＰメッセージに備え得る。
【００５１】
[0061]別の態様では、（全体的にまたは部分的に）サーバに提供され得る特定の同様の（動的な）周波数間バイアス決定能力が、代わりに、またはさらに、モバイルデバイスベースのＯＴＤＯＡのためにモバイルデバイスにおいて（全体的にまたは部分的に）実装され得る。実際、いくつかの実装形態では、位置計算の全部または一部は、そのようなモバイルデバイスによって実行され得る。
【００５２】
[0062]いくつかの実施形態では、周波数間バイアスが位置計算関数における追加の未知の変数として扱われ得る。たとえば、上述のように、モバイルデバイスによって測定された到着時間（ＴＯＡ）値は、モバイルデバイスと基地局との間の幾何学的距離に関係し得る。モバイルデバイスにおいて測定されたＮ個のＴＯＡ値は、次のように記述され得る。
【００５３】
【数１】
2018510331.tif 000003
【００５４】
【数２】
2018510331.tif 000004
【００５５】
【数３】
2018510331.tif 000005
【００５６】
【数４】
2018510331.tif 000006
【００５７】
【数５】
2018510331.tif 000007
【００５８】
式中、
【００５９】
【数６】
2018510331.tif 000008
【００６０】
は、基地局ｉに関してモバイルにおいて測定されたＴＯＡである。
Ｔiは、基地局ｉがダウンリンクサブフレームを送信する送信時間である。
ｄiは、モバイルデバイスのアンテナと基地局ｉのアンテナとの間の距離である。
ｃは、電波の速さ（光速）である。
Δｆiは、搬送波周波数ｆiでの信号に関するフロントエンドの群遅延である。
εiは、雑音、干渉などに起因する測定誤差である。
【００６１】
[0063]上記の式（１）において、ＴＯＡ測定１〜ｉが、搬送波周波数ｆ1での１つまたは複数の基地局送信測位信号に対して実行され、ＴＯＡ測定（ｉ＋１）〜Ｎが、搬送波周波数ｆ2での１つまたは複数の基地局送信測位信号に対して実行されると仮定される。
【００６２】
[0064]ＯＴＤＯＡロケーションにおいて、ネイバー基地局から測定されたＴＯＡが、基準基地局から測定されたＴＯＡから差し引かれ得る。これらのＴＯＡ差は、ＯＴＤＯＡとして、または、たとえば測位基準信号などの基準信号からＴＯＡが測定されるので、基準信号時間差（ＲＳＴＤ）として定義され得る。
【００６３】
[0065]基準基地局からのＴＯＡ測定を
【００６４】
【数７】
2018510331.tif 000009
【００６５】
として定義すると、ＯＴＤＯＡは以下によって与えられ得る。
【００６６】
【数８】
2018510331.tif 000010
【００６７】
【数９】
2018510331.tif 000011
【００６８】
【数１０】
2018510331.tif 000012
【００６９】
【数１１】
2018510331.tif 000013
【００７０】
[0066]式（２）は、ネイバーセル搬送波周波数が基準セルの搬送波周波数とは異なる場合（式（２ｃ）〜（２ｄ））に周波数間バイアス（Δf2−Δf1）を含む。周波数内測定の場合（式（２ａ）〜（２ｂ））、群遅延バイアスは基本的に、時間差を実行するときに消える。
【００７１】
[0067]式（２）は、基地局送信の時間差（Ｔi−Ｔ1）を含む。これらの基地局同期差は、ＯＴＤＯＡロケーションにおける「Ｒｅａｌ  Ｔｉｍｅ  Ｄｉｆｆｅｒｅｎｃｅ（ＲＴＤ）」と呼ばれることが多い。したがって、式（２）を再構成すると、次のようになる。
【００７２】
【数１２】
2018510331.tif 000014
【００７３】
【数１３】
2018510331.tif 000015
【００７４】
【数１４】
2018510331.tif 000016
【００７５】
【数１５】
2018510331.tif 000017
【００７６】
[0068]一般性を失わずに、たとえば、ｘ−ｙ平面において２次元直交座標系を採用し、モバイルロケーション座標を（ｘ，ｙ）として、基地局ｉ座標を（ｘi，ｙi）として示すことができる。その場合、距離ｄiは
【００７７】
【数１６】
2018510331.tif 000018
【００７８】
と記述され得、式（３）は以下に展開され得る。
【００７９】
【数１７】
2018510331.tif 000019
【００８０】
【数１８】
2018510331.tif 000020
【００８１】
【数１９】
2018510331.tif 000021
【００８２】
【数２０】
2018510331.tif 000022
【００８３】
[0069]いくつかの実装形態におけるＯＴＤＯＡロケーションの場合、ネットワークが同期化され得る、すなわち、結果的にＲＴＤがゼロまたは何らかの他の既知の値になり得る。ＲＴＤi,1＝０と仮定すると、式（５）は次のように簡素になる。
【００８４】
【数２１】
2018510331.tif 000023
【００８５】
【数２２】
2018510331.tif 000024
【００８６】
【数２３】
2018510331.tif 000025
【００８７】
【数２４】
2018510331.tif 000026
【００８８】
[0070]測定誤差がない（εi＝０）場合、式（６）のセットは３つの未知数、すなわち、モバイルロケーション座標（ｘ，ｙ）と周波数間バイアス（Δf2−Δf1）とを含む。したがって、いくつかの事例では、ＯＴＤＯＡi,1がモバイルデバイスによって決定され得、基地局座標（ｘi，ｙi）は既知であるか、またはさもなければ、たとえば、ネットワーク内の様々なリソースを介して決定可能であり得る。
【００８９】
[0071]式（６）のセットは、行列表記法を使用して簡潔な記述され得る。
【００９０】
【数２５】
2018510331.tif 000027
【００９１】
式中、
ｒは、ＯＴＤＯＡ測定のＮ−１次元列ベクトルである。
ｆは、レンジ差と周波数間バイアスとを含むＮ−１次元列ベクトルである。
【００９２】
【数２６】
2018510331.tif 000028
【００９３】
ｘは、（未知の）モバイルロケーション［ｘ，ｙ］Tである。
ｂは、周波数間測定バイアスｂi＝（Δf2−Δf1）＝Δ（ｆ1，ｆ2）を含むＮ−１次元列ベクトルである。
ＯＴＤＯＡ測定（ｉ，１）が周波数内測定である場合、ｂi＝０である。
ｎは、ＯＴＤＯＡ測定誤差を含むＮ−１次元列ベクトルである。
【００９４】
[0072]ｘおよびｂが未知であるがランダムではないベクトルと見なされ、ｎがゼロ平均とガウス分布とを有すると仮定される場合、ｘとｂとを与えられたｒの条件付き確率密度関数は、
【００９５】
【数２７】
2018510331.tif 000029
【００９６】
となり、式中、Ｎが、測定誤差の共分散行列である。
【００９７】
【数２８】
2018510331.tif 000030
【００９８】
[0073]したがって、最尤推定量は、以下のコスト関数を最小化する値ｘ、ｂである。
【００９９】
【数２９】
2018510331.tif 000031
【０１００】
[0074]したがって、
【０１０１】
【数３０】
2018510331.tif 000032
【０１０２】
[0075]例示的な実施形態では、ナビゲーション解法がテイラー級数推定によって提供され得る。たとえば、式（７）における関数ｆ（ｘ，ｂ）は、非線形ベクトル関数である。したがって、コスト関数（１１）を最小化するための１つの手法は、ｆ（ｘ，ｂ）を線形化することである。たとえば、ｆ（ｘ，ｂ）は基準点（ｘ0，ｂ0）を中心としてテイラー級数推定において展開され得、第２項以上は無視され得る。未知数のベクトルｚ＝［ｘ，ｂ］＝（ｘ，ｙ，Δ（ｆ1，ｆ2））＝（ｘ，ｙ，ｂ）を定義すると、関数ｆ（ｚ）は以下のように表され得る。
【０１０３】
[0076]以下の通り：
【０１０４】
【数３１】
2018510331.tif 000033
【０１０５】
式中、
【０１０６】
【数３２】
2018510331.tif 000034
【０１０７】
となる。
【０１０８】
[0077]したがって、いくつかの実装形態では、ｚ0がｚに十分に近いので、（１３）の線形化は正確な概算であると仮定することができる。（１１）と（１３）とを組み合わせると、
【０１０９】
【数３３】
2018510331.tif 000035
【０１１０】
となり、ここでは、
【０１１１】
【数３４】
2018510331.tif 000036
【０１１２】
である。
【０１１３】
[0078]Ｑを最小化するために、
【０１１４】
【数３５】
2018510331.tif 000037
【０１１５】
を計算し、∇zＱ（ｚ）＝０となるようなｚを解くことができる。したがって、
【０１１６】
【数３６】
2018510331.tif 000038
【０１１７】
[0079]ここで、以下を設定することができる。
【０１１８】
【数３７】
2018510331.tif 000039
【０１１９】
[0080]ＧTＮ-1Ｇが正則であると仮定すると、以下を得ることができる。
【０１２０】
【数３８】
2018510331.tif 000040
【０１２１】
[0081]（１６）を（２０）に代入すると、以下のようになる。
【０１２２】
【数３９】
2018510331.tif 000041
【０１２３】
[0082]式（２１）は、周波数間バイアス補償とともにモバイルロケーションの所望の推定値を与える。行列Ｇは、式（１４）によって与えられ、（８）により、偏導関数は以下のようになる。
【０１２４】
【数４０】
2018510331.tif 000042
【０１２５】
[0083]Ｇにおける最後の列は、ゼロまたは１のいずれかの値を含む。それは、測定ＯＴＤＯＡi1が周波数内測定である場合は０であり、測定ＯＴＤＯＡi1が周波数間測定である場合は１である。
【０１２６】
[0084]式（２１）は、周波数間バイアス補償とともにモバイルデバイスロケーションを推定するための反復手順を記述している。開始点ｚ0＝（ｘ0，ｙ0，ｂ0）は、モバイルデバイスのセルＩＤロケーションなどの助けをかりて選択され得、ｂ0は、０に設定され得る。この初期推測により、モバイルデバイス位置および周波数間バイアス補償
【０１２７】
【数４１】
2018510331.tif 000043
【０１２８】
は、（２１）に従って計算され得る。次のステップにおいて、この推定位置および周波数間バイアス補償
【０１２９】
【数４２】
2018510331.tif 000044
【０１３０】
は、新しい初期推測として使用され得る。反復は、推定位置の変化が本質的にゼロであるときには収束している。
【０１３１】
[0085]上記の例示的な手順は、２つの搬送波周波数でのＴＯＡ測定を仮定している。しかしながら、説明された手順は、２つの搬送波周波数に限定されない。当業者は、（たとえば）式２２のＧ行列に第４の列を追加し、周波数の別のペア間の周波数間バイアス補償を記述することによって、手順を（たとえば）３つの搬送波周波数に拡張することができる。
【０１３２】
[0086]図３は、少なくとも部分的に、モバイルデバイス（たとえば、図１のモバイルデバイス１３６および／または図２のモバイルデバイス２００）の位置を決定するためにモバイルデバイスにおいて使用する例示的なプロセス３００Ａを示すフローチャートである。プロセスブロック３０２において、モバイルデバイスは、第１の測位信号（たとえば、測位信号２０２）と第２の測位信号（たとえば、測位信号２０４）とを獲得し得る。一態様では、モバイルデバイスは、サーバ１４６によって提供された支援データ１０２に応答して、第１および第２の測位信号を獲得する。支援データ１０２は、１つまたは複数のＯＴＤＯＡ測定を決定するためにモバイルデバイスによって使用されるべき測位信号の関連情報（たとえば、搬送波周波数）を含み得る。したがって、一例では、支援データは、（第１の）基地局２０６によって送信された（第１の）測位信号２０２に、また（第２の）基地局２０８よって送信された（第２の）測位信号２０４に対応し、ここで、第１の測位信号が第１の周波数（たとえば、Ｆ１）で送信され、第２の測位信号が第１の周波数とは別個で区別可能である第２の周波数（たとえば、Ｆ２）（たとえば、Ｆ１≠Ｆ２）で送信される。
【０１３３】
[0087]プロセスブロック３０４において、モバイルデバイスは、第１および第２の測位信号のペアの到着時間差の第１の測定を実行し得る。一例では、第１の測定を実行することは、第１および第２の測位信号の観測到着時間差（ＯＴＤＯＡ）測定を実行することを含む。プロセスブロック３０４において、第１の周波数（たとえば、Ｆ１）、第２の周波数（たとえば、Ｆ２）、または第１の周波数と第２の周波数の両方（たとえば、Ｆ１およびＦ２）に対応するいかなる周波数間関連遅延（たとえば、群遅延）に対しても第１の測定が補償されていない。したがって、プロセスブロック３０４においてモバイルデバイスによって行われたいかなる最初のＲＳＴＤ決定も、第１の測位信号の第１の周波数と第２の測位信号の第２の周波数との間の差に対する周波数間バイアス補償を含まず、したがって、第１および／または第２の測位信号が遭遇し得る異なる群遅延に対して補償されていない。
【０１３４】
[0088]プロセスブロック３０６において、モバイルデバイスにおいて第１の測定に周波数間バイアス補償を適用するか否かについて決定が行われ得る。いくつかの実装形態では、モバイルデバイスは、ほんの数例を挙げると、第１もしくは第２の測位信号のうちの１つもしくは複数、モバイルデバイスおよび／もしくはサーバの能力、リソースのうちの１つもしくは複数、またはモバイルデバイス、サーバ、ネットワークに関して入手可能な他の関連情報、あるいはそれらの何らかの組合せなど、１つまたは複数の要因に基づいて、何らかの形式の周波数間バイアス補償を適用するか否かを選択的に決定し得る。例として、モバイルデバイスにおいて第１の測定に周波数間バイアス補償を適用するか否かの決定は、サーバ（たとえば、ロケーションサーバ１４６）の、サーバにおいて周波数間関連遅延に対して補償する既知の、または動的に決定された能力に基づき得る。図４は、そのような例示的な実装形態による、モバイルデバイスにおいて周波数間バイアス補償を適用するかどうかを決定する例示的なプロセス４００を示すフローチャートである。図示の例では、プロセスブロック４０２は、モバイルデバイスがサーバ（たとえば、サーバ１４６）からメッセージを受信することを含む。一実施形態では、モバイルデバイスにおいて受信されたメッセージは、周波数間関連遅延に対してサーバにおいて測定を補償する能力をサーバが含むかどうかを示すＬＴＥ測位プロトコル（ＬＰＰ）メッセージである。サーバからメッセージを受信すると、モバイルデバイスは、次いでプロセスブロック４０４において、周波数間関連遅延に対して測定を補償する能力をサーバが実際に有することをメッセージが示すかどうかを決定し得る。サーバから受信されたメッセージが、周波数間関連遅延に対して測定を補償する能力をサーバが有することを示す場合に、プロセスブロック４０８は、第１の測定に周波数間バイアス補償を適用しないことを決定することを含み、プロセス３００（図３参照）は、プロセスブロック３０８に進み、モバイルデバイスは、第１の（すなわち、補償されていない）測定をサーバに送る。一態様では、プロセスブロック３０８に示されているように、モバイルデバイスは、第１の測定に加えて第１の測定記述をサーバに送り得る。第１の測定記述は、とりわけ、周波数間関連遅延に対してモバイルデバイスにおいて第１の測定が補償されていない（たとえば、モバイルデバイスが第１の測定に周波数間バイアス補償を適用していない）ことを示し得る。一実施形態では、第１の測定記述をサーバに送ることは、ＬＴＥ測位プロトコル（ＬＰＰ）メッセージを送ることを含む。ＬＰＰメッセージはフラグを含むことができ、フラグの論理状態が、周波数間関連遅延に対して対応する第１の測定が補償されているかどうかを示す。以下でより詳細に説明されるように、サーバ（たとえば、サーバ１４６）は次いで、サーバにおいて第１の測定の周波数間バイアス補償を決定し、少なくとも、モバイルデバイスの位置を決定することができる。
【０１３５】
[0089]ここで図４に戻ると、プロセスブロック４０２においてサーバから受信されたメッセージが、周波数間関連遅延に対して測定を補償する能力をサーバが有しないことを示す場合に、プロセスブロック４０６は、モバイルデバイス自体において第１の測定に周波数間バイアス補償を適用することを決定することを含む。したがって、そうである場合、プロセス３００（図３参照）はプロセスブロック３１０に進み、モバイルデバイスは、補償された測定を生成するために第１の測定に周波数間バイアス補償を適用する。一例では、モバイルデバイスにおいて第１の測定に周波数間バイアス補償を適用することは、周波数間バイアス補償の値を決定することを含む。いくつかの実装形態では、モバイルデバイスが、プロセスブロック３１０においてモバイルデバイスによって行われたＲＳＴＤ決定に対して適用され得る第１および第２の周波数に関する周波数間バイアス補償に対応する較正テーブルまたは他の機構を含み得る。別の実装形態では、モバイルデバイスは、プロセスブロック３１０において周波数間バイアス補償を（動的に）計算し得る。すなわち、モバイルデバイスは、モバイルデバイスの推定位置と周波数間バイアス補償とを提供するために上記で説明された式２１などの反復手順を実行することによって、計算された周波数間バイアス補償に基づいて周波数間関連遅延に対して第１の測定を補正またはさもなければ調整することができる。いくつかの例示的な実装形態では、モバイルデバイスは、たとえば、場合によっては、モバイルデバイスがより正確な較正テーブルまたは他の同様の能力を経時的に更新および維持できるようにするために、将来のＲＳＴＤ測定において使用する１つまたは複数の決定された周波数間バイアス補償をローカルに（すなわち、モバイルデバイスにおいて）記憶するように随意に構成され得る。
【０１３６】
[0090]プロセスブロック３１２において、モバイルデバイスは次いで、補償された測定をサーバに送り、サーバは、補償された測定に基づいてモバイルデバイスの位置を決定し得る。上記のプロセスブロック３０８と同様に、モバイルデバイスは、補償された測定に加えて第２の測定記述をサーバに送り得る。第２の測定記述は、とりわけ、周波数間関連遅延に対してモバイルデバイスにおいて補償された測定が補償されている（たとえば、モバイルデバイスが第１の測定に周波数間バイアス補償を適用している）ことを示し得る。一実施形態では、第２の測定記述をサーバに送ることは、ＬＴＥ測位プロトコル（ＬＰＰ）メッセージを送ることを含む。ＬＰＰメッセージはフラグを含むことができ、フラグの論理状態が、周波数間関連遅延に対して対応する第１の測定が補償されているかどうかを示す。以下でより詳細に説明するように、サーバ（たとえば、サーバ１４６）は次いで、補償された測定に基づいてモバイルデバイスの位置を決定し得る。
【０１３７】
[0091]いくつかの態様では、第２の測定記述は、モバイルデバイスの位置を決定するのを助けるか、またはさもなければモバイルデバイスの位置を決定する際にサーバによって利用されるさらなる情報を含み得る。たとえば、第２の測定記述は、プロセスブロック３１０においてモバイルデバイスによって第１の測定に適用された周波数間バイアス補償の値を示す情報をさらに含み得る。別の実装形態では、第２の測定記述は、プロセスブロック３１０においてモバイルデバイスによって第１の測定に適用された周波数間バイアス補償のタイプをさらに含み得る。例として、第２の測定記述は、モバイルデバイスによって適用された周波数間バイアス補償が、（上記で説明された）較正テーブルから取り出されたタイプであったか、または（たとえば、式２１によって）動的に計算されたタイプのものであったことを示し得る。別の実装形態では、第２の測定記述は、プロセスブロック３１０において第１の測定に適用された周波数間バイアス補償の信頼性または正確性を示す、モバイルデバイスによって決定されたメトリックをさらに含み得る。また別の実装形態では、第２の測定記述は、プロセスブロック３１０においてモバイルデバイスによって適用された周波数間バイアス補償の経過期間を示す。すなわち、経過期間は、周波数間バイアス補償が較正テーブルに入れられた時および／または周波数間バイアス補償がモバイルデバイスによって動的に計算された時を示し得る。さらなる実装形態では、第２の測定記述は、到着時間差の第１の測定を実行するためにモバイルデバイスによって使用されたデータの少なくとも一部分を含み得る。たとえば、第１の測定を実行するためにモバイルデバイスによって使用されたデータの一部分は、プロセスブロック３０２において獲得された第１の測位信号の到着時間（たとえば、タイムスタンプ）、および／または第２の測位信号の到着時間（たとえば、タイムスタンプ）を含み得る。
【０１３８】
[0092]図５は、例示的な実装形態による、モバイルデバイスの位置を決定する、サーバ（たとえば、サーバ１４６）によって使用される例示的なプロセス５００を示すフローチャートである。プロセスブロック５０２において、サーバが、モバイルデバイス（たとえば、モバイルデバイス１３６および／または２００）によって決定された第１の測位信号と第２の測位信号との間の到着時間差の第１の測定を取得し得る。上記で説明されたように、第１の測位信号は、第１の周波数（たとえば、Ｆ１）で送信された測位信号２０２に対応し、第２の測位信号は、第１の周波数とは別個で区別可能である第２の周波数（たとえば、Ｆ２）（たとえば、Ｆ１≠Ｆ２）で送信された測位信号２０４に対応する。
【０１３９】
[0093]プロセスブロック５０４において、サーバは次いで、プロセスブロック５０２において取得された第１の測定に対応する測定記述を取得する。測定記述は、とりわけ、周波数間関連遅延に対してモバイルデバイスにおいて第１の測定が補償されているか否か（たとえば、モバイルデバイスが第１の測定に周波数間バイアス補償を適用しているかどうか）ことを示し得る。一実施形態では、サーバにおいて測定記述を取得することは、ＬＴＥ測位プロトコル（ＬＰＰ）メッセージを受信することを含む。上記で説明されたように、ＬＰＰメッセージはフラグを含むことができ、フラグの論理状態が、周波数間関連遅延に対して対応する第１の測定が補償されているかどうかを示す。したがって、プロセスブロック５０６は、サーバにおいて受信された測定記述が、第１の周波数（たとえば、Ｆ１）、第２の周波数（たとえば、Ｆ２）、または第１の周波数と第２の周波数の両方に対応する周波数間関連遅延に対してモバイルデバイスによって第１の測定が補償されていることを示すかどうかを決定することを含む。
【０１４０】
[0094]プロセスブロック５０４においてサーバによって取得された測定記述が、周波数間関連遅延に対してモバイルデバイスによって第１の測定が補償されていないことを示す場合、プロセス５００はプロセスブロック５１０に進み、サーバは、サーバ自体において第１の測定に適用されるべき周波数間バイアス補償の値を決定する。いくつかの実装形態では、サーバが、モバイルデバイスによって行われたＲＳＴＤ決定（たとえば、第１の測定）に対して適用され得る第１および第２の周波数に関する周波数間バイアス補償に対応する較正テーブルまたは他の機構を含み得る。たとえば、サーバは特定のモバイルデバイスを、測定記述に含まれるか、またはモバイルデバイスによってサーバに別途提供され得る、モバイルデバイスのハードウェアを一意に識別する国際移動局機器識別情報（ＩＭＥＩ：International Mobile Station Equipment Identity）または任意の他の識別情報を介して認識し得る。ロケーションサーバは、この特定のモバイルデバイスに関する周波数間バイアス補償値を以前決定していることがあり、サーバにおいて較正テーブルにこの値を記憶していることがある。別の実装形態では、サーバは、プロセスブロック５１０において周波数間バイアス補償を（動的に）計算し得る。すなわち、サーバは、計算された周波数間バイアス補償に基づいて、周波数間関連遅延に対して第１の測定を補正またはさもなければ調整し得る。プロセス５００は次いでプロセスブロック５１２に進み、サーバは、補償された測定を生成するために第１の測定に周波数間バイアス補償を適用し、次いで、補償された測定に基づいてモバイルデバイスの位置を決定する（すなわち、プロセスブロック５１４）。一実施形態では、プロセスブロック５１０、５１２、および５１４は組み合わせられて、周波数間バイアス補償ならびに第１の（補償されていない）測定に基づくモバイルデバイスの位置を提供する式２１を参照しながら上記で説明された反復手順によって具現化される。
【０１４１】
[0095]ここでプロセスブロック５０６に戻ると、プロセスブロック５０４においてサーバによって取得された測定記述が、周波数間関連遅延に対してモバイルデバイスによって第１の測定が補償されていることを示す場合、プロセス５００はプロセスブロック５０８に進み、サーバは、第１の（補償された）測定に基づいてモバイルデバイスの位置を決定する。したがって、一例では、サーバは、サーバにおいて周波数間バイアス補償を決定することなく、第１の（補償された）測定に基づいてモバイルデバイスの位置を決定し得る。
【０１４２】
[0096]一方、いくつかの実装形態では、サーバは、モバイルデバイスによって第１の測定がすでに補償されていることを測定記述が示す場合でも、サーバにおいて新しい周波数間バイアス補償を決定することを決定し得る。たとえば、上述のように、サーバによって受信された測定記述は、周波数間関連遅延に対して第１の測定が補償されているかどうかを示すことにとどまらない、追加情報を含み得る。いくつかの実装形態では、測定記述は、モバイルデバイスによって第１の測定に適用された周波数間バイアス補償のタイプをさらに含み得る。例として、測定記述は、モバイルデバイスによって適用された周波数間バイアス補償が、（上記で説明された）較正テーブルから取り出されたタイプのものであったか、または（たとえば、式２１によって）動的に計算されたタイプのものであったことを示し得る。この例では、サーバは、モバイルデバイスによって適用された周波数間バイアス補償が較正テーブルから取り出されたタイプのものであったことを測定記述が示す場合には、新しい周波数間バイアス補償を決定することを決定し得るが、モバイルデバイス適用済み周波数間バイアス補償がモバイルデバイスによって動的に計算されたタイプのものであった場合には、新しい周波数間バイアス補償を決定しないことを決定し得る。
【０１４３】
[0097]別の実装形態では、測定記述は、モバイルデバイスによって第１の測定に適用された周波数間バイアス補償の信頼性または正確性を示す、モバイルデバイスによって決定されたメトリックをさらに含み得る。この例では、サーバは新しい周波数間バイアス補償を、モバイルデバイスによって適用された周波数間バイアス補償の信頼性または正確性が信頼性／正確性しきい値未満であることをメトリックが示す場合には決定することを決定し得るが、メトリックが信頼性／正確性しきい値以上である場合には決定しないことを決定し得る。
【０１４４】
[0098]また別の実装形態では、測定記述は、モバイルデバイスによって適用された周波数間バイアス補償の経過期間を示す。すなわち、経過期間は、周波数間バイアス補償がモバイルデバイスにおいて較正テーブルに入れられた時および／または周波数間バイアス補償がモバイルデバイスによって動的に計算された時を示し得る。この例では、サーバは新しい周波数間バイアス補償を、モバイルデバイスによって適用された周波数間バイアス補償の経過期間が経過期間しきい値を上回る（周波数間バイアス補償が古いかもしれないことを示す）場合には決定することを決定し得るが、経過期間が経過期間しきい値を下回る（周波数間バイアス補償が新しい可能性が高いことを示す）場合には決定しないことを決定し得る。別の例では、サーバは、モバイルデバイスによって適用された周波数間バイアス補償の経過期間を、サーバによって以前決定された周波数間バイアス補償の経過期間と比較することができ、その場合にサーバは、２つの周波数間バイアス補償のうち新しい方を適用し得る。
【０１４５】
[0099]さらなる実装形態では、測定記述は、到着時間差の第１の測定を実行するためにモバイルデバイスによって使用されたデータの少なくとも一部分を含み得る。たとえば、第１の測定を実行するためにモバイルデバイスによって使用されたデータの一部分は、モバイルデバイスによって獲得された第１の測位信号の到着時間（たとえば、タイムスタンプ）および／または第２の測位信号の到着時間（たとえば、タイムスタンプ）を含み得る。したがって、モバイルデバイスの位置を決定するプロセスブロック５０８および／または５１４は、測定記述に含まれるデータに基づいて、サーバにおいてＲＳＴＤ計算を決定することを含み得る。
【０１４６】
[00100]図６は、例示的な実装形態による、サーバによって新しい周波数間バイアス補償を決定することを含むモバイルデバイスの位置を決定する、サーバによって使用される例示的なプロセス６００を示すフローチャートである。言い換えれば、サーバが、本明細書の教示によれば、モバイルデバイスによって適用された周波数間バイアス補償を取り消すか、またはさもなければ無効にすることができる。上記で説明されたように、いくつかの実装形態では、新しい周波数間バイアス補償を決定するとの決定は、受信された測定記述に含まれる情報に基づき得る。さらに、新しい周波数間バイアス補償の値の決定は、測定記述に含まれる情報に少なくとも部分的に基づき得る。したがって、プロセス６００は、図５のプロセスブロック５０８の１つの可能な実装形態である。
【０１４７】
[00101]プロセスブロック６０２において、サーバは、モバイルデバイスによって使用された測位信号の第１の周波数、第２の周波数、または第１の周波数と第２の周波数の両方に対応する周波数間関連遅延に対して補償するための新しい周波数間バイアス補償がＯＴＤＯＡ測定を実行していることを決定し得る。いくつかの実装形態では、新しい周波数間バイアス補償は、サーバによってルックアップテーブルによって決定されること、および／またはサーバにおいて式２１を参照しながら上述された反復手順などのアルゴリズム／式によって動的に計算されることがある。次に、プロセスブロック６０４において、サーバは、補償されていない測定を生成するために、モバイルデバイスによって第１の測定に適用された周波数間バイアス補償を無効にする。たとえば、モバイルデバイスが、決定されたＯＴＤＯＡ測定を補償するために使用された適用済み周波数間バイアス補償の値を提供した場合、サーバは、補償されていないＯＴＤＯＡ測定を取得するために、この補償を取り消し、次いで、モバイルデバイスが補償されていないＯＴＤＯＡ測定を提供したかのように手順を適用することができる。例として、プロセスブロック５０４でサーバにおいて受信された測定記述は、モバイルデバイスによって第１の測定に適用された周波数間バイアス補償の値を示す情報をさらに含み得る。したがって、サーバは、補償されていない測定を生成するために、モバイルデバイスによって適用された周波数間バイアス補償を除去するために、測定記述において提供されたこの値を利用し得る。次に、プロセスブロック６０６において、サーバは、サーバがモバイルデバイスの位置を決定できるように、補償されていない測定に新しい周波数間バイアス補償を適用する。
【０１４８】
[00102]一態様では、プロセスブロック６０２、６０４、および６０６は組み合わせられて、周波数間バイアス補償ならびに補償された第１の測定に基づくモバイルデバイスの位置を提供する式２１を参照しながら上記で説明された反復手順によって具現化され得る。したがって、一例では、サーバは、モバイルデバイスによって作られたいかなる周波数間バイアス補償も取り消す必要がない。式２１の反復手順を利用して、サーバの計算は、第１の測位信号と第２の測位信号との間の新しい周波数間バイアス補償を、このバイアスが何であれ、提供する（たとえば、モバイルデバイス適用済み周波数間バイアス補償と実際の周波数間バイアスの両方に対して補償するために、新しい周波数間バイアス補償が計算される）。
【０１４９】
[00103]図７は、（たとえば、図１のモバイルデバイス１３６などの）モバイルデバイスの位置を決定する際に少なくとも部分的に使用するメッセージフローを示す図である。図７に示される例示的なメッセージフローは、それぞれ図３、図４、図５、および図６のプロセス３００、プロセス４００、プロセス５００、およびプロセス６００に対応する。図示のように、図７に示されるメッセージフローは、周波数間関連遅延の測定をロケーションサーバ７０４において補償する能力をロケーションサーバ７０４が有するかどうかをモバイルデバイス７０２に示すロケーションサーバ７０４の例示的な特徴を含む。たとえば、ロケーションサーバ７０４が、周波数間バイアス補償を決定するプロセスを実行するように構成されている場合、ロケーションサーバ７０４は、ＬＰＰｅ能力提供メッセージ７０６などのメッセージを介して、モバイルデバイス７０２にそのことを示すことができる。ただし、いくつかの他の実装形態では、ロケーションサーバ７０４は、モバイルデバイス７０２にそのような能力を示す必要がないことがある。すなわち、モバイルデバイス７０２は、たとえば、場合によっては、ロケーションサーバ７０４のいくつかの示された、または既知の能力に基づいて、補償されたＲＳＴＤ測定または補償されていないＲＳＴＤ測定のいずれかを実行し得る。すなわち、周波数間バイアス補償を決定する能力をロケーションサーバ７０４が有する場合、モバイルデバイス７０２は、適用可能なＯＴＤＯＡ測定を決定し、場合によってはそれを、ロケーションサーバ７０４に送られる生じた測定記述７１２において示すことができる。たとえば、ロケーションサーバ７０４がＯＴＤＯＡ測位、ＧＮＳＳ、支援データなどをサポートするかどうかなど、他のすでに利用可能な能力も、ＬＰＰｅ能力提供メッセージ７０６において示され得る。たとえば、一実装形態では、ロケーションサーバ７０４がＧＮＳＳをサポートしない場合、モバイルデバイス７０２はＧＮＳＳ支援データを要求する必要がない。
【０１５０】
[00104]一例では、ロケーションサーバ７０４がロケーションセッションを開始するとき、ロケーションサーバ７０４はＬＰＰｅ能力提供メッセージ７０６を提供する。いくつかの動作では、ロケーションサーバ７０４は、モバイルデバイス位置（すなわち、ロケーション）を求める要求を別のエンティティから（たとえば、緊急センター（ＰＳＡＰ）から）受信し、それに応答して、モバイルデバイス７０２にＬＰＰｅ能力提供メッセージ７０６を送ることによってロケーションセッションを開始することができる。
【０１５１】
[00105]図７には、ロケーションサーバ７０４がモバイルデバイス７０２にＬＰＰ支援データ提供メッセージ７０８を送ることも示されている。ＬＰＰ支援データ提供メッセージ７０８は、１つまたは複数のＯＴＤＯＡ測定を決定するためにモバイルデバイスによって使用されるべき測位信号の関連情報（たとえば、搬送波周波数）を含み得る。したがって、一例では、ＬＰＰ支援データ提供メッセージ７０８は、（第１のセル）基地局２０６によって送信された（第１の）測位信号２０２に、また（第２のセル）基地局２０８よって送信された（第２の）測位信号２０４に対応し、ここで、第１の測位信号が第１の周波数（たとえば、Ｆ１）で送信され、第２の測位信号が第１の周波数とは別個で区別可能である第２の周波数（たとえば、Ｆ２）（たとえば、Ｆ１≠Ｆ２）で送信される。
【０１５２】
[00106]いくつかの実装形態では、ＬＰＰ支援データ提供メッセージ７０８は、モバイルデバイス７０２がＲＳＴＤ測定に使用すべきネイバーセルリスト、ならびにモバイルデバイス７０２が測定を行えるようにするために必要な情報（たとえば、搬送波周波数、帯域幅、セルＩＤ、ＰＲＳ構成情報、および／もしくは（どの時間間隔にモバイルデバイス７０２がＲＳＴＤを測定することを期待されるかをモバイルデバイス７０２に知らせる）探索ウィンドウ）のうちの１つまたは複数を含み得る。
【０１５３】
[00107]図７には、ロケーションサーバ７０４がモバイルデバイス７０２にＬＰＰロケーション情報要求メッセージ７１０を送ることも示されている。ＬＰＰロケーション情報要求メッセージ７１０は、モバイルデバイス７０２にＲＳＴＤ測定を要求し、また、応答時間（すなわち、いつモバイルデバイス７０２が測定を報告すべきか、言い換えれば、どのくらいの期間モバイルデバイス７０２が測定を行わなければならないか）を指定することができる。
【０１５４】
[00108]図８は、本明細書で説明される例示的な適用可能な技法のいずれかを実行またはさもなければサポートするように構成されたモバイルデバイス８００の一例を示すブロック図である。さらに、モバイルデバイス８００は、図１のモバイルデバイス１３６、図２のモバイルデバイス２００、または図７のモバイルデバイス７０２の１つの可能な実装形態である。
【０１５５】
[00109]１つまたは複数のトランシーバ８７０は、ＲＦキャリア信号を音声またはデータなどのベースバンド情報とともにＲＦキャリアへと変調し、そのようなベースバンド情報を取得するために被変調ＲＦキャリアを復調するように構成され得る。アンテナ８７２は、被変調ＲＦキャリアをワイヤレス通信リンクを介して送信し、被変調ＲＦキャリアをワイヤレス通信リンクを介して受信するように構成され得る。一実施形態では、アンテナ８７２は、セルラータイミング情報および／または支援データ要求を基地局（たとえば、図１の基地局１４０−４）に送信し、支援データを基地局から受信するように構成され得る。
【０１５６】
[00110]ベースバンドプロセッサ８６０は、中央処理装置（ＣＰＵ）８２０からのベースバンド情報を、ワイヤレス通信リンクを介して送信するためにトランシーバ８７０に提供するように構成され得る。ここで、ＣＰＵ８２０はそのようなベースバンド情報を、ユーザインターフェース８１０内の入力デバイスから取得し得る。ベースバンドプロセッサ８６０はまた、トランシーバ８７０からのベースバンド情報を、ユーザインターフェース８１０内の出力デバイスを通じて送信するためにＣＰＵ８２０に提供するように構成され得る。
【０１５７】
[00111]ユーザインターフェース８１０は、音声またはデータのようなユーザ情報を入力または出力するための１つまたは複数のデバイスを備え得る。そのようなデバイスは、非限定的な例として、キーボード、ディスプレイ画面、マイクロフォン、およびスピーカーを含み得る。
【０１５８】
[00112]受信機８８０は、１つまたは複数のアンテナ８８２および８８４を介したＳＰＳからの送信を受信および復調し、復調された情報を相関器８４０に提供するように構成され得る。相関器８４０は、受信機８８０によって提供された情報から相関関数を導出するように構成され得る。相関器８４０は、トランシーバ８７０によって提供されたパイロット信号に関係する情報からパイロット関連相関関数を導出するように構成され得る。この情報は、ワイヤレス通信サービスを獲得するためにモバイルデバイスによって使用され得る。チャネルデコーダ８５０は、ベースバンドプロセッサ８６０から受信されたチャネルシンボルを、基礎をなすソースビットに復号するように構成され得る。一例では、チャネルシンボルが畳み込み符号化されたシンボルを備える場合、チャネルデコーダ８５０はビタビデコーダを備え得る。第２の例では、チャネルシンボルが畳み込み符号の直列または並列連結を備える場合、チャネルデコーダ８５０はターボデコーダを備え得る。
【０１５９】
[00113]メモリ８３０は、本明細書で説明または示唆されるプロセス、実装、またはその例のうちの１つまたは複数を実行するように実行可能である機械可読命令を記憶するように構成され得る。ＣＰＵ８２０および／またはベースバンドプロセッサ８６０は、そのような機械可読命令にアクセスし、そのような機械可読命令を実行するように構成され得る。
【０１６０】
[00114]モバイルデバイス８００は、測位信号測定および／または支援データ処理を実行するように構成され得る位置決定ユニット８２５を含み得る。一例では、位置決定ユニット８２５は、支援データ要求を生成するように、またトランシーバ８７０を介した基地局へのそのような要求の送信を開始するように構成され得る。別の例では、位置決定ユニット８２５は、トランシーバ８７０を介して受信された支援データを処理し得る。また別の例では、位置決定ユニット８２５は、周波数間バイアス補償を伴うまたは伴わない測位信号の測定を実行し得る。位置決定ユニット８２５およびベースバンドプロセッサ８６０は、明快にするために別個に示されているが、単一のユニットであってもよい。実際には、いくつかの実装形態では、図８に示される例示的な特徴のうちの１つまたは複数の全部または一部が組み合わせられること、またはさもなければ共通の構成要素を共有することなどは明らかである。
【０１６１】
[00115]ＣＰＵ８２０、ならびに位置決定ユニット８２５、相関器８４０、チャネルデコーダ８５０およびベースバンドプロセッサ８６０のうちの１つまたは複数は、１つまたは複数のマイクロプロセッサ、組込みプロセッサ、コントローラ、特定用途向け集積回路（ＡＳＩＣ）、アドバンストデジタル信号プロセッサ（ＡＤＳＰ：advanced digital signal processor）などを含むことができるが、必ずしも含む必要はない。プロセッサという用語は、特定のハードウェアではなくシステムによって実装された機能を表す。その上、本明細書で使用される「メモリ」という用語は、モバイルデバイス８００に関連する長期メモリ、短期メモリ、または他のメモリを含む任意のタイプのコンピュータ記憶媒体を指し、メモリの特定のタイプもしくはメモリの数、またはメモリが記憶される媒体のタイプに限定されない。
【０１６２】
[00116]様々な実施形態では、モバイルデバイス８００は、モバイルデバイス８００の位置の決定を支援するための手段を含み得る。たとえば、モバイルデバイス８００は、第１の周波数で送信された第１の測位信号と第２の周波数で送信された第２の測位信号とを獲得するための手段（たとえば、トランシーバ８７０）と、第１の測位信号と第２の測位信号との間の到着時間差の第１の測定を実行するための手段（たとえば、位置決定ユニット８２５など）と、第１の測定と第１の測定記述とをサーバに送るための手段（たとえば、トランシーバ８７０、ＣＰＵ８２０、位置決定ユニット８２５、および／またはメモリ８３０）とを含み得る。
【０１６３】
[00117]図９は、適用可能な様々な例示的な技法を実装もしくはさもなければサポートするように構成可能な（ロケーション）サーバ９００の機能ブロック図であり、および／またはプロセスは、本明細書で説明される。たとえば、サーバ９００は、図５のプロセス５００または図６のプロセス６００に関して説明されたプロセスのいずれかを実行するように構成され得る。サーバ９００は、図１のサーバ１４６および／または図７のロケーションサーバ７０４の可能な実装形態において提供され得るいくつかの例示的な特徴を表す。
【０１６４】
[00118]図９の図示の例では、（ロケーション）サーバ９００は位置決定ユニット９２４を含み得る。位置決定ユニット９２４は、モバイルデバイスに位置決定サービスを提供し得る。たとえば、モバイルデバイス（たとえば、モバイルデバイス１３６、８００）によって測定された、受信されたセルタイミング情報（たとえば、第１の測定）に基づいて、位置決定ユニット９２４は、少なくとも部分的に、たとえば、何らかの座標系を参照するなどして、モバイルデバイスの推定位置を決定し得る。一例では、位置決定ユニット９２４は、周波数間バイアス補償および／または位置を計算するために、モバイルデバイスから受信された１つまたは複数の決定されたＯＴＤＯＡ測定を使用することができ、かかるＯＴＤＯＡ測定は、基準信号周波数間の差に対する周波数間バイアス補償を含まないことがある。様々な例によって本明細書で説明されたように、位置決定ユニット９２４は、モバイルデバイスの位置を決定する際に使用するために周波数間測定バイアスに対してそのような決定されたＯＴＤＯＡ測定を補正またはさもなければ調整し得る。
【０１６５】
[00119]サーバ９００は、たとえば、デスクトップコンピュータ、ラップトップコンピュータ、ワークステーション、サーバデバイスなど、１つまたは複数のコンピューティングデバイスおよび／またはプラットフォーム、たとえば、携帯情報端末、モバイル通信デバイスなど、１つまたは複数のパーソナルコンピューティングまたは通信デバイスまたはアプライアンス、たとえば、データベースまたはデータ記憶サービスプロバイダ／システム、ネットワークサービスプロバイダ／システム、インターネットまたはイントラネットサービスプロバイダ／システム、ポータルおよび／または検索エンジンサービスプロバイダ／システム、ワイヤレス通信サービスプロバイダ／システムなど、コンピューティングシステムおよび／または関連するサービスプロバイダ機能、ならびに／あるいはそれらの任意の組合せを含み得る。
【０１６６】
[00120]本明細書で提示された例に示された様々なデバイスおよびネットワーク、ならびに本明細書でさらに説明されるプロセスおよび方法の全部または一部は、少なくとも部分的に、ハードウェアおよび／またはファームウェアを使用して、またはさもなければ含めて、場合によってはソフトウェア（実装可能な命令など）と組み合わせて実装され得ることを認識されたい。
【０１６７】
[00121]したがって、限定ではなく例として、サーバ９００は、バス９２８を通じてメモリ９２２に動作可能に結合された少なくとも１つの処理ユニット９２０を含み得る。処理ユニット９２０は、データコンピューティング手順またはプロセスの少なくとも一部分を実行するように構成可能な１つまたは複数の回路を表し得る。限定ではなく例として、処理ユニット９２０は、１つもしくは複数のプロセッサ、コントローラ、マイクロプロセッサ、マイクロコントローラ、特定用途向け集積回路、デジタル信号プロセッサ、プログラマブル論理デバイス、フィールドプログラマブルゲートアレイなど、またはそれらの任意の組合せを含み得る。一実施形態では、処理ユニット９２０は単独で、または場合によっては位置決定ユニット９２４と組み合わせて、たとえば、本明細書で説明するように、支援データを生成するように、またモバイルデバイスの位置について決定を行うように構成され得る。
【０１６８】
[00122]メモリ９２２は、何らかのデータ記憶機構を表し得る。たとえば、メモリ９２２は、ランダムアクセスメモリ、読取り専用メモリなどを含み得る。この例では処理ユニット９２０とは別個であるものとして示されているが、メモリ９２２の全部または一部は、処理ユニット９２０内に設けられるか、またはさもなければ処理ユニット９２０と共設／結合され得ることを理解されたい。
【０１６９】
[00123]メモリ９２２は、いくつかの事例では、たとえば、ディスクドライブ、光ディスクドライブ、テープドライブ、ソリッドステートメモリドライブなど、１つまたは複数のデータストレージデバイスまたはシステムを含み得る。いくつかの実装形態では、メモリ９２２は、非一時的コンピュータ可読媒体９４０を動作可能に受容可能であるか、またはさもなければそれに結合するように構成可能であり得る。非一時的コンピュータ可読媒体９４０は、たとえば、サーバ９００のために、または場合によってはモバイルデバイス８００（図８）のためにアクセス可能なデータ、コード、命令、またはそれらの何らかの組合せを搬送および／または作成することができる任意の媒体を含み得る。非一時的コンピュータ可読媒体９４０はまた、記憶媒体と呼ばれ得る。
【０１７０】
[00124]限定ではなく例として、通信インターフェース９３０は、ネットワークインターフェースデバイスまたはネットワークインターフェースカード、モデム、ルータ、スイッチ、トランシーバなどを含み得る。サーバ９００はさらに、たとえば、入力／出力部９３２を含み得る。入力／出力部９３２は、人間および／もしくは機械の入力を受け付けるか、もしくはさもなければ導入するように構成可能であり得る１つもしくは複数のデバイスもしくは機能、ならびに／または人間および／もしくは機械の出力を配信するか、もしくはさもなければ与えるように構成可能であり得る１つもしくは複数のデバイスもしくは機能を表し得る。限定ではなく例として、入力／出力部９３２は、動作可能に構成されたディスプレイ、スピーカー、キーボード、マウス、トラックボール、タッチスクリーン、データポートなどを含み得る。
【０１７１】
[00125]様々な実施形態では、サーバ９００は、モバイルデバイスの位置の決定を支援するための手段を含み得る。たとえば、サーバ９００は、モバイルデバイスによって決定された第１の測位信号と第２の測位信号との間の到着時間差の第１の測定を取得するための手段（たとえば、通信インターフェース９３０、処理ユニット９２０、位置決定ユニット９２４、および／またはメモリ９２２）を含み得る。サーバ９００は、測定記述を受信するための手段（たとえば、通信インターフェース９３０、処理ユニット９２０、位置決定ユニット９２４、および／またはメモリ９２２）をさらに含み得る。サーバ９００はまた、周波数間バイアス補償を決定するための手段（たとえば、位置決定ユニット９２４）と、第１の測定に周波数間バイアス補償を適用するための手段（たとえば、位置決定ユニット９２４）と、モバイルデバイスの位置を決定する際に使用する手段（たとえば、位置決定ユニット９２４）とを含み得る。
【０１７２】
[00126]図４のプロセス４００を参照しながら上記で説明されたように、いくつかの実装形態では、モバイルデバイスは、前述の周波数間関連遅延に対して測定を補償する能力をサーバ（たとえば、サーバ１４６）が有するか否かを示すメッセージ（たとえば、ＬＰＰ能力提供メッセージ７０６）を受信するように構成され得る。ただし、いくつかの他の実装形態では、サーバは、モバイルデバイスにそのような能力を示す必要がないことがある。すなわち、そのような他の実装形態では、モバイルデバイスは、たとえば、サーバの既知の能力に基づいて、補償されていないＲＳＴＤ測定を実行し得る。たとえば、モバイルデバイス１３６は、ワイヤレス通信ネットワーク１３０において動作しているとき、モバイルデバイス１３６とロケーションサーバ１４６との間の追加シグナリング（たとえば、ＬＰＰ能力提供メッセージ７０６）の必要なしに周波数間関連遅延に対して補償する能力をロケーションサーバ１４６が含むと仮定するように構成され得る。例として、図１０は、例示的な実装形態による、モバイルデバイスの位置を決定するモバイルデバイスにおいて使用する例示的なプロセス１０００を示すフローチャートである。
【０１７３】
[00127]プロセスブロック１００２において、モバイルデバイスが、第１の測位信号（たとえば、測位信号２０２）と第２の測位信号（たとえば、測位信号２０４）とを獲得し得る。一態様では、モバイルデバイスは、サーバ１４６によって提供された支援データ１０２に応答して、第１および第２の測位信号を獲得する。上記で説明されたように、第１の測位信号は、第１の周波数（たとえば、Ｆ１）で送信され、第２の測位信号は、第１の周波数とは別個で区別可能である第２の周波数（たとえば、Ｆ２）（たとえば、Ｆ１≠Ｆ２）で送信される。
【０１７４】
[00128]プロセスブロック１００４において、モバイルデバイスは、第１および第２の測位信号のペアの到着時間差の測定を実行し得る。一例では、測定を実行することは、第１および第２の測位信号の観測到着時間差（ＯＴＤＯＡ）測定を実行することを含む。プロセスブロック１００４において、第１の周波数（たとえば、Ｆ１）、第２の周波数（たとえば、Ｆ２）、または第１の周波数と第２の周波数の両方（たとえば、Ｆ１およびＦ２）に対応するいかなる周波数間関連遅延（たとえば、群遅延）に対しても測定が補償されていない。したがって、プロセスブロック１００４においてモバイルデバイスによって行われたいかなる最初のＲＳＴＤ決定も、第１の測位信号の第１の周波数と第２の測位信号の第２の周波数との間の差に対する周波数間バイアス補償を含まず、したがって、第１および／または第２の測位信号が遭遇し得る異なる群遅延に対して補償されていない。
【０１７５】
[00129]プロセスブロック１００６において、モバイルデバイスは、測定（すなわち、補償されていない）をサーバに送る。一態様では、プロセスブロック１００６に示されているように、モバイルデバイスは、測定に加えて測定記述をサーバに送り得る。測定記述は、とりわけ、周波数間関連遅延に対してモバイルデバイスにおいて測定が補償されていない（たとえば、モバイルデバイスが測定に周波数間バイアス補償を適用していない）ことを示し得る。一実施形態では、測定記述をサーバに送ることは、ＬＴＥ測位プロトコル（ＬＰＰ）メッセージを送ることを含む。ＬＰＰメッセージはフラグを含むことができ、フラグの論理状態が、周波数間関連遅延に対して対応する測定が補償されていないことを示す。上記で説明されたように、サーバ（たとえば、サーバ１４６）は次いで、サーバにおいて測定の周波数間バイアス補償を決定し、少なくとも、モバイルデバイスの位置を決定することができる。
【０１７６】
[00130]他の例示的な実装形態では、モバイルデバイス１３６などのモバイルデバイスが、ワイヤレス通信ネットワーク１３０において動作しているとき、周波数間関連遅延に対して補償する能力をロケーションサーバ１４６が含まないと仮定するように構成され得、したがって、モバイルデバイス１３６は、モバイルデバイス１３６とロケーションサーバ１４６との間の追加シグナリング（たとえば、ＬＰＰ能力提供メッセージ７０６）の必要なしに補償されたＲＳＴＤ測定を実行するように構成され得る。図１１は、例示的な実装形態による、モバイルデバイスの位置を決定するモバイルデバイスにおいて使用するそのような例示的なプロセス１１００を示すフローチャートである。
【０１７７】
[00131]プロセスブロック１１０２において、モバイルデバイスが、第１の測位信号（たとえば、測位信号２０２）と第２の測位信号（たとえば、測位信号２０４）とを獲得し得る。一態様では、モバイルデバイスは、サーバ１４６によって提供された支援データ１０２に応答して第１および第２の測位信号を獲得し、ここで、第１の測位信号が第１の周波数（たとえば、Ｆ１）で送信され、第２の測位信号が第１の周波数とは別個で区別可能である第２の周波数（たとえば、Ｆ２）（たとえば、Ｆ１≠Ｆ２）で送信される。
【０１７８】
[00132]プロセスブロック１１０４において、モバイルデバイスは、第１および第２の測位信号のペアの到着時間差の測定を実行し得る。一例では、測定を実行することは、第１および第２の測位信号の観測到着時間差（ＯＴＤＯＡ）測定を実行することを含む。プロセスブロック１１０４において、第１の周波数（たとえば、Ｆ１）、第２の周波数（たとえば、Ｆ２）、または第１の周波数と第２の周波数の両方（たとえば、Ｆ１およびＦ２）に対応するいかなる周波数間関連遅延（たとえば、群遅延）に対しても第１の測定が補償されていない。したがって、プロセスブロック１１０４においてモバイルデバイスによって行われたいかなる最初のＲＳＴＤ決定も、第１の測位信号の第１の周波数と第２の測位信号の第２の周波数との間の差に対する周波数間バイアス補償を含まず、したがって、第１および／または第２の測位信号が遭遇し得る異なる群遅延に対して補償されていない。
【０１７９】
[00133]プロセスブロック１１０６において、モバイルデバイスは、補償された測定を生成するために測定に周波数間バイアス補償を適用する。一例では、モバイルデバイスにおいて測定に周波数間バイアス補償を適用することは、周波数間バイアス補償の値を決定することを含む。いくつかの実装形態では、モバイルデバイスが、プロセスブロック１１０６においてモバイルデバイスによって行われたＲＳＴＤ決定に対して適用され得る第１および第２の周波数に関する周波数間バイアス補償に対応する較正テーブルまたは他の機構を含み得る。別の実装形態では、モバイルデバイスは、プロセスブロック１１０６において周波数間バイアス補償を（動的に）計算し得る。すなわち、モバイルデバイスは、モバイルデバイスの推定位置と周波数間バイアス補償とを提供するために上記で説明された式２１などの反復手順を実行することによって、計算された周波数間バイアス補償に基づいて周波数間関連遅延に対して測定を補正またはさもなければ調整することができる。いくつかの例示的な実装形態では、モバイルデバイスは、たとえば、場合によっては、モバイルデバイスがより正確な較正テーブルまたは他の同様の能力を経時的に更新および維持できるようにするために、将来のＲＳＴＤ測定において使用する１つまたは複数の決定された周波数間バイアス補償をローカルに（すなわち、モバイルデバイスにおいて）記憶するように随意に構成され得る。
【０１８０】
[00134]プロセスブロック１１０８において、モバイルデバイスは次いで、補償された測定をサーバに送り、サーバは、補償された測定に基づいてモバイルデバイスの位置を決定し得る。モバイルデバイスはまた、補償された測定に加えて測定記述をサーバに送り得る。プロセスブロック１１０８の測定記述は、とりわけ、周波数間関連遅延に対してモバイルデバイスにおいて補償された測定が補償されている（たとえば、モバイルデバイスが第１の測定に周波数間バイアス補償を適用している）ことを示し得る。一実施形態では、測定記述をサーバに送ることは、ＬＴＥ測位プロトコル（ＬＰＰ）メッセージを送ることを含む。ＬＰＰメッセージはフラグを含むことができ、フラグの論理状態が、周波数間関連遅延に対して対応する測定が補償されていることを示す。上記で説明されたように、サーバ（たとえば、サーバ１４６）は次いで、補償された測定に基づいてモバイルデバイスの位置を決定し得る。
【０１８１】
[00135]上記のいくつかの態様と同様に、プロセスブロック１１０８において送られた測定記述は、モバイルデバイスの位置を決定するのを助けるか、またはさもなければモバイルデバイスの位置を決定する際にサーバによって利用されるさらなる情報を含み得る。たとえば、測定記述は、プロセスブロック１１０６においてモバイルデバイスによって測定に適用された周波数間バイアス補償の値を示す情報をさらに含み得る。別の実装形態では、測定記述は、プロセスブロック１１０６においてモバイルデバイスによって測定に適用された周波数間バイアス補償のタイプをさらに含み得る。例として、測定記述は、モバイルデバイスによって適用された周波数間バイアス補償が、（上記で説明された）較正テーブルから取り出されたタイプのものであったか、または（たとえば、式２１によって）動的に計算されたタイプのものであったことを示し得る。別の実装形態では、測定記述は、プロセスブロック１１０６において測定に適用された周波数間バイアス補償の信頼性または正確性を示す、モバイルデバイスによって決定されたメトリックをさらに含み得る。また別の実装形態では、測定記述は、プロセスブロック１１０６においてモバイルデバイスによって適用された周波数間バイアス補償の経過期間を示す。すなわち、経過期間は、周波数間バイアス補償が較正テーブルに入れられた時および／または周波数間バイアス補償がモバイルデバイスによって動的に計算された時を示し得る。さらなる実装形態では、測定記述は、到着時間差の測定を実行するためにモバイルデバイスによって使用されたデータの少なくとも一部分を含み得る。たとえば、測定を実行するためにモバイルデバイスによって使用されたデータの一部分は、プロセスブロック３０２において獲得された第１の測位信号の到着時間（たとえば、タイムスタンプ）および／または第２の測位信号の到着時間（たとえば、タイムスタンプ）を含み得る。
【０１８２】
[00136]情報および信号は、多種多様な技術および技法のいずれかを使用して表され得ることを当業者は諒解されよう。たとえば、上記の説明全体にわたって言及され得るデータ、命令、コマンド、情報、信号、ビット、シンボル、およびチップは、電圧、電流、電磁波、磁界もしくは磁性粒子、光場もしくは光学粒子、またはそれらの任意の組合せによって表され得る。
【０１８３】
[00137]さらに、本明細書で開示される実施形態に関連して説明される様々な例示的な論理ブロック、モジュール、回路、およびアルゴリズムステップは、電子ハードウェア、コンピュータソフトウェア、または両方の組合せとして実装され得ることを、当業者は諒解されよう。ハードウェアとソフトウェアのこの互換性を明確に示すために、様々な例示的な構成要素、ブロック、モジュール、回路、およびステップが、上記では概してそれらの機能に関して説明された。そのような機能がハードウェアとして実装されるか、ファームウェアとして実装されるか、ハードウェアおよび／またはファームウェアと組み合わせてソフトウェアとして実装されるかは、特定の適用例および全体的なシステムに課される設計制約に依存する。当業者は、説明された機能を特定の適用例ごとに様々な方法で実装し得るが、そのような実装の決定は、本開示の範囲からの逸脱を生じるものと解釈されるべきではない。
【０１８４】
[00138]上記の開示は、例示的な実施形態を示すが、現在特許請求されている主題の範囲から逸脱することなく、本明細書において様々な変更および修正が行われ得ることに留意されたい。本明細書で説明された実施形態による方法クレームの機能、ステップおよび／またはアクションは、特定の順序で実行されなくてもよい。さらに、要素は、単数形で説明または特許請求されていることがあるが、単数形に限定することが明示的に述べられていない限り、複数形が企図される。
【図１】
2018510331.tif 000045
【図２】
2018510331.tif 000046
【図３】
2018510331.tif 000047
【図４】
2018510331.tif 000048
【図５】
2018510331.tif 000049
【図６】
2018510331.tif 000050
【図７】
2018510331.tif 000051
【図８】
2018510331.tif 000052
【図９】
2018510331.tif 000053
【図１０】
2018510331.tif 000054
【図１１】
2018510331.tif 000055
【手続補正書】
【提出日】平成29年10月18日(2017.10.18)
【手続補正１】
【補正対象書類名】特許請求の範囲
【補正対象項目名】全文
【補正方法】変更
【補正の内容】
【特許請求の範囲】
【請求項１】
モバイルデバイスにおいて使用する方法であって、前記モバイルデバイスにおいて、
第１の周波数で送信された第１の測位信号と前記第１の周波数とは異なる第２の周波数で送信された第２の測位信号とを獲得することと、
前記第１の測位信号と前記第２の測位信号との間の到着時間差の第１の測定を実行することと、
周波数間関連遅延に対して測定をサーバにおいて補償する能力を前記サーバが含むかどうかを示すメッセージを前記サーバから受信することと、
前記周波数間関連遅延に対して前記サーバにおいて測定を補償する前記能力を前記サーバが含むことを示す前記メッセージに応答して、前記モバイルデバイスにおいて、前記第１の周波数、前記第２の周波数、または前記第１の周波数と前記第２の周波数の両方に対応する周波数間関連遅延に対して前記第１の測定に周波数間バイアス補償を適用しないことを決定することと、
前記第１の周波数、前記第２の周波数、または前記第１の周波数と前記第２の周波数の両方に対応する周波数間関連遅延に対して前記第１の測定に前記周波数間バイアス補償を適用しないことを決定することに応答して、
前記モバイルデバイスの位置を決定するために前記第１の測定と第１の測定記述とを前記サーバに送ることと、ここにおいて、前記第１の測定記述が、前記周波数間関連遅延に対して前記モバイルデバイスにおいて前記第１の測定が補償されていないことを示す、
を備える方法。
【請求項２】
前記周波数間関連遅延に対して前記サーバにおいて測定を補償する前記能力を前記サーバが含まないことを示す前記メッセージに応答して、前記モバイルデバイスにおいて前記第１の測定に前記周波数間バイアス補償を適用することを決定することと、
前記モバイルデバイスにおいて、前記第１の周波数、前記第２の周波数、または前記第１の周波数と前記第２の周波数の両方に対応する周波数間関連遅延に対して前記第１の測定に前記周波数間バイアス補償を適用することを決定することに応答して、
補償された測定を生成するために前記第１の測定に前記周波数間バイアス補償を適用することと、
前記モバイルデバイスの前記位置を決定するために前記補償された測定と第２の測定記述とを前記サーバに送ることと、ここにおいて、前記第２の測定記述が、前記周波数間関連遅延に対して前記モバイルデバイスにおいて前記補償された測定が補償されていることを示す、
をさらに備える、請求項１に記載の方法。
【請求項３】
前記メッセージを前記サーバから受信することは、ＬＴＥ測位プロトコル（ＬＰＰ）メッセージを前記サーバから受信することを備える、請求項１に記載の方法。
【請求項４】
前記周波数間バイアス補償を適用するとの前記決定に応答して、前記第１の測定に関して前記モバイルデバイスにおいて前記周波数間バイアス補償を決定すること
をさらに備える、請求項２に記載の方法。
【請求項５】
前記周波数間バイアス補償を決定することは、前記周波数間バイアス補償を前記モバイルデバイスにおいて動的に計算することを備える、請求項４に記載の方法。
【請求項６】
前記モバイルデバイスにおいて動的に計算することは、前記モバイルデバイスの前記位置と前記周波数間バイアス補償とを提供する反復手順を実行することを備える、請求項５に記載の方法。
【請求項７】
前記第２の測定記述は、
前記モバイルデバイスによって前記第１の測定に適用される前記周波数間バイアス補償の値、
前記モバイルデバイスによって適用された前記周波数間バイアス補償のタイプ、
前記モバイルデバイスによって適用された前記周波数間バイアス補償の信頼性もしくは正確性を示す、前記モバイルデバイスによって決定されたメトリック、
前記モバイルデバイスによって適用された前記周波数間バイアス補償の経過期間、または
前記到着時間差の前記第１の測定を実行するために前記モバイルデバイスによって使用されたデータの少なくとも一部分
のうちの少なくとも１つを示す情報をさらに含む、請求項４に記載の方法。
【請求項８】
前記到着時間差の前記第１の測定を実行するために前記モバイルデバイスによって使用されたデータの前記一部分は、前記第１の測位信号の到着時間および前記第２の測位信号の到着時間のうちの少なくとも１つを含む、請求項７に記載の方法。
【請求項９】
前記第１の測定を実行することは、前記第１および第２の測位信号の観測到着時間差（ＯＴＤＯＡ）測定を実行することを備える、請求項１に記載の方法。
【請求項１０】
前記サーバは、ワイヤレス通信ネットワーク内にロケーションサーバを備える、請求項１に記載の方法。
【請求項１１】
前記第１の測定記述を前記サーバに送ることは、
ＬＴＥ測位プロトコル（ＬＰＰ）メッセージを前記サーバに送ること
をさらに備える、請求項１に記載の方法。
【請求項１２】
前記ＬＰＰメッセージを前記サーバに送ることは、前記周波数間関連遅延に対して前記第１の測定が補償されていないことを示すように、前記ＬＰＰメッセージにおけるフラグの論理状態を制御することを含む、請求項１２に記載の方法。
【請求項１３】
コンピューティングプラットフォームを備えるサーバにおいて使用する方法であって、前記コンピューティングプラットフォームにおいて、
前記周波数間関連遅延に対して測定を前記サーバにおいて補償する能力を前記サーバが含むかどうかを示すメッセージをモバイルデバイスに送ることと、
前記モバイルデバイスによって決定された第１の測位信号と第２の測位信号との間の到着時間差の第１の測定を取得することと、前記第１の測位信号が第１の周波数で送信されており、前記第２の測位信号が前記第１の周波数とは異なる第２の周波数で送信されている、
前記モバイルデバイスから測定記述を取得することと、
前記第１の周波数、前記第２の周波数、または前記第１の周波数と前記第２の周波数の両方に対応する周波数間関連遅延に対して前記モバイルデバイスによって前記第１の測定が補償されていないことを前記測定記述が示すとの決定に応答して、
前記第１の測定に対応する前記周波数間関連遅延に対する周波数間バイアス補償を決定することと、
補償された測定を生成するために前記第１の測定に前記周波数間バイアス補償を適用することと、
少なくとも部分的に、前記補償された測定に少なくとも部分的に基づいて前記モバイルデバイスの位置を決定することと
を備える方法。
【請求項１４】
前記メッセージを前記モバイルデバイスに送ることは、ＬＴＥ測位プロトコル（ＬＰＰ）メッセージを前記モバイルデバイスに送ることを備える、請求項１３に記載の方法。
【請求項１５】
前記周波数間バイアス補償を決定することは、前記周波数間バイアス補償を前記コンピューティングプラットフォームにおいて動的に計算することを備える、請求項１３に記載の方法。
【請求項１６】
前記コンピューティングプラットフォームにおいて動的に計算することは、前記モバイルデバイスの前記位置と前記周波数間バイアス補償とを提供する反復手順を実行することを備える、請求項１５に記載の方法。
【請求項１７】
前記第１の周波数、前記第２の周波数、または前記第１の周波数と前記第２の周波数の両方に対応する前記周波数間関連遅延に対して前記モバイルデバイスによって前記第１の測定が補償されていることを前記測定記述が示すとの決定に応答して、
少なくとも部分的に、前記第１の測定に少なくとも部分的に基づいて前記モバイルデバイスの前記位置を決定すること
をさらに備える、請求項１３に記載の方法。
【請求項１８】
少なくとも部分的に、前記第１の測定に少なくとも部分的に基づいて前記モバイルデバイスの前記位置を決定することは、
前記第１の測定に対応する前記周波数間関連遅延に対する新しい周波数間バイアス補償を決定することと、
補償されていない測定を生成するために、前記モバイルデバイスによって前記第１の測定に適用された周波数間バイアス補償を無効にすることと、
前記補償されていない測定に前記新しい周波数間バイアス補償を適用することと
をさらに備える、請求項１７に記載の方法。
【請求項１９】
前記測定記述は、前記モバイルデバイスによって前記第１の測定に適用された前記周波数間バイアス補償の値をさらに示し、前記モバイルデバイスによって適用された前記周波数間バイアス補償を無効にすることが、前記測定記述において示された前記周波数間バイアス補償の前記値に基づく、請求項１８に記載の方法。
【請求項２０】
前記測定記述は、
前記モバイルデバイスによって適用された前記周波数間バイアス補償のタイプ、
前記モバイルデバイスによって適用された前記周波数間バイアス補償の信頼性もしくは正確性を示す、前記モバイルデバイスによって決定されたメトリック、または
前記モバイルデバイスによって適用された前記周波数間バイアス補償の経過期間のうちの少なくとも１つを示す情報をさらに含み、前記方法が、前記測定記述に含まれる前記情報に基づいて、前記コンピューティングプラットフォームにおいて前記新しい周波数間バイアス補償を決定するか否かを決定することをさらに備える、請求項１８に記載の方法。
【請求項２１】
前記測定記述は、前記到着時間差の前記第１の測定を実行するために前記モバイルデバイスによって使用されたデータの少なくとも一部分をさらに含み、前記周波数間関連遅延に対する前記周波数間バイアス補償を決定することが、前記測定記述において示される前記モバイルデバイスによって使用された前記データに基づく、請求項１３に記載の方法。
【請求項２２】
前記モバイルデバイスから前記測定記述を取得することは、
前記モバイルデバイスからＬＴＥ測位プロトコル（ＬＰＰ）メッセージを受信することをさらに備える、請求項１３に記載の方法。
【請求項２３】
前記モバイルデバイスから受信された前記ＬＰＰメッセージは、前記ＬＰＰメッセージにフラグを含み、前記フラグの論理状態が、前記周波数間関連遅延に対して前記第１の測定が補償されているか否かを示す、請求項２２に記載の方法。
【請求項２４】
前記第１の測位信号と前記第２の測位信号との間の前記到着時間差の前記第１の測定は、前記第１の測位信号と前記第２の測位信号との間の観測到着時間差（ＯＴＤＯＡ）測定を備える、請求項１３に記載の方法。
【請求項２５】
ワイヤレス通信ネットワークにおけるモバイルデバイスの位置の決定を支援するためのモバイルデバイスであって、
プログラムコードを記憶するように適応されたメモリと、
第１の周波数で送信された第１の測位信号と前記第１の周波数とは異なる第２の周波数で送信された第２の測位信号とを獲得することと、
前記第１の測位信号と前記第２の測位信号との間の到着時間差の第１の測定を実行することと、
周波数間関連遅延に対して測定をサーバにおいて補償する能力を前記サーバが含むかどうかを示すメッセージを前記サーバから受信することと、
前記周波数間関連遅延に対して前記サーバにおいて測定を補償する前記能力を前記サーバが含むことを示す前記メッセージに応答して、前記モバイルデバイスにおいて、前記第１の周波数、前記第２の周波数、または前記第１の周波数と前記第２の周波数の両方に対応する周波数間関連遅延に対して前記第１の測定に周波数間バイアス補償を適用しないことを決定することと、
前記第１の周波数、前記第２の周波数、または前記第１の周波数と前記第２の周波数の両方に対応する周波数間関連遅延に対して前記第１の測定に周波数間バイアス補償を適用しないとの前記モバイルデバイスにおける前記決定に応答して、
前記モバイルデバイスの前記位置を決定するために前記第１の測定と第１の測定記述とを前記サーバに送ることと、ここにおいて、前記第１の測定記述が、前記周波数間関連遅延に対して前記モバイルデバイスにおいて前記第１の測定が補償されていないことを示す、
を行うよう前記モバイルデバイスに指示するための前記プログラムコードに含まれる命令にアクセスし、前記命令を実行するために前記メモリに結合された処理ユニットと
を備えるモバイルデバイス。
【請求項２６】
前記プログラムコードは、
前記周波数間関連遅延に対して前記サーバにおいて測定を補償する前記能力を前記サーバが含まないことを示す前記メッセージに応答して、前記モバイルデバイスにおいて前記第１の測定に前記周波数間バイアス補償を適用することを決定することと、
前記第１の周波数、前記第２の周波数、または前記第１の周波数と前記第２の周波数の両方に対応する周波数間関連遅延に対して前記第１の測定に前記周波数間バイアス補償を適用するとの前記モバイルデバイスにおける前記決定に応答して、
補償された測定を生成するために前記第１の測定に前記周波数間バイアス補償を適用することと、
前記モバイルデバイスの前記位置を決定するために前記補償された測定と第２の測定記述とを前記サーバに送ることと、ここにおいて、前記第２の測定記述が、前記周波数間関連遅延に対して前記モバイルデバイスにおいて前記補償された測定が補償されていることを示す、
を行うよう前記モバイルデバイスに指示するための命令をさらに備える、請求項２５に記載のモバイルデバイス。
【請求項２７】
前記メッセージを前記サーバから受信するための前記命令は、ＬＴＥ測位プロトコル（ＬＰＰ）メッセージを前記サーバから受信するための命令を備える、請求項２５に記載のモバイルデバイス。
【請求項２８】
前記プログラムコードは、前記周波数間バイアス補償を適用するとの前記決定に応答して、前記第１の測定に関して前記モバイルデバイスにおいて前記周波数間バイアス補償を決定するための命令をさらに備える、請求項２５に記載のモバイルデバイス。
【請求項２９】
前記周波数間バイアス補償を決定するための前記命令は、前記周波数間バイアス補償を前記モバイルデバイスにおいて動的に計算するための命令を備える、請求項２８に記載のモバイルデバイス。
【請求項３０】
前記モバイルデバイスにおいて動的に計算するための前記命令は、前記モバイルデバイスの前記位置と前記周波数間バイアス補償とを提供する反復手順を実行するための命令を備える、請求項２９に記載のモバイルデバイス。
【請求項３１】
前記第１の測定記述を前記サーバに送るための前記命令は、ＬＴＥ測位プロトコル（ＬＰＰ）メッセージを前記サーバに送るための命令をさらに備える、請求項２５に記載のモバイルデバイス。
【請求項３２】
前記ＬＰＰメッセージを前記サーバに送るための前記命令は、前記周波数間関連遅延に対して前記第１の測定が補償されていないことを示すように、前記ＬＰＰメッセージにおけるフラグの論理状態を制御するための命令を含む、請求項３１に記載のモバイルデバイス。
【請求項３３】
ワイヤレス通信ネットワークにおけるモバイルデバイスの位置の決定を支援するためのサーバであって、
プログラムコードを記憶するように適応されたメモリと、
前記周波数間関連遅延に対して測定を前記サーバにおいて補償する能力を前記サーバが含むかどうかを示すメッセージを前記モバイルデバイスに送ることと、
前記モバイルデバイスによって決定された第１の測位信号と第２の測位信号との間の到着時間差の第１の測定を取得することと、前記第１の測位信号が第１の周波数で送信されており、前記第２の測位信号が前記第１の周波数とは異なる第２の周波数で送信されている、
前記モバイルデバイスから測定記述を取得することと、
前記第１の周波数、前記第２の周波数、または前記第１の周波数と前記第２の周波数の両方に対応する周波数間関連遅延に対して前記モバイルデバイスによって前記第１の測定が補償されていないことを前記測定記述が示すとの決定に応答して、
前記第１の測定に対応する前記周波数間関連遅延に対する周波数間バイアス補償を決定することと、
補償された測定を生成するために前記第１の測定に前記周波数間バイアス補償を適用することと、
少なくとも部分的に、前記補償された測定に少なくとも部分的に基づいて前記モバイルデバイスの前記位置を決定すること
を行うよう前記サーバに指示するための前記プログラムコードに含まれる命令にアクセスし、前記命令を実行するために前記メモリに結合された処理ユニットと
を備えるサーバ。
【請求項３４】
前記メッセージを前記モバイルデバイスに送るための前記命令は、ＬＴＥ測位プロトコル（ＬＰＰ）メッセージを前記モバイルデバイスに送るための命令を備える、請求項３３に記載のサーバ。
【請求項３５】
前記周波数間バイアス補償を決定するための前記命令は、前記周波数間バイアス補償を前記サーバにおいて動的に計算するための命令を備える、請求項３３に記載のサーバ。
【請求項３６】
前記サーバにおいて動的に計算するための前記命令は、前記モバイルデバイスの前記位置と前記周波数間バイアス補償とを提供する反復手順を実行するための命令を備える、請求項３５に記載のサーバ。
【請求項３７】
前記プログラムコードは、
前記第１の周波数、前記第２の周波数、または前記第１の周波数と前記第２の周波数の両方に対応する前記周波数間関連遅延に対して前記モバイルデバイスによって前記第１の測定が補償されていることを前記測定記述が示すとの決定に応答して、
少なくとも部分的に、前記第１の測定に少なくとも部分的に基づいて前記モバイルデバイスの前記位置を決定する
ための命令をさらに備える、請求項３３に記載のサーバ。
【請求項３８】
少なくとも部分的に、前記第１の測定に少なくとも部分的に基づいて前記モバイルデバイスの前記位置を決定するための前記命令は、
前記第１の測定に対応する前記周波数間関連遅延に対する新しい周波数間バイアス補償を決定することと、
補償されていない測定を生成するために、前記モバイルデバイスによって前記第１の測定に適用された周波数間バイアス補償を無効にすることと、
前記補償されていない測定に前記新しい周波数間バイアス補償を適用することと
を行うための命令をさらに備える、請求項３７に記載のサーバ。
【請求項３９】
前記測定記述は、前記モバイルデバイスによって前記第１の測定に適用された前記周波数間バイアス補償の値をさらに示し、前記モバイルデバイスによって適用された前記周波数間バイアス補償を無効にするための前記命令が、前記測定記述において示された前記周波数間バイアス補償の前記値に基づいて前記周波数間バイアス補償を無効にするための命令を備える、請求項３８に記載のサーバ。
【請求項４０】
前記測定記述は、
前記モバイルデバイスによって適用された前記周波数間バイアス補償のタイプ、
前記モバイルデバイスによって適用された前記周波数間バイアス補償の信頼性もしくは正確性を示す、前記モバイルデバイスによって決定されたメトリック、または
前記モバイルデバイスによって適用された前記周波数間バイアス補償の経過期間のうちの少なくとも１つを示す情報をさらに含み、前記プログラムコードが、前記測定記述に含まれる前記情報に基づいて、前記コンピューティングプラットフォームにおいて前記新しい周波数間バイアス補償を決定するか否かを決定するための命令をさらに備える、請求項３８に記載のサーバ。
【請求項４１】
前記モバイルデバイスから前記測定記述を取得するための前記命令は、前記モバイルデバイスからＬＴＥ測位プロトコル（ＬＰＰ）メッセージを受信するための命令をさらに備える、請求項３３に記載のサーバ。
【請求項４２】
前記モバイルデバイスから受信された前記ＬＰＰメッセージは、前記ＬＰＰメッセージにフラグを含み、前記フラグの論理状態が、前記周波数間関連遅延に対して前記第１の測定が補償されているか否かを示す、請求項４１に記載のサーバ。
【請求項４３】
ワイヤレス通信ネットワークにおけるモバイルデバイスの位置の決定を支援するためのモバイルデバイスであって、
第１の周波数で送信された第１の測位信号と前記第１の周波数とは異なる第２の周波数で送信された第２の測位信号とを獲得するための手段と、
前記第１の測位信号と前記第２の測位信号との間の到着時間差の第１の測定を実行するための手段と、
周波数間関連遅延に対して測定をサーバにおいて補償する能力を前記サーバが含むかどうかを示すメッセージを前記サーバから受信するための手段と、
前記周波数間関連遅延に対して前記サーバにおいて測定を補償する前記能力を前記サーバが含むことを示す前記メッセージに応答して、前記モバイルデバイスにおいて、前記第１の周波数、前記第２の周波数、または前記第１の周波数と前記第２の周波数の両方に対応する周波数間関連遅延に対して前記第１の測定に周波数間バイアス補償を適用しないことを決定するための手段と、
前記第１の周波数、前記第２の周波数、または前記第１の周波数と前記第２の周波数の両方に対応する周波数間関連遅延に対して前記第１の測定に周波数間バイアス補償を適用しないとの前記モバイルデバイスにおける前記決定に応答して、前記モバイルデバイスの前記位置を決定するために前記第１の測定と第１の測定記述とをサーバに送るための手段と、ここにおいて、前記第１の測定記述が、前記周波数間関連遅延に対して前記モバイルデバイスにおいて前記第１の測定が補償されていないことを示す、
を備えるモバイルデバイス。
【請求項４４】
前記周波数間関連遅延に対して前記サーバにおいて測定を補償する前記能力を前記サーバが含まないことを示す前記メッセージに応答して、前記モバイルデバイスにおいて前記第１の測定に前記周波数間バイアス補償を適用することを決定するための手段と、
前記第１の周波数、前記第２の周波数、または前記第１の周波数と前記第２の周波数の両方に対応する周波数間関連遅延に対して前記第１の測定に前記周波数間バイアス補償を適用するとの前記モバイルデバイスにおける前記決定に応答して、補償された測定を生成するために前記第１の測定に前記周波数間バイアス補償を適用するための手段と、
前記第１の測定に前記周波数間バイアス補償を適用するとの前記決定に応答して、前記モバイルデバイスの前記位置を決定するために前記補償された測定と第２の測定記述とを前記サーバに送るための手段と、ここにおいて、前記第２の測定記述が、前記周波数間関連遅延に対して前記モバイルデバイスにおいて前記補償された測定が補償されていることを示す、
をさらに備える、請求項４３に記載のモバイルデバイス。
【請求項４５】
ワイヤレス通信ネットワークにおけるモバイルデバイスの位置の決定を支援するためのサーバであって、
前記周波数間関連遅延に対して測定を前記サーバにおいて補償する能力を前記サーバが含むかどうかを示すメッセージを前記モバイルデバイスに送るための手段と、
前記モバイルデバイスによって決定された第１の測位信号と第２の測位信号との間の到着時間差の第１の測定を取得するための手段と、前記第１の測位信号が第１の周波数で送信されており、前記第２の測位信号が前記第１の周波数とは異なる第２の周波数で送信されている、
前記モバイルデバイスから測定記述を取得するための手段と、
前記第１の周波数、前記第２の周波数、または前記第１の周波数と前記第２の周波数の両方に対応する周波数間関連遅延に対する周波数間バイアス補償を、前記周波数間関連遅延に対して前記モバイルデバイスによって前記第１の測定が補償されていないことを前記測定記述が示すとの決定に応答して決定するための手段と、
前記第１の測定が補償されていないことを前記測定記述が示すとの前記決定に応答して、補償された測定を生成するために前記第１の測定に前記周波数間バイアス補償を適用するための手段と、
前記第１の測定が補償されていないことを前記測定記述が示すとの前記決定に応答して、少なくとも部分的に、前記補償された測定に少なくとも部分的に基づいて前記モバイルデバイスの前記位置を決定するための手段と
を備えるサーバ。
【請求項４６】
前記第１の周波数、前記第２の周波数、または前記第１の周波数と前記第２の周波数の両方に対応する前記周波数間関連遅延に対して前記モバイルデバイスによって前記第１の測定が補償されていることを前記測定記述が示すとの決定に応答して、少なくとも部分的に、前記第１の測定に少なくとも部分的に基づいて前記モバイルデバイスの前記位置を決定するための手段
をさらに備える、請求項４５に記載のサーバ。
【請求項４７】
少なくとも部分的に、前記第１の測定に少なくとも部分的に基づいて前記モバイルデバイスの前記位置を決定するための前記手段は、
前記第１の測定に対応する前記周波数間関連遅延に対する新しい周波数間バイアス補償を決定するための手段と、
補償されていない測定を生成するために、前記モバイルデバイスによって前記第１の測定に適用された周波数間バイアス補償を無効にするための手段と、
前記補償されていない測定に前記新しい周波数間バイアス補償を適用するための手段とをさらに備える、請求項４６に記載のサーバ。
【請求項４８】
前記モバイルデバイスから前記測定記述を取得するための前記手段は、
前記モバイルデバイスからＬＴＥ測位プロトコル（ＬＰＰ）メッセージを受信するための手段
をさらに備える、請求項４５に記載のサーバ。
【請求項４９】
ワイヤレス通信ネットワークにおけるモバイルデバイスの位置を決定する際に使用する、そこに記憶されたプログラムコードを含む非一時的コンピュータ可読媒体であって、前記プログラムコードは、
第１の周波数で送信された第１の測位信号と前記第１の周波数とは異なる第２の周波数で送信された第２の測位信号とを獲得することと、
前記第１の測位信号と前記第２の測位信号との間の到着時間差の第１の測定を実行することと、
周波数間関連遅延に対して測定をサーバにおいて補償する能力を前記サーバが含むかどうかを示すメッセージを前記サーバから受信することと、
前記周波数間関連遅延に対して前記サーバにおいて測定を補償する前記能力を前記サーバが含むことを示す前記メッセージに応答して、前記モバイルデバイスにおいて、前記第１の周波数、前記第２の周波数、または前記第１の周波数と前記第２の周波数の両方に対応する周波数間関連遅延に対して前記第１の測定に周波数間バイアス補償を適用しないことを決定することと、
前記第１の周波数、前記第２の周波数、または前記第１の周波数と前記第２の周波数の両方に対応する周波数間関連遅延に対して前記第１の測定に前記周波数間バイアス補償を適用しないとの前記モバイルデバイスにおける前記決定に応答して、
前記モバイルデバイスの前記位置を決定するために前記第１の測定と第１の測定記述とをサーバに送ることと、ここにおいて、前記第１の測定記述が、前記周波数間関連遅延に対して前記モバイルデバイスにおいて前記第１の測定が補償されていないことを示す、を行うための命令を備える、非一時的コンピュータ可読媒体。
【請求項５０】
前記プログラムコードは、
前記周波数間関連遅延に対して前記サーバにおいて測定を補償する前記能力を前記サーバが含まないことを示す前記メッセージに応答して、前記モバイルデバイスにおいて前記第１の測定に前記周波数間バイアス補償を適用することを決定することと、
前記第１の周波数、前記第２の周波数、または前記第１の周波数と前記第２の周波数の両方に対応する前記周波数間関連遅延に対して前記第１の測定に前記周波数間バイアス補償を適用するとの前記モバイルデバイスにおける前記決定に応答して、
補償された測定を生成するために前記第１の測定に前記周波数間バイアス補償を適用することと、
前記モバイルデバイスの前記位置を決定するために前記補償された測定と第２の測定記述とを前記サーバに送ることと、ここにおいて、前記第２の測定記述が、前記周波数間関連遅延に対して前記モバイルデバイスにおいて前記補償された測定が補償されていることを示す、
を行うための命令をさらに備える、請求項４９に記載の非一時的コンピュータ可読媒体。
【請求項５１】
ワイヤレス通信ネットワークにおけるモバイルデバイスの位置を決定する際に使用する、そこに記憶されたプログラムコードを含む非一時的コンピュータ可読媒体であって、前記プログラムコードは、
前記周波数間関連遅延に対して測定をサーバにおいて補償する能力を前記サーバが含むかどうかを示すメッセージを前記サーバから前記モバイルデバイスに送ることと、
前記サーバにおいて、前記モバイルデバイスによって決定された第１の測位信号と第２の測位信号との間の到着時間差の第１の測定を取得することと、前記第１の測位信号が第１の周波数で送信されており、前記第２の測位信号が前記第１の周波数とは異なる第２の周波数で送信されている、
前記サーバにおいて、前記モバイルデバイスから測定記述を取得することと、
前記第１の周波数、前記第２の周波数、または前記第１の周波数と前記第２の周波数の両方に対応する周波数間関連遅延に対して前記モバイルデバイスによって前記第１の測定が補償されていないことを前記測定記述が示すとの決定に応答して、
前記第１の測定に対応する前記周波数間関連遅延に対する周波数間バイアス補償を決定することと、
補償された測定を生成するために前記第１の測定に前記周波数間バイアス補償を適用することと、
少なくとも部分的に、前記補償された測定に少なくとも部分的に基づいて前記モバイルデバイスの前記位置を決定することと
を行うための命令を備える、非一時的コンピュータ可読媒体。
【請求項５２】
前記プログラムコードは、
前記第１の周波数、前記第２の周波数、または前記第１の周波数と前記第２の周波数の両方に対応する前記周波数間関連遅延に対して前記モバイルデバイスによって前記第１の測定が補償されていることを前記測定記述が示すとの決定に応答して、
少なくとも部分的に、前記第１の測定に少なくとも部分的に基づいて前記モバイルデバイスの前記位置を決定する
ための命令をさらに備える、請求項５８に記載の非一時的コンピュータ可読媒体。
【請求項５３】
少なくとも部分的に、前記第１の測定に少なくとも部分的に基づいて前記モバイルデバイスの前記位置を決定するための前記命令は、
前記第１の測定に対応する前記周波数間関連遅延に対する新しい周波数間バイアス補償を決定することと、
補償されていない測定を生成するために、前記モバイルデバイスによって前記第１の測定に適用された周波数間バイアス補償を無効にすることと、
前記補償されていない測定に前記新しい周波数間バイアス補償を適用することと
を行うための命令をさらに備える、請求項６０に記載の非一時的コンピュータ可読媒体。
【請求項５４】
モバイルデバイスにおいて使用する方法であって、前記モバイルデバイスにおいて、
第１の周波数で送信された第１の測位信号と前記第１の周波数とは異なる第２の周波数で送信された第２の測位信号とを獲得することと、
前記第１の測位信号と前記第２の測位信号との間の到着時間差の測定を実行することと、
前記測定に対して前記モバイルデバイスにおいて周波数間バイアス補償を決定することと、ここにおいて、前記周波数間バイアス補償を決定することは、前記モバイルデバイスの位置と前記周波数間バイアス補償とを提供する反復手順を実行することを備える、
補償された測定を生成するために前記測定に前記周波数間バイアス補償を適用することと、前記周波数間バイアス補償が、前記第１の周波数、前記第２の周波数、または前記第１の周波数と前記第２の周波数の両方に対応する周波数間関連遅延を減らす、
前記補償された測定と測定記述とをロケーションサーバに送ることと、ここにおいて、前記測定記述が、前記周波数間関連遅延に対して前記モバイルデバイスにおいて前記補償された測定が補償されていることを示す、
を備える方法。
【請求項５５】
モバイルデバイスにおいて使用する装置であって、
第１の周波数で送信された第１の測位信号と前記第１の周波数とは異なる第２の周波数で送信された第２の測位信号とを獲得するための手段と、
前記第１の測位信号と前記第２の測位信号との間の到着時間差の測定を実行するための手段と、
前記測定に対して前記モバイルデバイスにおいて周波数間バイアス補償を決定するための手段と、ここにおいて、前記周波数間バイアス補償を決定するための手段は、前記モバイルデバイスの位置と前記周波数間バイアス補償とを提供する反復手順を実行するための手段を備える、
補償された測定を生成するために前記測定に前記周波数間バイアス補償を適用するための手段と、前記周波数間バイアス補償が、前記第１の周波数、前記第２の周波数、または前記第１の周波数と前記第２の周波数の両方に対応する周波数間関連遅延を減らす、
前記補償された測定と測定記述とをロケーションサーバに送るための手段と、ここにおいて、前記測定記述が、前記周波数間関連遅延に対して前記モバイルデバイスにおいて前記補償された測定が補償されていることを示す、
を備える装置。
【請求項５６】
モバイルデバイスにおいて使用する装置であって、
プログラムコードを記憶するように適応されたメモリと、
第１の周波数で送信された第１の測位信号と前記第１の周波数とは異なる第２の周波数で送信された第２の測位信号とを獲得することと、
前記第１の測位信号と前記第２の測位信号との間の到着時間差の測定を実行することと、
前記測定に対して前記モバイルデバイスにおいて周波数間バイアス補償を決定することと、ここにおいて、前記周波数間バイアス補償を決定するための命令は、前記モバイルデバイスの位置と前記周波数間バイアス補償とを提供する反復手順を実行するための命令を備える、
補償された測定を生成するために前記測定に周波数間バイアス補償を適用することと、前記周波数間バイアス補償が、前記第１の周波数、前記第２の周波数、または前記第１の周波数と前記第２の周波数の両方に対応する周波数間関連遅延を減らす、
前記補償された測定と測定記述とをロケーションサーバに送ることと、ここにおいて、前記測定記述が、前記周波数間関連遅延に対して前記モバイルデバイスにおいて前記補償された測定が補償されていることを示す、
を行うよう前記モバイルデバイスに指示するための前記プログラムコードに含まれる命令にアクセスし、前記命令を実行するために前記メモリに結合された処理ユニットと
を備える装置。
【請求項５７】
ワイヤレス通信ネットワークにおけるモバイルデバイスの位置を決定する際に使用する、そこに記憶されたプログラムコードを含む非一時的コンピュータ可読媒体であって、前記プログラムコードは、
第１の周波数で送信された第１の測位信号と前記第１の周波数とは異なる第２の周波数で送信された第２の測位信号とを獲得することと、
前記第１の測位信号と前記第２の測位信号との間の到着時間差の測定を実行することと、
前記測定に対して前記モバイルデバイスにおいて周波数間バイアス補償を決定することと、ここにおいて、前記周波数間バイアス補償を決定するための命令は、前記モバイルデバイスの前記位置と前記周波数間バイアス補償とを提供する反復手順を実行する命令を備える、
補償された測定を生成するために前記測定に前記周波数間バイアス補償を適用することと、前記周波数間バイアス補償が、前記第１の周波数、前記第２の周波数、または前記第１の周波数と前記第２の周波数の両方に対応する周波数間関連遅延を減らす、
前記補償された測定と測定記述とをロケーションサーバに送ることと、ここにおいて、前記測定記述が、前記周波数間関連遅延に対して前記モバイルデバイスにおいて前記補償された測定が補償されていることを示す、
を行うための命令を備える、非一時的コンピュータ可読媒体。
【手続補正２】
【補正対象書類名】明細書
【補正対象項目名】０１８４
【補正方法】変更
【補正の内容】
【０１８４】
[00138]上記の開示は、例示的な実施形態を示すが、現在特許請求されている主題の範囲から逸脱することなく、本明細書において様々な変更および修正が行われ得ることに留意されたい。本明細書で説明された実施形態による方法クレームの機能、ステップおよび／またはアクションは、特定の順序で実行されなくてもよい。さらに、要素は、単数形で説明または特許請求されていることがあるが、単数形に限定することが明示的に述べられていない限り、複数形が企図される。
以下に本願の出願当初の特許請求の範囲に記載された発明を付記する。
［Ｃ１］
モバイルデバイスにおいて使用する方法であって、前記モバイルデバイスにおいて、
第１の周波数で送信された第１の測位信号と前記第１の周波数とは異なる第２の周波数で送信された第２の測位信号とを獲得することと、
前記第１の測位信号と前記第２の測位信号との間の到着時間差の第１の測定を実行することと、
前記第１の周波数、前記第２の周波数、または前記第１の周波数と前記第２の周波数の両方に対応する周波数間関連遅延に対して前記第１の測定に周波数間バイアス補償を適用しないとの前記モバイルデバイスにおける決定に応答して、
前記モバイルデバイスの位置を決定するために前記第１の測定と第１の測定記述とをサーバに送ることと、ここにおいて、前記第１の測定記述が、前記周波数間関連遅延に対して前記モバイルデバイスにおいて前記第１の測定が補償されていないことを示す、
を備える方法。
［Ｃ２］
前記第１の周波数、前記第２の周波数、または前記第１の周波数と前記第２の周波数の両方に対応する周波数間関連遅延に対して前記第１の測定に前記周波数間バイアス補償を適用するとの前記モバイルデバイスにおける決定に応答して、
補償された測定を生成するために前記第１の測定に前記周波数間バイアス補償を適用することと、
前記モバイルデバイスの前記位置を決定するために前記補償された測定と第２の測定記述とを前記サーバに送ることと、ここにおいて、前記第２の測定記述が、前記周波数間関連遅延に対して前記モバイルデバイスにおいて前記補償された測定が補償されていることを示す、
をさらに備える、Ｃ１に記載の方法。
［Ｃ３］
前記周波数間関連遅延に対して測定を前記サーバにおいて補償する能力を前記サーバが含むかどうかを示すメッセージを前記サーバから受信することと、
前記周波数間関連遅延に対して前記サーバにおいて測定を補償する前記能力を前記サーバが含まないことを示す前記メッセージに応答して、前記モバイルデバイスにおいて前記第１の測定に前記周波数間バイアス補償を適用することを決定することと、
前記周波数間関連遅延に対して前記サーバにおいて測定を補償する前記能力を前記サーバが含むことを示す前記メッセージに応答して、前記モバイルデバイスにおいて前記第１の測定に前記周波数間バイアス補償を適用しないことを決定することと
をさらに備える、Ｃ２に記載の方法。
［Ｃ４］
前記メッセージを前記サーバから受信することは、ＬＴＥ測位プロトコル（ＬＰＰ）メッセージを前記サーバから受信することを備える、Ｃ３に記載の方法。
［Ｃ５］
前記周波数間バイアス補償を適用するとの前記決定に応答して、前記第１の測定に関して前記モバイルデバイスにおいて前記周波数間バイアス補償を決定すること
をさらに備える、Ｃ２に記載の方法。
［Ｃ６］
前記周波数間バイアス補償を決定することは、前記周波数間バイアス補償を前記モバイルデバイスにおいて動的に計算することを備える、Ｃ５に記載の方法。
［Ｃ７］
前記モバイルデバイスにおいて動的に計算することは、前記モバイルデバイスの前記位置と前記周波数間バイアス補償とを提供する反復手順を実行することを備える、Ｃ６に記載の方法。
［Ｃ８］
前記第２の測定記述は、
前記モバイルデバイスによって前記第１の測定に適用される前記周波数間バイアス補償の値、
前記モバイルデバイスによって適用された前記周波数間バイアス補償のタイプ、
前記モバイルデバイスによって適用された前記周波数間バイアス補償の信頼性もしくは正確性を示す、前記モバイルによって決定されたメトリック、
前記モバイルデバイスによって適用された前記周波数間バイアス補償の経過期間、または
前記到着時間差の前記第１の測定を実行するために前記モバイルデバイスによって使用されたデータの少なくとも一部分
のうちの少なくとも１つを示す情報をさらに含む、Ｃ５に記載の方法。
［Ｃ９］
前記到着時間差の前記第１の測定を実行するために前記モバイルデバイスによって使用されたデータの前記一部分は、前記第１の測位信号の到着時間および前記第２の測位信号の到着時間のうちの少なくとも１つを含む、Ｃ８に記載の方法。
［Ｃ１０］
前記第１の測定を実行することは、前記第１および第２の測位信号の観測到着時間差（ＯＴＤＯＡ）測定を実行することを備える、Ｃ１に記載の方法。
［Ｃ１１］
前記サーバは、ワイヤレス通信ネットワーク内にロケーションサーバを備える、Ｃ１に記載の方法。
［Ｃ１２］
前記第１の測定記述を前記サーバに送ることは、
ＬＴＥ測位プロトコル（ＬＰＰ）メッセージを前記サーバに送ること
をさらに備える、Ｃ１に記載の方法。
［Ｃ１３］
前記ＬＰＰメッセージを前記サーバに送ることは、前記周波数間関連遅延に対して前記第１の測定が補償されていないことを示すように、前記ＬＰＰメッセージにおけるフラグの論理状態を制御することを含む、Ｃ１２に記載の方法。
［Ｃ１４］
コンピューティングプラットフォームを備えるサーバにおいて使用する方法であって、前記コンピューティングプラットフォームにおいて、
モバイルデバイスによって決定された第１の測位信号と第２の測位信号との間の到着時間差の第１の測定を取得することと、前記第１の測位信号が第１の周波数で送信されており、前記第２の測位信号が前記第１の周波数とは異なる第２の周波数で送信されている、
前記モバイルデバイスから測定記述を取得することと、
前記第１の周波数、前記第２の周波数、または前記第１の周波数と前記第２の周波数の両方に対応する周波数間関連遅延に対して前記モバイルデバイスによって前記第１の測定が補償されていないことを前記測定記述が示すとの決定に応答して、
前記第１の測定に対応する前記周波数間関連遅延に対する周波数間バイアス補償を決定することと、
補償された測定を生成するために前記第１の測定に前記周波数間バイアス補償を適用することと、
少なくとも部分的に、前記補償された測定に少なくとも部分的に基づいて前記モバイルデバイスの位置を決定することと
を備える方法。
［Ｃ１５］
前記周波数間関連遅延に対して測定を前記サーバにおいて補償する能力を前記サーバが含むかどうかを示すメッセージを前記モバイルデバイスに送ることをさらに備える、Ｃ１４に記載の方法。
［Ｃ１６］
前記メッセージを前記モバイルデバイスに送ることは、ＬＴＥ測位プロトコル（ＬＰＰ）メッセージを前記モバイルデバイスに送ることを備える、Ｃ１５に記載の方法。
［Ｃ１７］
前記周波数間バイアス補償を決定することは、前記周波数間バイアス補償を前記コンピューティングプラットフォームにおいて動的に計算することを備える、Ｃ１４に記載の方法。
［Ｃ１８］
前記コンピューティングプラットフォームにおいて動的に計算することは、前記モバイルデバイスの前記位置と前記周波数間バイアス補償とを提供する反復手順を実行することを備える、Ｃ１７に記載の方法。
［Ｃ１９］
前記第１の周波数、前記第２の周波数、または前記第１の周波数と前記第２の周波数の両方に対応する前記周波数間関連遅延に対して前記モバイルデバイスによって前記第１の測定が補償されていることを前記測定記述が示すとの決定に応答して、
少なくとも部分的に、前記第１の測定に少なくとも部分的に基づいて前記モバイルデバイスの前記位置を決定すること
をさらに備える、Ｃ１４に記載の方法。
［Ｃ２０］
少なくとも部分的に、前記第１の測定に少なくとも部分的に基づいて前記モバイルデバイスの前記位置を決定することは、
前記第１の測定に対応する前記周波数間関連遅延に対する新しい周波数間バイアス補償を決定することと、
補償されていない測定を生成するために、前記モバイルデバイスによって前記第１の測定に適用された周波数間バイアス補償を無効にすることと、
前記補償されていない測定に前記新しい周波数間バイアス補償を適用することと
をさらに備える、Ｃ１９に記載の方法。
［Ｃ２１］
前記測定記述は、前記モバイルデバイスによって前記第１の測定に適用された前記周波数間バイアス補償の値をさらに示し、前記モバイルデバイスによって適用された前記周波数間バイアス補償を無効にすることが、前記測定記述において示された前記周波数間バイアス補償の前記値に基づく、Ｃ２０に記載の方法。
［Ｃ２２］
前記測定記述は、
前記モバイルデバイスによって適用された前記周波数間バイアス補償のタイプ、
前記モバイルデバイスによって適用された前記周波数間バイアス補償の信頼性もしくは正確性を示す、前記モバイルによって決定されたメトリック、または
前記モバイルデバイスによって適用された前記周波数間バイアス補償の経過期間のうちの少なくとも１つを示す情報をさらに含み、前記方法が、前記測定記述に含まれる前記情報に基づいて、前記コンピューティングプラットフォームにおいて前記新しい周波数間バイアス補償を決定するか否かを決定することをさらに備える、Ｃ２０に記載の方法。
［Ｃ２３］
前記測定記述は、前記到着時間差の前記第１の測定を実行するために前記モバイルデバイスによって使用されたデータの少なくとも一部分をさらに含み、前記周波数間関連遅延に対する前記周波数間バイアス補償を決定することが、前記測定記述において示される前記モバイルデバイスによって使用された前記データに基づく、Ｃ１４に記載の方法。
［Ｃ２４］
前記モバイルデバイスから前記測定記述を取得することは、
前記モバイルデバイスからＬＴＥ測位プロトコル（ＬＰＰ）メッセージを受信することをさらに備える、Ｃ１４に記載の方法。
［Ｃ２５］
前記モバイルデバイスから受信された前記ＬＰＰメッセージは、前記ＬＰＰメッセージにフラグを含み、前記フラグの論理状態が、前記周波数間関連遅延に対して前記第１の測定が補償されているか否かを示す、Ｃ２４に記載の方法。
［Ｃ２６］
前記第１の測位信号と前記第２の測位信号との間の前記到着時間差の前記第１の測定は、前記第１の測位信号と前記第２の測位信号との間の観測到着時間差（ＯＴＤＯＡ）測定を備える、Ｃ１４に記載の方法。
［Ｃ２７］
ワイヤレス通信ネットワークにおけるモバイルデバイスの位置の決定を支援するためのモバイルデバイスであって、
プログラムコードを記憶するように適応されたメモリと、
第１の周波数で送信された第１の測位信号と前記第１の周波数とは異なる第２の周波数で送信された第２の測位信号とを獲得することと、
前記第１の測位信号と前記第２の測位信号との間の到着時間差の第１の測定を実行することと、
前記第１の周波数、前記第２の周波数、または前記第１の周波数と前記第２の周波数の両方に対応する周波数間関連遅延に対して前記第１の測定に周波数間バイアス補償を適用しないとの前記モバイルデバイスにおける決定に応答して、
前記モバイルデバイスの前記位置を決定するために前記第１の測定と第１の測定記述とをサーバに送ることと、ここにおいて、前記第１の測定記述が、前記周波数間関連遅延に対して前記モバイルデバイスにおいて前記第１の測定が補償されていないことを示す、
を行うよう前記モバイルデバイスに指示するための前記プログラムコードに含まれる命令にアクセスし、前記命令を実行するために前記メモリに結合された処理ユニットと
を備えるモバイルデバイス。
［Ｃ２８］
前記プログラムコードは、
前記第１の周波数、前記第２の周波数、または前記第１の周波数と前記第２の周波数の両方に対応する周波数間関連遅延に対して前記第１の測定に前記周波数間バイアス補償を適用するとの前記モバイルデバイスにおける決定に応答して、
補償された測定を生成するために前記第１の測定に前記周波数間バイアス補償を適用することと、
前記モバイルデバイスの前記位置を決定するために前記補償された測定と第２の測定記述とを前記サーバに送ることと、ここにおいて、前記第２の測定記述が、前記周波数間関連遅延に対して前記モバイルデバイスにおいて前記補償された測定が補償されていることを示す、
を行うよう前記モバイルデバイスに指示するための命令をさらに備える、Ｃ２７に記載のモバイルデバイス。
［Ｃ２９］
前記プログラムコードは、
前記周波数間関連遅延に対して測定を前記サーバにおいて補償する能力を前記サーバが含むかどうかを示すメッセージを前記サーバから受信することと、
前記周波数間関連遅延に対して前記サーバにおいて測定を補償する前記能力を前記サーバが含まないことを示す前記メッセージに応答して、前記モバイルデバイスにおいて前記第１の測定に前記周波数間バイアス補償を適用することを決定することと、
前記周波数間関連遅延に対して前記サーバにおいて測定を補償する前記能力を前記サーバが含むことを示す前記メッセージに応答して、前記モバイルデバイスにおいて前記第１の測定に前記周波数間バイアス補償を適用しないことを決定することと
を行うための命令をさらに備える、Ｃ２８に記載のモバイルデバイス。
［Ｃ３０］
前記メッセージを前記サーバから受信するための前記命令は、ＬＴＥ測位プロトコル（ＬＰＰ）メッセージを前記サーバから受信するための命令を備える、Ｃ２９に記載のモバイルデバイス。
［Ｃ３１］
前記プログラムコードは、前記周波数間バイアス補償を適用するとの前記決定に応答して、前記第１の測定に関して前記モバイルデバイスにおいて前記周波数間バイアス補償を決定するための命令をさらに備える、Ｃ２９に記載のモバイルデバイス。
［Ｃ３２］
前記周波数間バイアス補償を決定するための前記命令は、前記周波数間バイアス補償を前記モバイルデバイスにおいて動的に計算するための命令を備える、Ｃ３１に記載のモバイルデバイス。
［Ｃ３３］
前記モバイルデバイスにおいて動的に計算するための前記命令は、前記モバイルデバイスの前記位置と前記周波数間バイアス補償とを提供する反復手順を実行するための命令を備える、Ｃ３２に記載のモバイルデバイス。
［Ｃ３４］
前記第１の測定記述を前記サーバに送るための前記命令は、ＬＴＥ測位プロトコル（ＬＰＰ）メッセージを前記サーバに送るための命令をさらに備える、Ｃ２７に記載のモバイルデバイス。
［Ｃ３５］
前記ＬＰＰメッセージを前記サーバに送るための前記命令は、前記周波数間関連遅延に対して前記第１の測定が補償されていないことを示すように、前記ＬＰＰメッセージにおけるフラグの論理状態を制御するための命令を含む、Ｃ３４に記載のモバイルデバイス。
［Ｃ３６］
ワイヤレス通信ネットワークにおけるモバイルデバイスの位置の決定を支援するためのサーバであって、
プログラムコードを記憶するように適応されたメモリと、
前記モバイルデバイスによって決定された第１の測位信号と第２の測位信号との間の到着時間差の第１の測定を取得することと、前記第１の測位信号が第１の周波数で送信されており、前記第２の測位信号が前記第１の周波数とは異なる第２の周波数で送信されている、
前記モバイルデバイスから測定記述を取得することと、
前記第１の周波数、前記第２の周波数、または前記第１の周波数と前記第２の周波数の両方に対応する周波数間関連遅延に対して前記モバイルデバイスによって前記第１の測定が補償されていないことを前記測定記述が示すとの決定に応答して、
前記第１の測定に対応する前記周波数間関連遅延に対する周波数間バイアス補償を決定することと、
補償された測定を生成するために前記第１の測定に前記周波数間バイアス補償を適用することと、
少なくとも部分的に、前記補償された測定に少なくとも部分的に基づいて前記モバイルデバイスの前記位置を決定すること
を行うよう前記サーバに指示するための前記プログラムコードに含まれる命令にアクセスし、前記命令を実行するために前記メモリに結合された処理ユニットと
を備えるサーバ。
［Ｃ３７］
前記プログラムコードは、前記周波数間関連遅延に対して測定を前記サーバにおいて補償する能力を前記サーバが含むかどうかを示すメッセージを前記モバイルデバイスに送るための命令をさらに備える、Ｃ３６に記載のサーバ。
［Ｃ３８］
前記メッセージを前記モバイルデバイスに送るための前記命令は、ＬＴＥ測位プロトコル（ＬＰＰ）メッセージを前記モバイルデバイスに送るための命令を備える、Ｃ３７に記載のサーバ。
［Ｃ３９］
前記周波数間バイアス補償を決定するための前記命令は、前記周波数間バイアス補償を前記サーバにおいて動的に計算するための命令を備える、Ｃ３６に記載のサーバ。
［Ｃ４０］
前記サーバにおいて動的に計算するための前記命令は、前記モバイルデバイスの前記位置と前記周波数間バイアス補償とを提供する反復手順を実行するための命令を備える、Ｃ３９に記載のサーバ。
［Ｃ４１］
前記プログラムコードは、
前記第１の周波数、前記第２の周波数、または前記第１の周波数と前記第２の周波数の両方に対応する前記周波数間関連遅延に対して前記モバイルデバイスによって前記第１の測定が補償されていることを前記測定記述が示すとの決定に応答して、
少なくとも部分的に、前記第１の測定に少なくとも部分的に基づいて前記モバイルデバイスの前記位置を決定する
ための命令をさらに備える、Ｃ３６に記載のサーバ。
［Ｃ４２］
少なくとも部分的に、前記第１の測定に少なくとも部分的に基づいて前記モバイルデバイスの前記位置を決定するための前記命令は、
前記第１の測定に対応する前記周波数間関連遅延に対する新しい周波数間バイアス補償を決定することと、
補償されていない測定を生成するために、前記モバイルデバイスによって前記第１の測定に適用された周波数間バイアス補償を無効にすることと、
前記補償されていない測定に前記新しい周波数間バイアス補償を適用することと
を行うための命令をさらに備える、Ｃ４１に記載のサーバ。
［Ｃ４３］
前記測定記述は、前記モバイルデバイスによって前記第１の測定に適用された前記周波数間バイアス補償の値をさらに示し、前記モバイルデバイスによって適用された前記周波数間バイアス補償を無効にするための前記命令が、前記測定記述において示された前記周波数間バイアス補償の前記値に基づいて前記周波数間バイアス補償を無効にするための命令を備える、Ｃ４２に記載のサーバ。
［Ｃ４４］
前記測定記述は、
前記モバイルデバイスによって適用された前記周波数間バイアス補償のタイプ、
前記モバイルデバイスによって適用された前記周波数間バイアス補償の信頼性もしくは正確性を示す、前記モバイルによって決定されたメトリック、または
前記モバイルデバイスによって適用された前記周波数間バイアス補償の経過期間のうちの少なくとも１つを示す情報をさらに含み、前記プログラムコードが、前記測定記述に含まれる前記情報に基づいて、前記コンピューティングプラットフォームにおいて前記新しい周波数間バイアス補償を決定するか否かを決定するための命令をさらに備える、Ｃ４２に記載のサーバ。
［Ｃ４５］
前記モバイルデバイスから前記測定記述を取得するための前記命令は、前記モバイルデバイスからＬＴＥ測位プロトコル（ＬＰＰ）メッセージを受信するための命令を備える、Ｃ３６に記載のサーバ。
［Ｃ４６］
前記モバイルデバイスから受信された前記ＬＰＰメッセージは、前記ＬＰＰメッセージにフラグを含み、前記フラグの論理状態が、前記周波数間関連遅延に対して前記第１の測定が補償されているか否かを示す、Ｃ４５に記載のサーバ。
［Ｃ４７］
ワイヤレス通信ネットワークにおけるモバイルデバイスの位置の決定を支援するためのモバイルデバイスであって、
第１の周波数で送信された第１の測位信号と前記第１の周波数とは異なる第２の周波数で送信された第２の測位信号とを獲得するための手段と、
前記第１の測位信号と前記第２の測位信号との間の到着時間差の第１の測定を実行するための手段と、
前記第１の周波数、前記第２の周波数、または前記第１の周波数と前記第２の周波数の両方に対応する周波数間関連遅延に対して前記第１の測定に周波数間バイアス補償を適用しないとの前記モバイルデバイスにおける決定に応答して、前記モバイルデバイスの前記位置を決定するために前記第１の測定と第１の測定記述とをサーバに送るための手段と、ここにおいて、前記第１の測定記述が、前記周波数間関連遅延に対して前記モバイルデバイスにおいて前記第１の測定が補償されていないことを示す、
を備えるモバイルデバイス。
［Ｃ４８］
前記第１の周波数、前記第２の周波数、または前記第１の周波数と前記第２の周波数の両方に対応する周波数間関連遅延に対して前記第１の測定に前記周波数間バイアス補償を適用するとの前記モバイルデバイスにおける決定に応答して、補償された測定を生成するために前記第１の測定に前記周波数間バイアス補償を適用するための手段と、
前記第１の測定に前記周波数間バイアス補償を適用するとの前記決定に応答して、前記モバイルデバイスの前記位置を決定するために前記補償された測定と第２の測定記述とを前記サーバに送るための手段と、ここにおいて、前記第２の測定記述が、前記周波数間関連遅延に対して前記モバイルデバイスにおいて前記補償された測定が補償されていることを示す、
をさらに備える、Ｃ４７に記載のモバイルデバイス。
［Ｃ４９］
前記周波数間関連遅延に対して測定を前記サーバにおいて補償する能力を前記サーバが含むかどうかを示すメッセージを前記サーバから受信するための手段と、
前記周波数間関連遅延に対して前記サーバにおいて測定を補償する前記能力を前記サーバが含まないことを示す前記メッセージに応答して、前記モバイルデバイスにおいて前記第１の測定に前記周波数間バイアス補償を適用することを決定するための手段と、
前記周波数間関連遅延に対して前記サーバにおいて測定を補償する前記能力を前記サーバが含むことを示す前記メッセージに応答して、前記モバイルデバイスにおいて前記第１の測定に前記周波数間バイアス補償を適用しないことを決定するための手段と
をさらに備える、Ｃ４８に記載のモバイルデバイス。
［Ｃ５０］
ワイヤレス通信ネットワークにおけるモバイルデバイスの位置の決定を支援するためのサーバであって、
前記モバイルデバイスによって決定された第１の測位信号と第２の測位信号との間の到着時間差の第１の測定を取得するための手段と、前記第１の測位信号が第１の周波数で送信されており、前記第２の測位信号が前記第１の周波数とは異なる第２の周波数で送信されている、
前記モバイルデバイスから測定記述を取得するための手段と、
前記第１の周波数、前記第２の周波数、または前記第１の周波数と前記第２の周波数の両方に対応する周波数間関連遅延に対する周波数間バイアス補償を、前記周波数間関連遅延に対して前記モバイルデバイスによって前記第１の測定が補償されていないことを前記測定記述が示すとの決定に応答して決定するための手段と、
前記第１の測定が補償されていないことを前記測定記述が示すとの前記決定に応答して、補償された測定を生成するために前記第１の測定に前記周波数間バイアス補償を適用するための手段と、
前記第１の測定が補償されていないことを前記測定記述が示すとの前記決定に応答して、少なくとも部分的に、前記補償された測定に少なくとも部分的に基づいて前記モバイルデバイスの前記位置を決定するための手段と
を備えるサーバ。
［Ｃ５１］
前記周波数間関連遅延に対して測定を前記サーバにおいて補償する能力を前記サーバが含むかどうかを示すメッセージを前記モバイルデバイスに送るための手段をさらに備える、Ｃ５０に記載のサーバ。
［Ｃ５２］
前記第１の周波数、前記第２の周波数、または前記第１の周波数と前記第２の周波数の両方に対応する前記周波数間関連遅延に対して前記モバイルデバイスによって前記第１の測定が補償されていることを前記測定記述が示すとの決定に応答して、少なくとも部分的に、前記第１の測定に少なくとも部分的に基づいて前記モバイルデバイスの前記位置を決定するための手段
をさらに備える、Ｃ５０に記載のサーバ。
［Ｃ５３］
少なくとも部分的に、前記第１の測定に少なくとも部分的に基づいて前記モバイルデバイスの前記位置を決定するための前記手段は、
前記第１の測定に対応する前記周波数間関連遅延に対する新しい周波数間バイアス補償を決定するための手段と、
補償されていない測定を生成するために、前記モバイルデバイスによって前記第１の測定に適用された周波数間バイアス補償を無効にするための手段と、
前記補償されていない測定に前記新しい周波数間バイアス補償を適用するための手段とをさらに備える、Ｃ５２に記載のサーバ。
［Ｃ５４］
前記モバイルデバイスから前記測定記述を取得するための前記手段は、
前記モバイルデバイスからＬＴＥ測位プロトコル（ＬＰＰ）メッセージを受信するための手段
をさらに備える、Ｃ５０に記載のサーバ。
［Ｃ５５］
ワイヤレス通信ネットワークにおけるモバイルデバイスの位置を決定する際に使用するプログラムコードが記憶されている非一時的コンピュータ可読媒体であって、前記プログラムコードは、
第１の周波数で送信された第１の測位信号と前記第１の周波数とは異なる第２の周波数で送信された第２の測位信号とを獲得することと、
前記第１の測位信号と前記第２の測位信号との間の到着時間差の第１の測定を実行することと、
前記第１の周波数、前記第２の周波数、または前記第１の周波数と前記第２の周波数の両方に対応する周波数間関連遅延に対して前記第１の測定に周波数間バイアス補償を適用しないとの前記モバイルデバイスにおける決定に応答して、
前記モバイルデバイスの前記位置を決定するために前記第１の測定と第１の測定記述とをサーバに送ることと、ここにおいて、前記第１の測定記述が、前記周波数間関連遅延に対して前記モバイルデバイスにおいて前記第１の測定が補償されていないことを示す、を行うための命令を備える、非一時的コンピュータ可読媒体。
［Ｃ５６］
前記プログラムコードは、
前記第１の周波数、前記第２の周波数、または前記第１の周波数と前記第２の周波数の両方に対応する前記周波数間関連遅延に対して前記第１の測定に前記周波数間バイアス補償を適用するとの前記モバイルデバイスにおける決定に応答して、
補償された測定を生成するために前記第１の測定に前記周波数間バイアス補償を適用することと、
前記モバイルデバイスの前記位置を決定するために前記補償された測定と第２の測定記述とを前記サーバに送ることと、ここにおいて、前記第２の測定記述が、前記周波数間関連遅延に対して前記モバイルデバイスにおいて前記補償された測定が補償されていることを示す、
を行うための命令をさらに備える、Ｃ５５に記載の非一時的コンピュータ可読媒体。
［Ｃ５７］
前記プログラムコードは、
前記周波数間関連遅延に対して測定を前記サーバにおいて補償する能力を前記サーバが含むかどうかを示すメッセージを前記サーバから受信することと、
前記周波数間関連遅延に対して前記サーバにおいて測定を補償する前記能力を前記サーバが含まないことを示す前記メッセージに応答して、前記モバイルデバイスにおいて前記第１の測定に前記周波数間バイアス補償を適用することを決定することと、
前記周波数間関連遅延に対して前記サーバにおいて測定を補償する前記能力を前記サーバが含むことを示す前記メッセージに応答して、前記モバイルデバイスにおいて前記第１の測定に前記周波数間バイアス補償を適用しないことを決定することと
を行うための命令をさらに備える、Ｃ５６に記載の非一時的コンピュータ可読媒体。
［Ｃ５８］
ワイヤレス通信ネットワークにおけるモバイルデバイスの位置を決定する際に使用するプログラムコードが記憶されている非一時的コンピュータ可読媒体であって、前記プログラムコードは、
サーバにおいて、前記モバイルデバイスによって決定された第１の測位信号と第２の測位信号との間の到着時間差の第１の測定を取得することと、前記第１の測位信号が第１の周波数で送信されており、前記第２の測位信号が前記第１の周波数とは異なる第２の周波数で送信されている、
前記サーバにおいて、前記モバイルデバイスから測定記述を取得することと、
前記第１の周波数、前記第２の周波数、または前記第１の周波数と前記第２の周波数の両方に対応する周波数間関連遅延に対して前記モバイルデバイスによって前記第１の測定が補償されていないことを前記測定記述が示すとの決定に応答して、
前記第１の測定に対応する前記周波数間関連遅延に対する周波数間バイアス補償を決定することと、
補償された測定を生成するために前記第１の測定に前記周波数間バイアス補償を適用することと、
少なくとも部分的に、前記第１の測定に少なくとも部分的に基づいて前記モバイルデバイスの前記位置を決定することと
を行うための命令を備える、非一時的コンピュータ可読媒体。
［Ｃ５９］
前記プログラムコードは、前記周波数間関連遅延に対して測定を前記サーバにおいて補償する能力を前記サーバが含むかどうかを示すメッセージを前記モバイルデバイスに送るための命令をさらに備える、Ｃ５８に記載の非一時的コンピュータ可読媒体。
［Ｃ６０］
前記プログラムコードは、
前記第１の周波数、前記第２の周波数、または前記第１の周波数と前記第２の周波数の両方に対応する前記周波数間関連遅延に対して前記モバイルデバイスによって前記第１の測定が補償されていることを前記測定記述が示すとの決定に応答して、
少なくとも部分的に、前記第１の測定に少なくとも部分的に基づいて前記モバイルデバイスの前記位置を決定する
ための命令をさらに備える、Ｃ５８に記載の非一時的コンピュータ可読媒体。
［Ｃ６１］
少なくとも部分的に、前記第１の測定に少なくとも部分的に基づいて前記モバイルデバイスの前記位置を決定するための前記命令は、
前記第１の測定に対応する前記周波数間関連遅延に対する新しい周波数間バイアス補償を決定することと、
補償されていない測定を生成するために、前記モバイルデバイスによって前記第１の測定に適用された周波数間バイアス補償を無効にすることと、
前記補償されていない測定に前記新しい周波数間バイアス補償を適用することと
を行うための命令をさらに備える、Ｃ６０に記載の非一時的コンピュータ可読媒体。
［Ｃ６２］
モバイルデバイスにおいて使用する方法であって、前記モバイルデバイスにおいて、
第１の周波数で送信された第１の測位信号と前記第１の周波数とは異なる第２の周波数で送信された第２の測位信号とを獲得することと、
前記第１の測位信号と前記第２の測位信号との間の到着時間差の測定を実行することと、
前記測定と測定記述とをロケーションサーバに送ることと、ここにおいて、前記測定記述が、前記第１の周波数、前記第２の周波数、または前記第１の周波数と前記第２の周波数の両方に対応する周波数間関連遅延に対して前記モバイルデバイスにおいて前記測定が補償されていないことを示す、
を備える方法。
［Ｃ６３］
モバイルデバイスにおいて使用する方法であって、前記モバイルデバイスにおいて、
第１の周波数で送信された第１の測位信号と前記第１の周波数とは異なる第２の周波数で送信された第２の測位信号とを獲得することと、
前記第１の測位信号と前記第２の測位信号との間の到着時間差の測定を実行することと、
補償された測定を生成するために前記測定に周波数間バイアス補償を適用することと、前記周波数間バイアス補償が、前記第１の周波数、前記第２の周波数、または前記第１の周波数と前記第２の周波数の両方に対応する周波数間関連遅延を減らす、
前記補償された測定と測定記述とをロケーションサーバに送ることと、ここにおいて、前記測定記述が、前記周波数間関連遅延に対して前記モバイルデバイスにおいて前記補償された測定が補償されていることを示す、
を備える方法。
［Ｃ６４］
モバイルデバイスにおいて使用する装置であって、
第１の周波数で送信された第１の測位信号と前記第１の周波数とは異なる第２の周波数で送信された第２の測位信号とを獲得するための手段と、
前記第１の測位信号と前記第２の測位信号との間の到着時間差の測定を実行するための手段と、
前記測定と測定記述とをロケーションサーバに送るための手段と、ここにおいて、前記測定記述が、前記第１の周波数、前記第２の周波数、または前記第１の周波数と前記第２の周波数の両方に対応する周波数間関連遅延に対して前記モバイルデバイスにおいて前記測定が補償されていないことを示す、
を備える装置。
［Ｃ６５］
モバイルデバイスにおいて使用する装置であって、
第１の周波数で送信された第１の測位信号と前記第１の周波数とは異なる第２の周波数で送信された第２の測位信号とを獲得するための手段と、
前記第１の測位信号と前記第２の測位信号との間の到着時間差の測定を実行するための手段と、
補償された測定を生成するために前記測定に周波数間バイアス補償を適用するための手段と、前記周波数間バイアス補償が、前記第１の周波数、前記第２の周波数、または前記第１の周波数と前記第２の周波数の両方に対応する周波数間関連遅延を減らす、
前記補償された測定と測定記述とをロケーションサーバに送るための手段と、ここにおいて、前記測定記述が、前記周波数間関連遅延に対して前記モバイルデバイスにおいて前記補償された測定が補償されていることを示す、
を備える装置。
［Ｃ６６］
モバイルデバイスであって、
プログラムコードを記憶するように適応されたメモリと、
第１の周波数で送信された第１の測位信号と前記第１の周波数とは異なる第２の周波数で送信された第２の測位信号とを獲得することと、
前記第１の測位信号と前記第２の測位信号との間の到着時間差の測定を実行することと、
前記測定と測定記述とをロケーションサーバに送ることと、ここにおいて、前記測定記述が、前記第１の周波数、前記第２の周波数、または前記第１の周波数と前記第２の周波数の両方に対応する周波数間関連遅延に対して前記モバイルデバイスにおいて前記測定が補償されていないことを示す、
を行うよう前記モバイルデバイスに指示するための前記プログラムコードに含まれる命令にアクセスし、前記命令を実行するために前記メモリに結合された処理ユニットと
を備えるモバイルデバイス。
［Ｃ６７］
モバイルデバイスにおいて使用する装置であって、
プログラムコードを記憶するように適応されたメモリと、
第１の周波数で送信された第１の測位信号と前記第１の周波数とは異なる第２の周波数で送信された第２の測位信号とを獲得することと、
前記第１の測位信号と前記第２の測位信号との間の到着時間差の測定を実行することと、
補償された測定を生成するために前記測定に周波数間バイアス補償を適用することと、前記周波数間バイアス補償が、前記第１の周波数、前記第２の周波数、または前記第１の周波数と前記第２の周波数の両方に対応する周波数間関連遅延を減らす、
前記補償された測定と測定記述とをロケーションサーバに送ることと、ここにおいて、前記測定記述が、前記周波数間関連遅延に対して前記モバイルデバイスにおいて前記補償された測定が補償されていることを示す、
を行うよう前記モバイルデバイスに指示するための前記プログラムコードに含まれる命令にアクセスし、前記命令を実行するために前記メモリに結合された処理ユニットと
を備える装置。
［Ｃ６８］
ワイヤレス通信ネットワークにおけるモバイルデバイスの位置を決定する際に使用するプログラムコードが記憶されている非一時的コンピュータ可読媒体であって、前記プログラムコードは、
第１の周波数で送信された第１の測位信号と前記第１の周波数とは異なる第２の周波数で送信された第２の測位信号とを獲得することと、
前記第１の測位信号と前記第２の測位信号との間の到着時間差の測定を実行することと、
前記測定と測定記述とをロケーションサーバに送ることと、ここにおいて、前記測定記述が、前記第１の周波数、前記第２の周波数、または前記第１の周波数と前記第２の周波数の両方に対応する周波数間関連遅延に対して前記モバイルデバイスにおいて前記測定が補償されていないことを示す、
を行うための命令を備える、非一時的コンピュータ可読媒体。
［Ｃ６９］
ワイヤレス通信ネットワークにおけるモバイルデバイスの位置を決定する際に使用するプログラムコードが記憶されている非一時的コンピュータ可読媒体であって、前記プログラムコードは、
第１の周波数で送信された第１の測位信号と前記第１の周波数とは異なる第２の周波数で送信された第２の測位信号とを獲得することと、
前記第１の測位信号と前記第２の測位信号との間の到着時間差の測定を実行することと、
補償された測定を生成するために前記測定に周波数間バイアス補償を適用することと、前記周波数間バイアス補償が、前記第１の周波数、前記第２の周波数、または前記第１の周波数と前記第２の周波数の両方に対応する周波数間関連遅延を減らす、
前記補償された測定と測定記述とをロケーションサーバに送ることと、ここにおいて、前記測定記述が、前記周波数間関連遅延に対して前記モバイルデバイスにおいて前記補償された測定が補償されていることを示す、
を行うための命令を備える、非一時的コンピュータ可読媒体。
【国際調査報告】
2018510331.tif 000056
2018510331.tif 000057
2018510331.tif 000058